(57)【要約】  サイドリンク通信送信を優先順位付けするための方法および装置について、本明細書に記載する。一例示的実施形態によれば、装置は、ネットワークノードに、サービス品質（Quality  of  Service：ＱｏＳ）パラメータを含むサイドリンク通信に関連付けられた支援パラメータを送信してもよい。装置は、ネットワークノードから、論理チャネル構成、サイドリンク無線ベアラへのＱｏＳパラメータのマッピング、およびサイドリンク論理チャネルへのサイドリンク無線ベアラのマッピングを含むサイドリンク通信に関連付けられた構成パラメータを受信してもよい。装置は、サイドリンクリソースグラントを受信し、かつ論理チャネル構成に基づいて、サイドリンクリソースグラントによって機能することになる１つまたは複数のサイドリンク論理チャネルを選択してもよい。装置は、受信したサイドリンクリソースグラントを使用して、選択した１つまたは複数のサイドリンク論理チャネルに関連付けられたデータを含む、生成されたメディアアクセス制御（Medium  Access  Control：ＭＡＣ）プロトコルデータユニット（Protocol  Data  Unit：ＰＤＵ）を送信してもよい。
2021530151.tif 000002
【特許請求の範囲】
【請求項１】
プロセッサ、メモリ、および通信回路を備える装置であって、前記装置は、前記通信回路を介してネットワークに接続され、前記装置は、さらに前記メモリに記憶されたコンピュータ実行可能命令を備え、前記コンピュータ実行可能命令は、前記装置の前記プロセッサによって実行されると、前記装置に、
前記ネットワークを介して前記装置に接続されたネットワークノードに、サイドリンク通信に関連付けられた１つまたは複数の支援パラメータを送信することであって、前記１つまたは複数の支援パラメータは、１つまたは複数のサービス品質（Quality  of  Service：ＱｏＳ）パラメータを含む、ことと、
前記送信した支援情報の応答として、前記ネットワークノードから、サイドリンク通信に関連付けられた１つまたは複数の構成パラメータを受信することであって、前記１つまたは複数の構成パラメータは、論理チャネル構成、サイドリンク無線ベアラへのＱｏＳフローのマッピング、および前記装置の複数のサイドリンク論理チャネルのうち１つのサイドリンク論理チャネルへの前記サイドリンク無線ベアラのマッピングを含む、ことと、
サイドリンクリソースグラントを受信することと、
前記論理チャネル構成に基づいて、前記サイドリンクリソースグラントによって機能することになる、前記複数のサイドリンク論理チャネルのうち１つまたは複数のサイドリンク論理チャネルを選択することと、
前記選択した１つまたは複数のサイドリンク論理チャネルに関連付けられたデータを含むメディアアクセス制御（Medium  Access  Control：ＭＡＣ）プロトコルデータユニット（Protocol  Data  Unit：ＰＤＵ）を生成することと、
前記受信したサイドリンクリソースグラントを使用して、前記生成したＭＡＣ  ＰＤＵを送信することと、
を含む操作を実施させる、装置。
【請求項２】
前記１つまたは複数の構成パラメータは、論理チャネル優先順位付け（Logical  Channel  Prioritization：ＬＣＰ）制御パラメータを含む、請求項１に記載の装置。
【請求項３】
前記ネットワークノードは、ｇＮＢ、ＵＥまたは中継ノードを含む、請求項１に記載の装置。
【請求項４】
前記１つまたは複数のサイドリンク論理チャネルを選択することは、
前記サイドリンクリソースグラントのサービングセルは、前記選択される１つまたは複数のサイドリンク論理チャネルの許容サービングセルであることと、
前記サイドリンクリソースグラントのキャリア周波数は、前記選択される１つまたは複数のサイドリンク論理チャネルの許容キャリア周波数であることと、
前記サイドリンクリソースグラントに関連付けられたサブキャリア間隔（Subcarrier  Spacing：ＳＣＳ）は、前記選択される１つまたは複数のサイドリンク論理チャネルの許容サブキャリア間隔であることと、
前記サイドリンクリソースグラントに関連付けられた遅延は、前記選択される１つまたは複数のサイドリンク論理チャネルの許容遅延であることと、
前記サイドリンクリソースグラントに関連付けられたサイドリンク共有チャネル（Sidelink  Shared  Channel：ＳＬ−ＳＣＨ）時間長は、前記選択される１つまたは複数のサイドリンク論理チャネルの許容ＳＬ−ＳＣＨ時間長であることと、
前記サイドリンクリソースグラントのＳＬ−ＳＣＨ−Ｋ２時間長は、前記選択される１つまたは複数のサイドリンク論理チャネルの許容ＳＬ−ＳＣＨ−Ｋ２時間長であることと、
前記サイドリンクリソースグラントの無線アクセス技術（Radio  Access  Technology：ＲＡＴ）バージョンは、前記サイドリンクリソースグラントの許容ＲＡＴバージョンであることと、
前記サイドリンクリソースグラントに関連付けられた帯域幅パート（Bandwidth  Part：ＢＷＰ）は、前記論理チャネルの許容ＢＰであることと、
前記サイドリンクリソースグラントの送信プロファイルは、前記選択される１つまたは複数のサイドリンク論理チャネルの許容送信プロファイルであることと、
前記サイドリンクリソースグラントの送信モードは、前記選択される１つまたは複数のサイドリンク論理チャネルの許容送信モードであることと、
前記サイドリンクリソースグラントの送信範囲は、前記選択される１つまたは複数のサイドリンク論理チャネルの許容送信範囲であることと、
前記サイドリンクリソースグラントのリソース割り当てモードは、前記選択される１つまたは複数のサイドリンク論理チャネルの許容リソース割り当てモードであることと、
のうち少なくとも１つにさらに基づく、請求項１に記載の装置。
【請求項５】
前記１つまたは複数のＱｏＳパラメータは、ＰＣ５フロー識別子（PC5  QoS  Flow  Identifier：ＰＦＩ）、ＰＣ５  ＱｏＳプロファイル識別子（PC5  QoS  Identifier：ＰＱＩ）、ＰＦＩまたはＰＱＩに対する送信範囲、ＰＦＩまたはＰＱＩに対する送信モード、もしくは、１つまたは複数のＱｏＳ要件のうち少なくとも１つを含み、ここで、前記１つまたは複数のＱｏＳ要件は、優先順位要件、信頼性要件、遅延要件、範囲要件、送信モード要件、保証フロービットレート、最大フロービットレート、またはリソースタイプのうち少なくとも１つを含み、また、前記リソースタイプは、保証ビットレート（Guaranteed  Bit  Rate：ＧＢＲ）、遅延クリティカルＧＢＲ、または非ＧＢＲ、のうち少なくとも１つを含む、請求項１に記載の装置。
【請求項６】
前記１つまたは複数のＱｏＳパラメータは、前記装置に構成されるサービスまたはサイドリンク無線ベアラごとの支援ＱｏＳパラメータを含む、請求項５に記載の装置。
【請求項７】
前記１つまたは複数の構成パラメータは、サイドリンク論理チャネル（ＳＬ−ＬＣＨ）優先順位、ＳＬ−ＬＣＨ優先順位付けられたビットレート、ＳＬ−ＬＣＨバケットサイズ長、許容キャリア周波数のサイドリンク共有チャネル（ＳＬ−ＳＣＨ）リスト、許容ＳＣＳのＳＬ−ＬＣＨリスト、ＳＬ−ＬＣＨ許容最大遅延、ＳＬ−ＬＣＨ許容最大ＳＬ−ＳＣＨ時間長、ＳＬ−ＬＣＨ許容最大ＳＬ−ＳＣＨ  Ｋ２時間長、許容ＲＡＴバージョンのＳＬ−ＬＣＨリスト、許容帯域幅パート（ＢＷＰ）のＳＬ−ＬＣＨリスト、許容送信プロファイルのＳＬ−ＬＣＨリスト、ＳＬ−ＬＣＨ許容送信モード、ＳＬ−ＬＣＨ送信範囲、または許容送信リソース割り当てモードのＳＬ−ＬＣＨリスト、のうち少なくとも１つを含む、請求項１に記載の装置。
【請求項８】
前記受信されるサイドリンクリソースグラントは、スケジュールされたリソースグラントである、請求項１に記載の装置。
【請求項９】
前記受信されるサイドリンクリソースグラントは、構成されたリソースグラントである、請求項１に記載の装置。
【請求項１０】
前記受信されるサイドリンクリソースグラントは、それからサイドリンク送信リソースグラントを前記装置が自律的に選択する（事前）構成されたリソースグラントプールである、請求項１に記載の装置。
【請求項１１】
前記１つまたは複数のサイドリンク論理チャネルを選択することは、複数の送信宛先のうち１つまたは複数の送信宛先を選択することにさらに基づく、請求項４に記載の装置。
【請求項１２】
送信宛先は、送信に利用可能なデータを有する前記選択された１つまたは複数のサイドリンク論理チャネルの中から、最高優先順位の選択サイドリンク論理チャネルを有する宛先として選択される、請求項４に記載の装置。
【請求項１３】
送信宛先は、最も送信モード優先順位が高く、送信に利用可能なデータを伴う論理チャネルを有する送信宛先として選択される、請求項４に記載の装置。
【請求項１４】
前記メモリに記憶されたコンピュータ実行可能命令をさらに備え、前記コンピュータ実行可能命令は、前記装置の前記プロセッサによって実行されると、前記装置に、
前記サイドリンクリソースグラントに対して許容される１つまたは複数の送信モードを決定すること、
を含む操作をさらに実施させる、請求項１に記載の装置。
【請求項１５】
前記１つまたは複数の送信モードを決定することは、
前記サイドリンクリソースグラントに関連付けられた前記許容送信モードのインジケーションと、
物理層インジケーションと、
前記装置に構成された１つまたは複数のサイドリンク無線リソースと、
前記装置に構成された１つまたは複数のサイドリンクリソースプールと、
のうち少なくとも１つに基づく、請求項１４に記載の装置。
【請求項１６】
前記メモリに記憶されたコンピュータ実行可能命令をさらに備え、前記コンピュータ実行可能命令は、前記装置の前記プロセッサによって実行されると、前記装置に、
前記サイドリンクリソースグラントに関連付けられた許容送信範囲を決定すること、
を含む操作をさらに実施させる、請求項１に記載の装置。
【請求項１７】
前記許容送信範囲を決定することは、
前記サイドリンクリソースグラントに関連付けられた許容送信モードのインジケーションと、
物理層インジケーションと、
前記装置に構成された１つまたは複数のサイドリンク無線リソースと、
前記装置に構成された１つまたは複数のサイドリンクリソースプールと、
のうち少なくとも１つに基づく、請求項１６に記載の装置。
【請求項１８】
前記メモリに記憶されたコンピュータ実行可能命令をさらに備え、前記コンピュータ実行可能命令は、前記装置の前記プロセッサによって実行されると、前記装置に、
上りリンクリソースグラントを受信することと、
前記上りリンクグラントが前記サイドリンクグラントと時間的に重複すると判断することと、
前記上りリンクグラントが前記サイドリンクグラントと時間的に重複するという判断に基づいて、上りリンク送信に相対してサイドリンク送信の優先順位を決定することと、
を含む操作をさらに実施させる、請求項１に記載の装置。
【請求項１９】
前記上りリンク送信に相対して前記サイドリンク送信の優先順位を決定することは、
前記サイドリンク送信の優先順位を決定することと、
前記上りリンク送信の優先順位を決定することと、
前記サイドリンク送信の優先順位と前記上りリンク送信の優先順位のどちらがより高い送信優先順位を示すかを判断することと、
をさらに含む、請求項１８に記載の装置。
【請求項２０】
前記上りリンク送信に相対して前記サイドリンク送信の優先順位を決定することは、
サイドリンク送信優先順位付け閾値に相対する前記サイドリンク送信の優先順位が、前記上りリンク送信よりも前記サイドリンク送信の優先順位が高いことを示すかを判断することと、
前記サイドリンク送信の優先順位を決定することと、
前記上りリンク送信の優先順位を決定することと、
前記サイドリンク送信の優先順位と前記上りリンク送信の優先順位のどちらがより高い送信優先順位を示すかを判断することと、
をさらに含む、請求項１８に記載の装置。
【請求項２１】
前記上りリンク送信に相対して前記サイドリンク送信の優先順位を決定することは、前記上りリンク送信の優先順位が低くされ得ることを示す上りリンク優先順位付け閾値と、前記サイドリンクリソースグラントと上りリンクリソースグラントとが時間的に重複するときに、前記サイドリンクリソースグラントがより高い送信優先順位を有するかを示すサイドリンク優先順位付け閾値と、にさらに基づく、請求項１８に記載の装置。
【請求項２２】
前記上りリンク送信に相対して前記サイドリンク送信の優先順位を決定することは、
前記上りリンク送信の優先順位が低くされ得ることを示す上りリンク優先順位付け閾値と、
前記サイドリンク送信の優先順位が前記上りリンク送信よりも高くされ得ることを示すサイドリンク優先順位付け閾値と、
前記サイドリンク送信の優先順位を決定することと、
前記上りリンク送信の優先順位を決定することと、
前記サイドリンク送信の優先順位と前記上りリンク送信の優先順位のどちらがより高い送信優先順位を示すかを判断することと、
にさらに基づく、請求項１８に記載の装置。
【請求項２３】
ネットワークを介して装置に接続されたネットワークノードに、サイドリンク通信に関連付けられた１つまたは複数の支援パラメータを送信することであって、前記１つまたは複数の支援パラメータは、１つまたは複数のサービス品質（ＱｏＳ）パラメータを含む、ことと、
前記送信した支援情報の応答として、前記ネットワークノードから、サイドリンク通信に関連付けられた１つまたは複数の構成パラメータを受信することであって、前記１つまたは複数の構成パラメータは、論理チャネル構成、サイドリンク無線ベアラへのＱｏＳフローのマッピング、および前記装置の複数のサイドリンク論理チャネルのうち１つのサイドリンク論理チャネルへの前記サイドリンク無線ベアラのマッピングを含む、ことと、
サイドリンクリソースグラントを受信することと、
前記論理チャネル構成に基づいて、前記サイドリンクリソースグラントによって機能することになる、前記複数のサイドリンク論理チャネルのうち１つまたは複数のサイドリンク論理チャネルを選択することと、
前記選択した１つまたは複数のサイドリンク論理チャネルに関連付けられたデータを含むメディアアクセス制御（ＭＡＣ）プロトコルデータユニット（ＰＤＵ）を生成することと、
前記受信したサイドリンクリソースグラントを使用して、前記生成したＭＡＣ  ＰＤＵを送信することと、
を含む方法。
【請求項２４】
前記１つまたは複数の構成パラメータは、論理チャネル優先順位付け（ＬＣＰ）制御パラメータを含む、請求項２３に記載の方法。
【請求項２５】
前記ネットワークノードは、ｇＮＢ、ＵＥまたは中継ノードを含む、請求項２３に記載の方法。
【請求項２６】
前記１つまたは複数のサイドリンク論理チャネルを選択することは、
前記サイドリンクリソースグラントのサービングセルは、前記選択される１つまたは複数のサイドリンク論理チャネルの許容サービングセルであることと、
前記サイドリンクリソースグラントのキャリア周波数は、前記選択される１つまたは複数のサイドリンク論理チャネルの許容キャリア周波数であることと、
前記サイドリンクリソースグラントに関連付けられたサブキャリア間隔（ＳＣＳ）は、前記選択される１つまたは複数のサイドリンク論理チャネルの許容サブキャリア間隔であることと、
前記サイドリンクリソースグラントに関連付けられた遅延は、前記選択される１つまたは複数のサイドリンク論理チャネルの許容遅延であることと、
前記サイドリンクリソースグラントに関連付けられたサイドリンク共有チャネル（ＳＬ−ＳＣＨ）時間長は、前記選択される１つまたは複数のサイドリンク論理チャネルの許容ＳＬ−ＳＣＨ時間長であることと、
前記サイドリンクリソースグラントのＳＬ−ＳＣＨ−Ｋ２時間長は、前記選択される１つまたは複数のサイドリンク論理チャネルの許容ＳＬ−ＳＣＨ−Ｋ２時間長であることと、
前記サイドリンクリソースグラントの無線アクセス技術（ＲＡＴ）バージョンは、前記サイドリンクリソースグラントの許容ＲＡＴバージョンであることと、
前記サイドリンクリソースグラントに関連付けられた帯域幅パート（ＢＷＰ）は、前記論理チャネルの許容ＢＰであることと、
前記サイドリンクリソースグラントの送信プロファイルは、前記選択される１つまたは複数のサイドリンク論理チャネルの許容送信プロファイルであることと、
前記サイドリンクリソースグラントの送信モードは、前記選択される１つまたは複数のサイドリンク論理チャネルの許容送信モードであることと、
前記サイドリンクリソースグラントの送信範囲は、前記選択される１つまたは複数のサイドリンク論理チャネルの許容送信範囲であることと、
前記サイドリンクリソースグラントのリソース割り当てモードは、前記選択される１つまたは複数のサイドリンク論理チャネルの許容リソース割り当てモードであることと、
のうち少なくとも１つにさらに基づく、請求項２３に記載の方法。
【請求項２７】
前記１つまたは複数のＱｏＳパラメータは、ＰＣ５フロー識別子（ＰＦＩ）、ＰＣ５  ＱｏＳプロファイル識別子（ＰＱＩ）、ＰＦＩまたはＰＱＩに対する送信範囲、ＰＦＩまたはＰＱＩに対する送信モード、もしくは、１つまたは複数のＱｏＳ要件のうち少なくとも１つを含み、ここで、前記１つまたは複数のＱｏＳ要件は、優先順位要件、信頼性要件、遅延要件、範囲要件、送信モード要件、保証フロービットレート、最大フロービットレート、またはリソースタイプのうち少なくとも１つを含み、また、前記リソースタイプは、保証ビットレート（ＧＢＲ）、遅延クリティカルＧＢＲ、または非ＧＢＲのうち少なくとも１つを含む、請求項２３に記載の方法。
【請求項２８】
前記１つまたは複数のＱｏＳパラメータは、前記装置に構成されるサービスまたはサイドリンク無線ベアラごとの支援ＱｏＳパラメータを含む、請求項２６に記載の方法。
【請求項２９】
前記１つまたは複数の構成パラメータは、サイドリンク論理チャネル（ＳＬ−ＬＣＨ）優先順位、ＳＬ−ＬＣＨ優先順位付けられたビットレート、ＳＬ−ＬＣＨバケットサイズ長、許容キャリア周波数のサイドリンク共有チャネル（ＳＬ−ＳＣＨ）リスト、許容ＳＣＳのＳＬ−ＬＣＨリスト、ＳＬ−ＬＣＨ許容最大遅延、ＳＬ−ＬＣＨ許容最大ＳＬ−ＳＣＨ時間長、ＳＬ−ＬＣＨ許容最大ＳＬ−ＳＣＨ  Ｋ２時間長、許容ＲＡＴバージョンのＳＬ−ＬＣＨリスト、許容帯域幅パート（ＢＷＰ）のＳＬ−ＬＣＨリスト、許容送信プロファイルのＳＬ−ＬＣＨリスト、ＳＬ−ＬＣＨ許容送信モード、ＳＬ−ＬＣＨ送信範囲、または許容送信リソース割り当てモードのＳＬ−ＬＣＨリスト、のうち少なくとも１つを含む、請求項２３に記載の方法。
【請求項３０】
前記受信されるサイドリンクリソースグラントは、スケジュールされたリソースグラントである、請求項２３に記載の方法。
【請求項３１】
前記受信されるサイドリンクリソースグラントは、構成されたリソースグラントである、請求項２３に記載の方法。
【請求項３２】
前記受信されるサイドリンクリソースグラントは、それからサイドリンク送信リソースグラントを前記装置が自律的に選択する（事前）構成されたリソースグラントプールである、請求項２３に記載の方法。
【請求項３３】
前記１つまたは複数のサイドリンク論理チャネルを選択することは、複数の送信宛先のうち１つまたは複数の送信宛先を選択することにさらに基づく、請求項２６に記載の方法。
【請求項３４】
送信宛先は、送信に利用可能なデータを有する前記選択された１つまたは複数のサイドリンク論理チャネルの中から、最高優先順位の選択サイドリンク論理チャネルを有する宛先として選択される、請求項２６に記載の方法。
【請求項３５】
送信宛先は、最も送信モード優先順位が高く、送信に利用可能なデータを伴う論理チャネルを有する送信宛先として選択される、請求項２６に記載の方法。
【請求項３６】
前記装置の前記メモリに記憶されたコンピュータ実行可能命令をさらに含み、前記コンピュータ実行可能命令は、前記装置の前記プロセッサによって実行されると、前記装置に、
前記サイドリンクリソースグラントに対して許容される１つまたは複数の送信モードを決定すること、
を含む操作をさらに実施させる、請求項２３に記載の方法。
【請求項３７】
前記１つまたは複数の送信モードを決定することは、
前記サイドリンクリソースグラントに関連付けられた前記許容送信モードのインジケーションと、
物理層インジケーションと、
前記装置に構成された１つまたは複数のサイドリンク無線リソースと、
前記装置に構成された１つまたは複数のサイドリンクリソースプールと、
のうち少なくとも１つに基づく、請求項３６に記載の方法。
【請求項３８】
前記装置の前記メモリに記憶されたコンピュータ実行可能命令をさらに含み、前記コンピュータ実行可能命令は、前記装置の前記プロセッサによって実行されると、前記装置に、
前記サイドリンクリソースグラントに関連付けられた許容送信範囲を決定すること、
を含む操作をさらに実施させる、請求項２３に記載の方法。
【請求項３９】
前記許容送信範囲を決定することは、
前記サイドリンクリソースグラントに関連付けられた許容送信モードのインジケーションと、
物理層インジケーションと、
前記装置に構成された１つまたは複数のサイドリンク無線リソースと、
前記装置に構成された１つまたは複数のサイドリンクリソースプールと、
のうち少なくとも１つに基づく、請求項３８に記載の方法。
【請求項４０】
前記装置の前記メモリに記憶されたコンピュータ実行可能命令をさらに含み、前記コンピュータ実行可能命令は、前記装置の前記プロセッサによって実行されると、前記装置に、
上りリンクリソースグラントを受信することと、
前記上りリンクグラントが前記サイドリンクグラントと時間的に重複すると判断することと、
前記上りリンクグラントが前記サイドリンクグラントと時間的に重複するという判断に基づいて、上りリンク送信に相対してサイドリンク送信の優先順位を決定することと、
を含む操作をさらに実施させる、請求項２３に記載の方法。
【請求項４１】
前記上りリンク送信に相対して前記サイドリンク送信の優先順位を決定することは、
前記サイドリンク送信の優先順位を決定することと、
前記上りリンク送信の優先順位を決定することと、
前記サイドリンク送信の優先順位と前記上りリンク送信の優先順位のどちらがより高い送信優先順位を示すかを判断することと、
をさらに含む、請求項４０に記載の方法。
【請求項４２】
前記上りリンク送信に相対して前記サイドリンク送信の優先順位を決定することは、
サイドリンク送信優先順位付け閾値に相対する前記サイドリンク送信の優先順位が、前記上りリンク送信よりも前記サイドリンク送信の優先順位が高いことを示すかを判断することと、
前記サイドリンク送信の優先順位を決定することと、
前記上りリンク送信の優先順位を決定することと、
前記サイドリンク送信の優先順位と前記上りリンク送信の優先順位のどちらがより高い送信優先順位を示すかを判断することと、
をさらに含む、請求項４０に記載の方法。
【請求項４３】
前記上りリンク送信に相対して前記サイドリンク送信の優先順位を決定することは、前記上りリンク送信の優先順位が低くされ得ることを示す上りリンク優先順位付け閾値と、前記サイドリンクリソースグラントと上りリンクリソースグラントとが時間的に重複するときに、前記サイドリンクリソースグラントがより高い送信優先順位を有するかを示すサイドリンク優先順位付け閾値と、にさらに基づく、請求項４０に記載の方法。
【請求項４４】
前記上りリンク送信に相対して前記サイドリンク送信の優先順位を決定することは、
前記上りリンク送信の優先順位が低くされ得ることを示す上りリンク優先順位付け閾値と、
前記サイドリンク送信の優先順位が前記上りリンク送信よりも高くされ得ることを示すサイドリンク優先順位付け閾値と、
前記サイドリンク送信の優先順位を決定することと、
前記上りリンク送信の優先順位を決定することと、
前記サイドリンク送信の優先順位と前記上りリンク送信の優先順位のどちらがより高い送信優先順位を示すかを判断することと、
にさらに基づく、請求項４０に記載の方法。
【発明の詳細な説明】
【技術分野】
【０００１】
（関連出願の相互参照）
本出願は、２０１８年６月２８日に出願された米国仮特許出願番号６２／６９１，３０２および２０１９年５月１日に出願された米国仮特許出願番号６２／８４１，５３６の優先権を主張し、それらの内容が全体として本明細書に参照により援用される。
【背景技術】
【０００２】
ビークルツーＸ通信（Vehicle-To-X  Communication：Ｖ２Ｘ）アプリケーションの進歩に伴い、より多くのリソースを必要とするユースケースがサポートされるようになった。例えば、ショートメッセージの送信は、未処理センサデータ、車両の意図データ、将来の操縦の調整および確認などを含む、より大規模なメッセージの送信により補完される可能性がある。これらのアプリケーションに対して予想されるデータレート、信頼性、遅延、通信範囲、および速度要件は、従来のシステムよりも、さらに強く要求される場合がある。例えば、最新のＶ２Ｘアプリケーションのスループットは、ＬＴＥ  Ｖ２Ｘ基本安全性アプリケーションのスループットよりも１００倍高くなることが予想されている。しかし、Ｖ２Ｘで使用されるような、サイドリンクデータ送信に対する従来のＬＴＥ  Ｖ２Ｘ論理チャネル優先順位付け（Logical  Channel  Prioritization：ＬＣＰ）プロシージャには、最新のＶ２Ｘアプリケーションの要件を満たすためには、課題となるいくつかの制限事項がある。
【０００３】
したがって、新無線（New  Radio：ＮＲ）システムで使用する最新のＶ２Ｘアプリケーションに対するＬＣＰプロシージャ、およびサイドリンク送信と上りリンク（Uplink：ＵＬ）送信とを優先順位付けする規則が必要とされる。
【発明の概要】
【０００４】
本概要は、下記にさらに記載される発明を実施するための形態を簡略化した形式で、概念の選択を紹介するために提示されるものである。本概要は、請求される主題の主要な特徴または実質的な特徴を特定したり、あるいは請求される主題の範囲を限定したりするために使用されることを意図していない。さらに、請求される主題は、本開示のいずれかの部分に記載される、いずれかのまたは全ての不利点を解決するといった制限にも限定されない。
【０００５】
サイドリンク通信の送信を優先するための方法および装置について、本明細書に記載する。一例示的実施形態によれば、装置は、ビークルツーＸ通信（Ｖ２Ｘ）構成パラメータに関連付けられた構成を受信してもよい。装置は、ネットワークからサイドリンクグラントを受信してもよい。装置は、サイドリンクグラントによって機能することになる複数の論理チャネルを選択してもよい。装置は、選択した複数の論理チャネルの中で最高優先順位の論理チャネルに関連付けられた近接度ベースサービス（Proximity-based  Service：ＰｒｏＳｅ）宛先を選択してもよい。装置は、選択した複数の論理チャネルの中で最高優先順位の論理チャネルを介して、ＰｒｏＳｅ宛先に送信してもよい。無線通信デバイスは、無線リソースグラントに関連付けられる送信パラメータを決定してもよい。
【０００６】
一例示的実施形態によれば、装置は、ネットワークを介して、装置に接続されたネットワークノードに、サイドリンク通信に関連付けられた１つまたは複数の支援パラメータを送信してもよく、この際、１つまたは複数の支援パラメータは、１つまたは複数のサービス品質（Quality  of  Service：ＱｏＳ）パラメータを含む。装置は、ネットワークノードから、サイドリンク通信に関連付けられた１つまたは複数の構成パラメータを受信してもよく、この際、１つまたは複数の構成パラメータは、論理チャネル構成、サイドリンク無線ベアラへのＱｏＳパラメータのマッピング、および装置の複数のサイドリンク論理チャネルのうち１つのサイドリンク論理チャネルへのサイドリンク無線ベアラのマッピングを含む。装置は、サイドリンクリソースグラントを受信してもよい。装置は、論理チャネル構成に基づいて、サイドリンクグラントによって機能することになる、複数のサイドリンク論理チャネルのうち１つまたは複数のサイドリンク論理チャネルを選択してもよい。装置は、選択した１つまたは複数のサイドリンク論理チャネルに関連付けられたデータを含むメディアアクセス制御（Medium  Access  Control：ＭＡＣ）プロトコルデータユニット（Protocol  Data  Unit：ＰＤＵ）を生成してもよい。装置は、受信したサイドリンクリソースグラントを使用して、生成したＭＡＣ  ＰＤＵを送信してもよい。
【０００７】
（図面の簡単な説明）
前述の要約および後述の発明を実施するための形態は、添付図面と共に読むことでより良く理解される。本開示を例示するために、本開示の様々な態様が示される。しかし、本開示は、論じられる特定の態様に限定されない。
【図面の簡単な説明】
【０００８】
【図１】図１は、５Ｇ  ｅＶ２Ｘ要件対ＬＴＥ  Ｖ２Ｖ  Ｒ１４要件の概要の図である。
【図２】図２は、ＰＣ５およびＬＴＥ−ＵｕベースＶ２Ｘ通信向けの非ローミングアーキテクチャのハイレベル図である。
【図３】図３は、ＰＣ５通信を通したＬＴＥ  Ｖ２Ｘ管理オブジェクトの図である。
【図４】図４は、地理的エリア（Geographical  Area：ＧＡ）管理オブジェクトの図である。
【図５】図５は、偶数ＮのサイドリンクＢＳＲおよび短縮（ｔｒｕｎｃａｔｅｄ）サイドリンクＢＳＲ  ＭＡＣ制御エレメントの図である。
【図６】図６は、奇数ＮのサイドリンクＢＳＲおよび短縮サイドリンクＢＳＲ  ＭＡＣ制御エレメントの図である。
【図７】図７は、双方が完全に重複するグラントであり、最初の許容送信開始点が同じであるが、２つのグラントの時間長は異なるケースの図である。
【図８】図８は、双方が完全に重複するグラントであり、最後の許容送信終了点が同じであるが、２つのグラントの時間長は異なるケースの図である。
【図９】図９は、各グラントの時間長が異なり、部分的に重複し、それぞれのグラントの最初の許容送信開始点と最後の許容送信終了点が異なるケースの図である。
【図１０】図１０は、各グラントの時間長が異なり、部分的に重複し、それぞれのグラントの最初の許容送信開始点と最後の許容送信終了点が異なるケースの図である。
【図１１】図１１は、各グラントの時間長が異なり、完全に重複し、それぞれのグラントの最初の許容送信開始点と最後の許容送信終了点が異なるケースの図である。
【図１２】図１２は、ＰＣ５通信を通したＮＲ基本Ｖ２Ｘ管理オブジェクトの図である。
【図１３】図１３は、ＰＣ５通信を通したＮＲ拡張Ｖ２Ｘ管理オブジェクトの図である。
【図１４】図１４は、ＵＥ内のＶ２Ｘ構成パラメータのプロビジョニングの図である。
【図１５】図１５は、ＮＲ  Ｖ２Ｘ論理チャネル優先順位付けプロシージャのハイレベル図である。
【図１６】図１６は、Ｖ２Ｘ構成パラメータを用いてＭＡＣを構成するためのプロシージャの図である。
【図１７】図１７は、単一送信チェーンのケースでの送信宛先選択のためのプロシージャの図である。
【図１８】図１８は、複数送信チェーンのケースでの送信宛先選択のためのプロシージャの図である。
【図１９】図１９は、ＮＲ  Ｖ２Ｘサイドリンク論理チャネル優先順位付けプロシージャ中の、一例示的リソース割り当てプロシージャの図である。
【図２０】図２０は、ＮＲ  Ｖ２Ｘサイドリンク論理チャネル優先順位付けプロシージャ中の、別の例示的リソース割り当てプロシージャの図である。
【図２１】図２１は、ＮＲ  Ｖ２Ｘサイドリンク論理チャネル優先順位付けプロシージャ中の、別の例示的リソース割り当てプロシージャの図である。
【図２２Ａ】図２２Ａは、本明細書で説明および請求される方法および装置がその中で具現化される場合がある例示的通信システムの一実施形態を示す図である。
【図２２Ｂ】図２２Ｂは、本明細書に図示される実施形態による無線通信のために構成される例示的装置またはデバイスのブロック図である。
【図２２Ｃ】図２２Ｃは、一実施形態によるＲＡＮおよびコアネットワークのシステム図である。
【図２２Ｄ】図２２Ｄは、一実施形態によるＲＡＮおよびコアネットワークのシステム図である。
【図２２Ｅ】図２２Ｅは、一実施形態によるＲＡＮおよびコアネットワークのシステム図である。
【図２２Ｆ】図２２Ｆは、図２２Ａ、図２２Ｃ、図２２Ｄおよび図２２Ｅに示される通信ネットワークの１つまたは複数の装置がその中で具現化される場合がある例示的コンピューティングシステムのブロック図である。
【図２２Ｇ】図２２Ｇは、本明細書で説明および請求される方法および装置がその中で具現化される場合がある例示的通信システム１１１の一実施形態を図示する。
【発明を実施するための形態】
【０００９】
上りリンク（ＵＬ）送信よりもＶ２Ｘサイドリンク通信の送信を優先するための方法および装置について、本明細書に記載する。拡張されたＶ２Ｘ管理オブジェクト（Management  Object：ＭＯ）について、本明細書に記載するが、これは、ユーザ端末（User  Equipment：ＵＥ）にＶ２Ｘ構成パラメータをプロビジョニングするために使用することができるものである。（１）サイドリンク論理チャネル優先順位付け（ＬＣＰ）を実施することと、（２）ＳＬ関連送信の影響に対処するＵＬデータＬＣＰを実施することと、（３）ＵＬトラフィックに対するＶ２Ｘトラフィック優先順位が動的に変化するシナリオ向けに、ＵＬ送信に対するＶ２Ｘサイドリンク通信の送信の優先順位を決定することと、のための方法について、本明細書に記載する。本明細書に記載される実施形態では、用語「Ｖ２Ｘサービス」、「Ｖ２Ｘメッセージ」または「Ｖ２Ｘアプリケーションデータパケット」は、同じ意味で用いられる場合がある。
【００１０】
本明細書に記載される技法は、ＬＴＥ  Ｖ２Ｘよりも多様、かつ過酷な新無線（ＮＲ）Ｖ２Ｘ（ビークルツーＸ通信）要件に鑑みて、サイドリンクＬＣＰの問題を解決する。これらの技法は、ＳＬ送信とＵＬ送信との間の相対的な優先順位とは対照的に、従来のシステムにおけるこのような優先順位付けが、ＵＥに構成される絶対的なサイドリンクＬＣＨ優先順位付けに基づくものであるという事実を考慮に入れて、Ｕｕインターフェースを通したサイドリンク送信と上りリンク送信との間のＵＥ間優先順位付けの問題を解決する。
【００１１】
本明細書中で以下の略語および定義を使用する場合がある。
3GPP＝3rd  Generation  Partnership  Project（第３世代パートナーシッププロジェクト）
AS＝Access  Stratum（アクセス層）
BSD＝Bucket  Size  Duration（バケットサイズ長）
BSR＝Buffer  Status  Report（バッファステータスレポート）
BWP＝Bandwidth  Part（帯域幅パート）
CE＝Control  Element（制御エレメント）
C-RNTI＝Cell  Radio  Network  Temporary  Identifier（セル無線ネットワーク一時識別子）
DPR＝Data  Volume  and  Power  Headroom  Report（データボリューム・電力ヘッドルーム報告）
eNB＝Evolved  Node  B（発展型ノードＢ）
eV2X＝Enhanced  Vehicle-to-X  Communication（拡張ビークルツーＸ通信）
eMBB＝enhanced  Mobile  Broadband（高度化モバイルブロードバンド）
E-UTRAN＝Evolved  UMTS  Terrestrial  Radio  Access  Network（発展型ＵＭＴＳ地上無線アクセスネットワーク）
GA＝Geographical  Area（地理的エリア）
gNB＝NR  NodeB（ＮＲノードＢ）
HARQ＝Hybrid  Automatic  Repeat  Request（ハイブリッド自動再送要求）
HSS＝Home  Subscriber  Server（ホーム加入者サーバ）
ITS＝Intelligent  Transport  System（高度道路交通システム）
ITS-AID＝ITS  Application  Identifier（ＩＴＳアプリケーション識別子）
LCG＝Logical  Channel  Group（論理チャネルグループ）
LCH＝Logical  Channel（論理チャネル）
LCID＝Logical  Channel  Identity（論理チャネル識別情報）
LCP＝Logical  Channel  Prioritization（論理チャネル優先順位付け）
LTE＝Long  Term  Evolution（ロングタームエボリューション）
MAC＝Medium  Access  Control（メディアアクセス制御）
MME＝Mobility  Management  Entity（モビリティ管理エンティティ）
mMTC＝massive  Machine  Type  Communication（大規模マシンタイプ通信）
MO＝Management  Object（管理オブジェクト）
NR＝New  Radio（新無線）
PBR＝Prioritized  Bit  Rate（優先ビットレート）
PDB＝Packet  Delay  Budget（パケット遅延バジェット）
PDCP＝Packet  Data  Convergence  Protocol（パケットデータコンバージェンスプロトコル）
PDN＝Packet  Data  Network（パケットデータネットワーク）
PDU＝Protocol  Data  Unit（プロトコルデータユニット）
P-GW＝PDN  Gateway（ＰＤＮゲートウェイ）
PHR＝Power  Headroom  Report（パワーヘッドルーム報告）
PLMN＝Public  Land  Mobile  Network（公衆陸上移動体ネットワーク）
PPPP＝ProSe  Per  Packet  Priority（ＰｒｏＳｅ毎パケット優先度）
PPPR＝ProSe  Per  Packet  Reliability（ＰｒｏＳｅ毎パケット信頼度）
ProSe＝Proximity-Based  Services（近接度ベースサービス）
PSID＝Provider  Service  Identifier（プロバイダサービス識別子）
PUCCH＝Physical  Uplink  Control  Channel（物理上りリンク制御チャネル）
SC＝sidelink  Control（サイドリンク制御）
SCS＝SubCarrier  Spacing（サブキャリア間隔）
SCI＝sidelink  Control  Information（サイドリンク制御情報）
S-GW＝Serving  Gateway（サービングゲートウェイ）
SL＝sidelink（サイドリンク）
SPS＝Semi-Persistent  Scheduling（半永続スケジューリング）
SR＝Scheduling  Request（スケジューリング要求）
RAN＝Radio  Access  Network（無線アクセスネットワーク）
RAT＝Radio  Access  Technology（無線アクセス技術）
RLC＝Radio  Link  Control（無線リンク制御）
RNTI＝Radio  Network  Temporary  Identifier（無線ネットワーク一時識別子）
RRC＝Radio  Resource  Control（無線リソース制御）
SL-SCH＝sidelink  Shared  Channel（サイドリンク共有チャネル）
TTI＝Transmission  Time  Interval（送信時間間隔）
UE＝User  Equipment（ユーザ端末）
UL＝Uplink（上りリンク）
UL-CCCH＝Uplink  Common  Control  Channel（上りリンク共通制御チャネル）
UMTS＝Universal  Mobile  Telecommunications  System（ユニバーサル移動体通信システム）
URLLC＝Ultra-Reliable  and  Low  Latency  Communications（超高信頼低遅延通信）
USIM＝Universal  Subscriber  Identify  Module（汎用加入者識別モジュール）
V2I＝Vehicle-to-Infrastructure  Communication（ビークルツーインフラストラクチャ通信）
V2N＝Vehicle-to-Network  Communication（ビークルツーネットワーク通信）
V2P＝Vehicle-to-Pedestrian  Communication（ビークルツーペデストリアン通信）
V2V＝Vehicle-to-Vehicle  Communication（ビークルツービークル通信）
V2X＝Vehicle-to-X  Communication（ビークルツーＸ通信）
【００１２】
ＮＲ  Ｖ２Ｘユースケースおよび要件は、本明細書に記載される技法によって対処される。ＳＡ１は、自動車産業において望まれる新しいアプリケーションを考慮に入れた最新のＶ２Ｘサービスに関して非常に多くのユースケースを明確化している。最新のＶ２Ｘサービスに関するこれらのユースケースは、下記の通り、車両隊列走行、拡張センサ、先進運転、および遠隔運転などの最新の４つのユースケースに分類することができる。
【００１３】
車両隊列走行は、各車両が一緒になって走行する隊列を動的に形成することを可能にする。隊列走行中の各車両は、この隊列走行を管理している先導車両から情報を取得する。この情報は、各車両が、同じ方向に進み、かつ一緒に走行するように調整されて、通常よりも近接して運転することを可能にする場合がある。
【００１４】
拡張センサは、車両、道路サイトユニット、歩行者のデバイス、およびＶ２Ｘアプリケーションサーバ間のローカルセンサまたはライブ動画イメージを通して収集された未処置または処理済みデータの変換を可能にする。車両は、それら自体のセンサが検出することができる範囲を超えて、それらの周囲の状況の認識を向上させ、その場所の状況のより広範かつ全体的な概観を可能にすることができる。高データレートは、拡張センサユースケースグループの特徴の１つである。
【００１５】
先進運転は、準自動または完全自動運転を可能にする。各車両および／またはＲＳＵは、そのローカルセンサから取得したそれ自体の認識データを、近接する車両と共有する場合があり、それにより、各車両がそれらの経路または操縦を同期および調整することが可能になる。同様に、各車両は、その運転意図を近接の車両と共有する場合もある。
【００１６】
遠隔運転は、危険な状況にある乗客自身または遠隔車両によって運転することができない乗客のために、遠隔運転者またはＶ２Ｘアプリケーションが遠隔車両を操作することを可能にする。公共交通機関のケースのように、変形形態に制限があり、かつルートが予測可能な場合、クラウドコンピューティングに基づいた運転が使用される場合がある。高信頼かつ低遅延は、遠隔運転ユースケースグループの主要要件である。
【００１７】
図１は、５Ｇ  ｅＶ２Ｘ要件対ＬＴＥ  Ｖ２Ｖ  Ｒ１４要件の全体像５０を示す。５Ｇ  ｅＶ２Ｘのターゲットデータレート５１は、例えば、ＬＴＥ  Ｖ２Ｖ  Ｒｅｌ−１４のデータレートの１から１０Ｍｂｐｓの範囲よりも約１００倍高い、１Ｇｂｐｓ以上である。同様に、５Ｇ  ｅＶ２Ｘのターゲットエンドツーエンド遅延５２は、例えば、ＬＴＥ  Ｒｅｌ−１４  Ｖ２Ｖの２０から１００ｍｓの範囲よりも５から２０倍低い、３から５ｍｓの範囲の遅延低減である。５Ｇ  ｅＶ２Ｘのターゲット通信範囲５３は、例えば、ＬＴＥ  Ｒｅｌ−１４  Ｖ２Ｘの１００から３２０ｍの範囲よりも２から３倍広い、１０００ｍ以上の広範な通信範囲である。５Ｇ  ｅＶ２Ｘ位置調整のターゲット精度５４は、例えば、ＬＴＥ  Ｒｅｌ−１４  Ｖ２Ｘの５から１５ｍの範囲よりも１０倍高い、０．１から０．５ｍの範囲の向上した精度である。同様に、５Ｇ  ｅＶ２Ｘのターゲットモビリティ相対速度５５は、例えば、ＬＴＥ  Ｒｅｌ−１４  Ｖ２Ｖの２８０ｋｍ／ｈよりも２倍高い、５５０ｋｍ／ｈの増加したターゲット相対速度である。同様に、５Ｇ  ｅＶ２Ｘのターゲット信頼性５６は、例えば、ＬＴＥ  ｒｅｌ−１４  Ｖ２Ｖの９０％よりも１０００倍高い、９９．９９％以上の、向上した信頼性要件である。
【００１８】
図２は、ＰＣ５およびＬＴＥ−ＵｕベースＶ２Ｘ通信向けの非ローミングアーキテクチャ２００を示す。Ｖ２Ｘ制御機能２０１は、Ｖ２Ｘで必要とされるネットワーク関連動作に使用されることがある論理機能である。Ｖ２Ｘ制御機能２０１は、Ｖ２参照点２１７を介して、Ｖ２Ｘアプリケーションサーバ２０２と通信する場合がある。Ｖ２Ｘ制御機能２０１は、Ｖ２Ｘ通信を使用するために、必要なパラメータ（例えば、宛先の層２  ＩＤ、無線リソースパラメータ、Ｖ２Ｘアプリケーションサーバ２０２アドレス情報、サービスタイプとＶ２Ｘ周波数との間のマッピング）を用いてＵＥ（例えばＵＥ２０５ａ、ＵＥ２０５ｂ、ＵＥ２０５ｃまたはＵＥ２０５ｄ）をプロビジョニングするために使用される場合がある。これらのパラメータは、ＵＥに事前構成されるか、またはカバレッジ内の場合、ホーム公衆陸上移動網（Home  Public  Land  Mobile  Network：ＨＰＬＭＮ）内のＶ２Ｘ制御機能２０１からＶ３参照点２１０を通してシグナリングすることによってプロビジョニングされる場合がある。ＵＥは、Ｖ３参照点２１０を通してＶ２Ｘ制御情報をＶ２Ｘ制御機能２０１と交換する場合がある。Ｖ２Ｘアプリケーション（例えば、Ｖ２Ｘアプリケーション２０４ａ、Ｖ２Ｘアプリケーション２０４ｂ、Ｖ２Ｘアプリケーション２０４ｃまたはＶ２Ｘアプリケーション）は、各ＵＥ（例えば、それぞれ、ＵＥ２０５ａ、ＵＥ２０５ｂ、ＵＥ２０５ｃまたはＵＥ２０５ｄ）に関連付けられる場合がある。各Ｖ２Ｘアプリケーションは、Ｖ５参照点２１２を介して通信する場合がある。Ｖ２Ｘアプリケーションは、Ｖ１参照点２１９を介して、Ｖ２Ｘアプリケーションサーバ２０２と通信する場合がある。
【００１９】
ＵＥ（例えば、ＵＥ２０５ａ、ＵＥ２０５ｂ、ＵＥ２０５ｃまたはＵＥ２０５ｄ）は、ＬＴＥ−Ｕｕインターフェース２１３を介して、発展型ＵＭＴＳ地上無線アクセスネットワーク（ＥＵＴＲＡＮ）２０６と通信する場合がある。Ｅ−ＵＴＲＡＮ２０６は、Ｓ１インターフェース２１４を介して、モビリティ管理エンティティ（ＭＭＥ）２０７にアクセスする場合がある。Ｖ２Ｘ制御機能２０１は、Ｖ４参照点２１８を介して、ホーム加入者サーバ（ＨＳＳ）２０９にアクセスする場合がある。ＭＭＥ２０７は、Ｓ６ａ参照点２１５を介して、ＨＳＳ２０９にアクセスする場合がある。Ｖ２Ｘアプリケーションサーバ２０２は、ＳＧｉ参照点２１６を介して、ＰＤＮゲートウェイまたはサービングゲートウェイ（PDN  Gateway  or  Serving  Gateway：Ｓ／Ｐ−ＧＷ）２０８にアクセスする場合がある。
【００２０】
ＰＣ５  ２１１がＶ２Ｘメッセージの送信のために使用されるときに、ネットワークスケジュール型操作モード（例えばモード３）およびＵＥ自律的リソース選択モード（例えばモード４）の両方で、以下の原理が用いられる場合がある。
・ＰｒｏＳｅパケットごと優先順位（ＰＰＰＰ）は、ＰＣ５  ２１１を通してＶ２Ｘ通信に適用できる。
・アプリケーション層は、送信のために下位層に送るときに、Ｖ２ＸメッセージごとにＰＰＰＰを設定できる。
・ＰＰＰＰへのアプリケーション層Ｖ２Ｘメッセージ優先順位のマッピングは、ＵＥに構成されてよい。
・ＰＰＰＰ値の設定は、ＵＥと、発展型ノードＢ（ｅＮＢ）との両方で必要とされる遅延を反映する場合があり、例えば、低パケット遅延バジェット（ＰＤＢ）が、高優先順位ＰＰＰＰ値にマップされてよい。
・Ｖ２ＸサービスタイプとＶ２Ｘ周波数との間のマッピング。
・宛先の層２  ＩＤと、Ｖ２Ｘサービス、例えばＶ２Ｘアプリケーション（例えば、Ｖ２Ｘアプリケーション２０４ａ、Ｖ２Ｘアプリケーション２０４ｂ、Ｖ２Ｘアプリケーション２０４ｃまたはＶ２Ｘアプリケーション２０４ｄ）のＰＳＩＤまたはＩＴＳ−ＡＩＤとのマッピング。
・パケット遅延バジェットへのＰＰＰＰのマッピング。
【００２１】
ネットワークスケジュール型操作モードが使用されるときに、以下の原理が適用される場合がある。
・ＵＥは、リソース要求でＰＰＰＰ反映優先順位情報をｅＮＢに提供できる。
・ｅＮＢは、ＵＥからＰＣ５リソースに対する要求を受信すると、ｅＮＢは、ＵＥからのＰＰＰＰ反映優先順位情報から、パケット遅延バジェットを推断できる。
・ｅＮＢは、優先順位ハンドリングのために、ＰＰＰＰ反映優先順位情報を使用し、かつリソース管理においてＵＥ  ＰＣ５送信をキャッピングするためにＵＥ−ＰＣ５−ＡＭＢＲを使用できる。
・ＵＥは、リソース要求でＶ２Ｘサービスの宛先の層２  ＩＤを、ｅＮＢに提供できる。
・ｅＮＢは、ＵＥからＰＣ５リソースに対する要求を受信すると、ｅＮＢは、Ｖ２ＸサービスがスケジュールされることになるＶ２Ｘ周波数を決定できる。
【００２２】
自律的リソース選択モードが使用される場合、以下の追加の原理が適用される。
・ＵＥは、プロビジョニングされたマッピング情報に基づいて、ＰＰＰＰから、Ｖ２Ｘメッセージのパケット遅延バジェットを導出することができる。
・ＵＥは、Ｖ２ＸサービスタイプとＶ２Ｘ周波数との間のマッピングから、Ｖ２Ｘサービスが送信されることになる周波数を導出することができる。
【００２３】
図３は、ＬＴＥ  Ｖ２Ｘ通信プロビジョニングでのＰＣ５を通したＶ２Ｘ通信向けのＰＣ５通信を通したＬＴＥ  Ｖ２Ｘ  ＭＯ３００の形態の構成パラメータを示す。
【００２４】
図４は、地理的エリア（ＧＡ）ＭＯ４００の形態の構成パラメータを示す。
【００２５】
サイドリンクＨＡＲＱ操作の場合、ＳＬ−ＳＣＨでの送信向けに、いくつかの並列するサイドリンク処理を継続することがあるメディアアクセス制御（ＭＡＣ）エンティティに１つのサイドリンクＨＡＲＱエンティティがある場合がある。例えば、Ｖ２Ｘサイドリンク通信の場合、サイドリンクＨＡＲＱエンティティに関連付けられる送信サイドリンク処理の最大数は８である場合がある。
【００２６】
サイドリンク処理は、複数のＭＡＣ  ＰＤＵの送信向けに構成される場合がある。例えば、複数のＭＡＣ  ＰＤＵの送信の場合、サイドリンクＨＡＲＱエンティティを用いる送信サイドリンク処理の最大数は２である場合がある。供給され、かつ構成されるサイドリンクグラント、およびその関連するＨＡＲＱ情報は、サイドリンク処理に関連付けられる場合があり、そのサイドリンク処理は、ＨＡＲＱバッファに関連付けられる場合があるものである。サイドリンク処理が、Ｖ２Ｘサイドリンク通信向けに複数のＭＡＣ  ＰＤＵの送信を実施するように構成される場合、処理は、カウンタSL_RESOURCE_RESELECTION_COUNTERを保持する場合がある。サイドリンク処理の他の構成の場合、このカウンタは、利用できない場合もある。
【００２７】
Ｖ２Ｘサイドリンク通信の送信は、以下の条件を満たす場合、ＵＬ送信よりも優先される場合がある。
・ＭＡＣエンティティが、ＵＬ送信とＶ２Ｘサイドリンク送信とを同時に実施することができない場合。
・ＵＬ送信が、上位層によって優先されない場合。
・ＭＡＣ  ＰＤＵ内のサイドリンク論理チャネルの最高優先順位の値が、thresSL-TxPrioritizationよりも小さい場合。
【００２８】
ＵＥは、複数の論理チャネルを確立する場合がある。ＭＡＣサブヘッダ内に含まれる論理チャネル識別情報（ＬＣＩＤ）により、１つの発信元の層２  ＩＤと、宛先の層２  ＩＤの組み合わせの範囲内の論理チャネルを識別することができる。ＬＣＰ向けのパラメータは、構成されない場合がある。アクセス層（ＡＳ）は、上位層によって、ＰＣ５インターフェースを通して送信されるＰＤＵのＰＰＰＰを提供される場合がある。各論理チャネルに関連付けられたＰＰＰＰが存在する場合がある。ＰＤＵのＰＤＢは、ＰＰＰＰから決定される場合がある。低ＰＤＢは、高優先順位ＰＰＰＰ値にマップされる場合がある。
【００２９】
新しい送信が実施されるときに、サイドリンクＬＣＰプロシージャが適用される場合がある。各サイドリンク論理チャネルは、ＰＰＰＰを含むことがある関連する優先順位を有する。複数のサイドリンク論理チャネルは、同じ関連する優先順位を有する場合がある。優先順位とＬＣＩＤとの間のマッピングは、ＵＥ実装のために残される場合がある。
【００３０】
ＭＡＣエンティティは、サイドリンク制御（ＳＣ）期間にサイドリンク通信で送信されるサイドリンク制御情報（ＳＣＩ）ごとに、または、Ｖ２Ｘサイドリンク通信での新しい送信に対応するＳＣＩごとに、以下のＬＣＰプロシージャを実施する場合がある。
【００３１】
ＭＡＣエンティティは、以下のステップで、リソースをサイドリンク論理チャネルへ割り当てる場合がある。
【００３２】
サイドリンク通信での送信に利用可能なデータを有するために、このＳＣ期間、およびこのＳＣ期間と重複するＳＣ期間（もしあれば）の間に事前に選択されないサイドリンク論理チャネルを考慮する。
【００３３】
送信に利用可能なデータを有するサイドリンク論理チャネルの中から、最高優先順位のサイドリンク論理チャネルを有するＰｒｏＳｅ宛先を選択する。
【００３４】
ＳＣＩに関連するＭＡＣ  ＰＤＵごとに、以下のステップが実施される場合がある。
・選択ＰｒｏＳｅ宛先に属し、かつ送信に利用可能なデータを有するサイドリンク論理チャネルの中から、最高優先順位のサイドリンク論理チャネルにリソースを割り当てる。
・リソースが残っている場合、サイドリンク論理チャネルのデータまたはＳＬグラントがどちらかが先に使い果たされるまで、選択ＰｒｏＳｅ宛先に属するサイドリンク論理チャネルは、優先順位の降順で機能する場合がある。優先順位が等しく構成されたサイドリンク論理チャネルは、等しく機能する場合がある。
【００３５】
上記のスケジューリングプロシージャの間に、ＵＥは、以下の規則に従う場合もある。
・全てのＳＤＵ（または部分的に送信されたＳＤＵ）が、残りのリソースに収まる場合、ＵＥは、無線リンク制御（ＲＬＣ）ＳＤＵ（または、部分的に送信されるＳＤＵ）をセグメント化しない。
・ＵＥがサイドリンク論理チャネルからＲＬＣ  ＳＤＵをセグメント化する場合、グラントがなるべく収まるように、セグメントのサイズを最大化してもよい。
・データの送信を最大化する。
・１０バイト以上（サイドリンク通信の場合）、または１１バイト以上（Ｖ２Ｘサイドリンク通信の場合）のサイドリンクグラントサイズを、ＭＡＣエンティティが提供されるのと同時に、送信に利用可能なデータを有する場合、ＭＡＣエンティティは、パディングだけを送信することはできない。
【００３６】
上記のサイドリンクＬＣＰプロシージャには、より低い優先順位のチャネルの欠乏を回避するために、論理チャネル優先ビットレートなど、Ｕｕインターフェース論理チャネル優先順位付けプロシージャに使用されるものと類似のプロビジョニングはない。同様に、サイドリンク論理チャネルプロシージャには、遅延制約、ニューメロロジー制約、または許容サービングセル制約（例えば、パケット複製をサポートする場合）などの制約によって課される要件を満たすために、ＮＲ  ＬＣＰプロシージャ向けに規定されるもののような、与えられたリソースグラントによって機能することが可能になる論理チャネルの制約に対する固有のプロビジョニングはない。
【００３７】
ＬＴＥまたはＮＲでは、ＭＡＣエンティティのＵＬデータボリュームについての情報を、サービングｅＮＢまたはｇＮＢに提供するために、Ｕｕインターフェースを通したバッファステータスレポート（ＢＳＲ）プロシージャが使用される場合がある。ＬＴＥではまた、ＭＡＣエンティティに関連付けられたＳＬバッファ内の送信に利用可能なサイドリンクデータの量についての情報をサービングｅＮＢに提供するために、サイドリンクバッファステータスレポートプロシージャが使用される場合がある。無線リソース制御（ＲＲＣ）は、periodic-BSR-TimerSLおよびretx-BSR-TimerSLの２つのタイマを構成することによって、サイドリンクに関するＢＳＲ報告を制御する場合がある。各サイドリンク論理チャネルは、ＰｒｏＳｅ宛先に属する場合がある。各サイドリンク論理チャネルは、サイドリンク論理チャネルの優先順位付け、およびＬＣＧ  ＩＤと上位層によって提供される優先順位との間のマッピングに応じて、論理チャネルグループ（ＬＣＧ）に割り当てられる場合がある。ＬＣＧは、ＰｒｏＳｅ宛先ごとに定められる場合がある。ＵｕインターフェースＢＳＲに類似のサイドリンクＢＳＲは、規則的ＢＳＲ、周期的ＢＳＲ、またはパディングＢＳＲである場合がある。
【００３８】
最初のサイドリンクＢＳＲが送信される時間までに、複数のイベントによりサイドリンクＢＳＲがトリガされる場合でも、ＭＡＣ  ＰＤＵは、最大１つのサイドリンクＢＳＲ  ＭＡＣ制御エレメントを含む場合がある。この場合、規則的サイドリンクＢＳＲおよび周期的サイドリンクＢＳＲは、パディングサイドリンクＢＳＲよりも高い優先値を有する場合がある。
【００３９】
ＭＡＣエンティティは、ＳＬグラントを受信すると、retx-BSR-TimerSLを再開する場合がある。
【００４０】
残りの構成されたＳＬグラントが、Ｖ２Ｘサイドリンク通信での送信に利用可能な全ペンディングデータを有効に適応させることができるケースでは、全てのトリガされた規則的サイドリンクＢＳＲは、キャンセルされることがある。ＭＡＣエンティティが、サイドリンク論理チャネルのいずれに対しても、送信に利用可能なデータを有していないケースでは、トリガされたサイドリンクＢＳＲは、キャンセルされることがある。サイドリンクＢＳＲ（短縮サイドリンクＢＳＲは除く）が送信のためにＭＡＣ  ＰＤＵに含まれるときに、トリガされたサイドリンクＢＳＲはキャンセルされることがある。上位層が自律的リソース選択を構成すると、全てのトリガされたサイドリンクＢＳＲがキャンセルされ、かつretx-BSR-TimerSLおよびperiodic-BSR-TimerSLが停止される場合がある。
【００４１】
ＭＡＣエンティティは、送信時間間隔（ＴＴＩ）で、最大１つの規則的／周期的サイドリンクＢＳＲを送信する場合がある。ＭＡＣエンティティが、ＴＴＩで複数のＭＡＣ  ＰＤＵを送信することを必要とされる場合、ＭＡＣエンティティは、規則的／周期的サイドリンクＢＳＲを含んでいない任意のＭＡＣ  ＰＤＵにパディングサイドリンクＢＳＲを含む場合がある。
【００４２】
ＴＴＩで送信される全サイドリンクＢＳＲは、ＭＡＣ  ＰＤＵがＴＴＩの間に構築された後に、バッファ状態を反映する場合がある。各ＬＣＧは、ＴＴＩごとに最大１つのバッファ状態値を報告する場合があり、かつ、この値は、このＬＣＧのバッファ状態を報告する全サイドリンクＢＳＲで報告される場合がある。
【００４３】
パディングサイドリンクＢＳＲによって、トリガされた規則的／周期的サイドリンクＢＳＲをキャンセルすることができない場合がある。パディングサイドリンクＢＳＲは、特定のＭＡＣ  ＰＤＵに対してトリガされる場合があり、かつトリガは、ＭＡＣ  ＰＤＵが構築されると、キャンセルされる場合がある。
【００４４】
図５は、偶数Ｎの場合の、サイドリンクＢＳＲおよび短縮サイドリンクＢＳＲ  ＭＡＣ制御エレメント５００の図である。図５の例は、宛先インデックスフィールド５０１、報告されるターゲットグループごとに１つのＬＣＧ  ＩＤフィールド５０２および１つの対応するバッファサイズフィールド５０３を含む、ＢＳＲ  ＭＡＣ制御エレメント（ＣＥ）サイドリンクＢＳＲおよび短縮サイドリンクＢＳＲ  ＭＡＣ  ＣＥを示す。宛先インデックスフィールド５０１により、Ｖ２Ｘサイドリンク通信の宛先を識別することができる。このフィールドの長さは、例えば、４ビットである場合がある。値は、サイドリンクＵＥ情報メッセージ内で、Ｖ２Ｘ宛先リストの一部としてｅＮＢに報告される宛先のインデックスに設定される場合がある。ＬＣＧ  ＩＤフィールド５０２により、そのバッファ状態が報告されることになる論理チャネルのグループを識別することができる。このフィールドの長さは、例えば、２ビットである場合がある。バッファサイズフィールド５０３により、ＴＴＩの間に全てのＭＡＣ  ＰＤＵが構築された後に、ＰｒｏＳｅ宛先のＬＣＧの全論理チャネルにわたって利用可能なデータの総量を識別することができる。データの量は、バイト数で示される場合がある。データの量は、ＲＬＣ層およびＰＤＣＰ層での送信に利用可能な全データを含む場合がある。ＬＣＧのバッファサイズは、宛先インデックスフィールド５０１の値に関係なく、ＬＣＧに属するサイドリンク論理チャネルの最高優先順位のものから降順で含まれる場合がある。
【００４５】
図６は、奇数Ｎの場合の、サイドリンクＢＳＲおよび短縮サイドリンクＢＳＲ  ＭＡＣ制御エレメント６００の図である。図６の例は、宛先インデックスフィールド６０１、報告されるターゲットグループごとに１つのＬＣＧ  ＩＤフィールド６０２および１つの対応するバッファサイズフィールド６０３、ならびに確保されたビット６０４を含む、ＢＳＲ  ＭＡＣ制御エレメント（ＣＥ）サイドリンクＢＳＲおよび短縮サイドリンクＢＳＲ  ＭＡＣ  ＣＥを示す。
【００４６】
ＬＴＥ  Ｖ２Ｘサイドリンク通信スケジューリング要求は、ＬＴＥ  Ｕｕスケジューリング要求メカニズムに依拠する場合があり、これはまた、ＮＲ  Ｕｕスケジューリング要求メカニズムに対しても基準となるものである。
【００４７】
ＮＲでは、ＭＡＣエンティティは、０、１つまたは複数のスケジューリング要求（ＳＲ）構成で構成される場合がある。ＳＲ構成は、異なる帯域幅パート（ＢＷＰ）およびセルにわたるＳＲに対するＰＵＣＣＨリソースのセットを含む場合がある。論理チャネル向けに、ＳＲに最大１つのＰＵＣＣＨリソースが、ＢＷＰごとに構成される。
【００４８】
各ＳＲ構成は、１つまたは複数の論理チャネルに対応する場合がある。各論理チャネルは、０または１つのＳＲ構成にマップされてよく、このＳＲ構成はＲＲＣによって構成される。ＢＳＲをトリガしたＬＣＨのＳＲ構成は、そのような構成が存在する場合、トリガされたＳＲのＳＲ構成に対応すると見なされる場合がある。
【００４９】
ＢＳＲ再送信タイマの満了によってトリガされるＢＳＲの場合、トリガされたＳＲに対応するＳＲ構成は、ＢＳＲがトリガされる時間に、送信に利用可能なデータを有する最高優先順位のＬＣＨのＳＲ構成（そのような構成が存在する場合）である。
【００５０】
ＲＲＣは、スケジューリング要求プロシージャ向けに、以下のパラメータを構成する場合がある。
・sr-ProhibitTimer（ＳＲ構成ごと）。
・sr-TransMax（ＳＲ構成ごと）。
・sr-ConfigIndex。
【００５１】
以下のＵＥ変数が、スケジューリング要求プロシージャのために使用される場合がある。
・SR_COUNTER（ＳＲ構成ごと）。
【００５２】
ＳＲがトリガされ、かつ同じＳＲ構成に対応する他のペンディング中のＳＲがない場合、ＭＡＣエンティティは、対応するＳＲ構成のSR_COUNTERを０に設定することがある。
【００５３】
ＳＲは、トリガされると、キャンセルされるまでペンディングとして見なされる場合がある。
【００５４】
ＭＡＣ  ＰＤＵが送信されると、ＭＡＣ  ＰＤＵの組み立てに先立ってトリガされた全ペンディングＳＲは、キャンセルされるか、または、それぞれのsr-ProhibitTimerが、停止される場合がある。このＰＤＵは、ＢＳＲ  ＭＡＣ制御エレメント（ＣＥ）を含む場合があり、このＢＳＲ  ＭＡＣ制御エレメント（ＣＥ）は、ＭＡＣ  ＰＤＵの組み立てに先立ってＢＳＲをトリガした直近のイベントまでの（およびそれを含む）バッファ状態を含む。ＵＬグラントが、送信に利用可能な全ペンディングデータを適応させることができる場合、全ペンディングＳＲは、キャンセルされることがある。
【００５５】
ＳＲ送信機会のときにアクティブなＢＷＰ上のＰＵＣＣＨリソースのみが、有効であると考えられる場合がある。
【００５６】
Ｒｅｌ−１５では、サイドリンクパケット複製が、Ｖ２Ｘサイドリンク通信のためにサポートされ、かつＵＥのＰＤＣＰ層で実施される場合がある。送信向けのサイドリンクパケット複製に関しては、ＰＤＣＰ  ＰＤＵがＰＤＣＰエンティティで複製される場合がある。同じＰＤＣＰエンティティの複製されたＰＤＣＰ  ＰＤＵは、２つの異なるＲＬＣエンティティに送出され、かつ２つの異なるサイドリンク論理チャネルにそれぞれ関連付けられる場合がある。同じＰＤＣＰエンティティの複製されたＰＤＣＰ  ＰＤＵは、異なるサイドリンクキャリアで送信される場合がある。自律的リソース選択を（そのＲＲＣ状態に関係なく）使用するＵＥは、（事前）構成に基づいてサイドリンクパケット複製を自律的にアクティブまたは非アクティブにする場合がある。スケジュール型リソース割り当て（モード３）の場合、ｅＮＢは、ＵＥによって要求されたＶ２Ｘ送信のＰｒｏＳｅパケットごと信頼性（ＰＰＰＲ）情報を通知される。ＰＰＰＲ情報は、ＵＥがバッファ内に有する１つ（または複数の）ＰＰＰＲ値に関連付けられたデータの量、およびＵＥがバッファ内に有する１つ（または複数の）ＰＰＰＲ値に関連付けられたＶ２Ｘメッセージの宛先を含む場合がある。
【００５７】
リリース１４  ＬＴＥ  Ｖ２Ｖでサポートされる主要のユースケースは、１から１０Ｍｂｐｓのオーダで比較的低いデータレートの基本的な安全性を含み、この際、位置、速度、および進行方向などの車両の状態情報は、近くの車両、インフラストラクチャノード、または歩行者と交換される。Ｖ２Ｘアプリケーションが進歩するにつれて、車両自体の状態データについてのショートメッセージの送信が、未処理センサデータ、車両の意図データ、将来の操縦の調整および確認などを含むより大規模なメッセージの送信により補完される可能性がある。これらの最新のアプリケーションに対して、必要とされるデータレート、信頼性、遅延、通信範囲、および速度を満たす予想される要件は、図１に示されるよりも過酷なものである可能性がある。最新のＶ２Ｘアプリケーションのスループットは、ＬＴＥ  Ｖ２Ｘ基本安全性アプリケーションのスループットよりも１００倍高くなることが予想されている。例えば、ＵＥがサポートするＶ２Ｘアプリケーション間で共有されるセンサ未処理データは、１Ｇｂｐｓと同じ程度のデータレートを必要とする場合がある。サイドリンク通信向けのＮＲ  ＬＣＰプロシージャは、ＬＴＥサイドリンクＬＣＰプロシージャ、または新たに規定されるＮＲ  ＵｕインターフェースＬＣＰプロシージャを再利用するが、それらはそれぞれ、ＮＲサイドリンク要件に対する制限を有する。
【００５８】
サイドリンクデータ送信向けの現在のＬＴＥ  Ｖ２Ｘ  ＬＣＰプロシージャには、少なくとも以下の制限がある。
【００５９】
（１）固有の論理チャネル欠乏回避メカニズムなしで、低データレート送信を主にサポートするように設計されている。例えば、現在のＬＴＥサイドリンクＬＣＰプロシージャは、高データレート要件を伴うアプリケーションのために機能するように構成されたより高い優先順位の論理チャネルによる低優先順位の論理チャネルの欠乏を回避するために、例えば、優先ビットレートなどの固有のメカニズムをサポートしていない。
【００６０】
（２）サイドリンク論理チャネルごとに、以下のような制約をマップする構成をサポートするように設計されていない。
【００６１】
（２ａ）サブキャリア間隔（ＳＣＳ）送信制約。
【００６２】
（２ｂ）許容可能遅延制約。例えば、ＮＲ  Ｕｕインターフェースに類似のＮＲサイドリンクは、可変的な送信機会タイミングまたは可変的な送信時間長を特徴とする場合があり、その結果、サイドリンク論理チャネルは、論理チャネル許容遅延要件に起因して、一定のリソースグラントを使用することに制約される場合がある。
【００６３】
（２ｃ）データ複製関連制約、ＲＡＴ／３ＧＰＰリリース共存関連制約などの、その他の潜在的な制約。例えば、キャリア周波数制約、ＲＡＴ制約または３ＧＰＰリリース制約を考慮に入れながら、例えば、調整された設計によって異なるＲＡＴまたは３ＧＰＰリリース能力を伴う複数のＶ２Ｘデバイスが共存することを考えると、これらの制約の一部が、ＬＣＰプロシージャで見られる可能性がある。
【００６４】
（３）ＬＣＰプロシージャの間の送信宛先（例えば、ＰｒｏＳｅ宛先）の選択の基準は、宛先に向けた論理チャネル、特に、最高優先順位の論理チャネルの優先順位（例えば、ＰＰＰＰ）のみを考慮に入れる。さらに、所定の送信機会で、一度選択されると、他の宛先の論理チャネルが選択される前に、選択された宛先の全論理チャネルは、機能する必要がある。ＬＴＥ  Ｖ２Ｘでは、ＵＥは、ＰＰＰＰとＰＤＢとのマッピングを用いて構成される場合があるが、このマッピングは、実装のために残されているが、規定はされていない。この送信宛先選択アプローチの１つの問題は、基本安全性サービスを超えたサービスの多様なセットを伴うＮＲ  Ｖ２Ｘのケースでは、いくつかの他の宛先のより高い優先順位の論理チャネルのデータは、選択された宛先のより低い優先順位のチャネルが機能する間に、それらの送信遅延要件を満たすことができず、破棄される場合さえあることである。現在のＬＴＥ  Ｖ２Ｘ送信宛先選択アプローチの別の問題は、許容遅延制約以外の論理チャネルマッピング制約を考慮に入れながら、リソースグラントを効率的に割り当てる能力に関するものである。現在の宛先選択アプローチは、少なくとも最高優先順位の論理チャネルが、利用可能なグラント、またはその送信時間が次の利用可能なグラントの中のグラントによっても機能することができず、許容遅延要件を満たすことができず、データが失われ、かつ無線リソースグラントが無駄になるといった不必要なリスクを伴う送信宛先選択となる可能性がある。
【００６５】
ＮＲ  Ｕｕ  ＬＣＰプロシージャは、優先データレート、ＳＣＳ制約、許容遅延制約などの論理チャネルマッピング制約をサポートするために、固有メカニズムを伴う高データレートをサポートするように設計されているが、ＮＲ  Ｕｕインターフェース要件のコンテキスト向けに設計はされているものの、送信宛先選択向けの能力または他の潜在的な論理チャネルマッピング制約（例えば、周波数マッピング制約に対するサービス）をサポートしていない。
【００６６】
上記の議論に鑑みて、既存のＬＴＥサイドリンクＬＣＰプロシージャおよびＮＲ  Ｕｕ  ＬＣＰプロシージャを基にした新しいＮＲサイドリンクＬＣＰプロシージャが必要とされる。また、グラントタイプ（例えば、モード３またはモード４グラントタイプ）が、ＬＣＰプロシージャに与える可能性がある影響についても調査する必要がある。
【００６７】
Ｒｅｌ−１５  ＬＴＥでは、ＬＣＰプロシージャの間に、ＭＡＣエンティティは、以下の相対的な優先順位を降順で考慮に入れる場合がある。
・Ｃ−ＲＮＴＩ向けのＭＡＣ  ＣＥ、またはＵＬ−ＣＣＣＨからのデータ。
・データボリューム・電力ヘッドルーム報告（ＤＰＲ）向けのＭＡＣ  ＣＥ。
・ＳＰＳ確認向けのＭＡＣ  ＣＥ。
・パディングに含まれるＢＳＲを除く、ＢＳＲ向けのＭＡＣ  ＣＥ。
・ＰＨＲ、拡張ＰＨＲ、またはデュアルコネクティビティＰＨＲ向けのＭＡＣ  ＣＥ。
・パディングに含まれるサイドリンクＢＳＲを除く、サイドリンクＢＳＲ向けのＭＡＣ  ＣＥ。
・ＵＬ−ＣＣＣＨからのデータを除く、あらゆる論理チャネルからのデータ。
・推奨ビットレートクエリ向けのＭＡＣ  ＣＥ。
・パディングに含まれるＢＳＲ向けのＭＡＣ  ＣＥ。
・パディングに含まれるサイドリンクＢＳＲ向けのＭＡＣ  ＣＥ。
【００６８】
Ｒｅｌ−１５  ＮＲでは、論理チャネルは、以下の順番（一覧の最初のものが最高優先順位である）に従って、優先順位付けられる場合がある。
・Ｃ−ＲＮＴＩ  ＭＡＣ  ＣＥまたはＵＬ−ＣＣＣＨからのデータ。
・構成されたグラント確認ＭＡＣ  ＣＥ。
・パディングに含まれるＢＳＲを除く、ＢＳＲ向けのＭＡＣ  ＣＥ。
・単一エンティティＰＨＲ  ＭＡＣ  ＣＥ、または複数エンティティＰＨＲ  ＭＡＣ  ＣＥ。
・ＵＬ−ＣＣＣＨからのデータを除く、あらゆる論理チャネルからのデータ。
・パディングに含まれるＢＳＲ向けのＭＡＣ  ＣＥ。
【００６９】
本説明では、パディングに含まれるＢＳＲを除く、非パディングＢＳＲ、ＢＳＲ向けのＭＡＣ  ＣＥについて記載する。本説明では、同様に、パディングに含まれるＢＳＲを除く、非パディングサイドリンクＢＳＲ、サイドリンクＢＳＲ向けのＭＡＣ  ＣＥについて記載する。Ｒｅｌ−１５  ＬＴＥでは、非パディングＢＳＲは、非パディングサイドリンクＢＳＲよりも優先され、この非パディングサイドリンクＢＳＲは、ＵＬ−ＣＣＣＨからのデータを除くいずれの論理チャネルからのデータよりも優先される。同様に、Ｒｅｌ−１５  ＮＲでは、非パディングＢＳＲは、ＵＬ−ＣＣＣＨからのデータを除くいずれの論理チャネルからのデータよりも優先される。
【００７０】
上記の優先順位付け規則は、サイドリンク送信と上りリンク送信との間の相対的な優先順位を考慮に入れない。例えば、ＢＳＲをトリガするＵＬデータが、サイドリンクＢＳＲをトリガするサイドリンクデータよりも低い優先順位の場合であっても、ＢＳＲは、サイドリンクＢＳＲよりも常に優先される。
【００７１】
上記のように、用語「ＢＳＲ」は、ＭＡＣエンティティに関連付けられたＵＬバッファ内の送信に利用可能なデータの量についての情報を、サービングｅＮＢ（ＬＴＥの場合）またはｇＮＢ（ＮＲの場合）に提供するために使用されるプロシージャを意味し、その一方で、「サイドリンクＢＳＲ」は、ＭＡＣエンティティに関連付けられたサイドリンクバッファ内の送信に利用可能なサイドリンクデータの量についての情報を、サービングｅＮＢに提供するために使用されるプロシージャを意味する場合がある。
【００７２】
サイドリンクデータ対ＵＬデータ送信の優先順位付けに関する規則も必要とされる。従来のＬＴＥ  Ｖ２Ｘ（例えば、TS  36.321）では、以下の条件を満たす場合、Ｖ２Ｘサイドリンク通信の送信は、上りリンク送信よりも優先される。
（１）ＭＡＣエンティティが、送信のときに、上りリンク送信とＶ２Ｘサイドリンク通信の送信とを同時に実施することができない場合。
（２）上りリンク送信が、上位層によって優先されない場合。
（３）ＭＡＣ  ＰＤＵ内のサイドリンク論理チャネルの最高優先順位の値が、サイドリンク送信優先順位付け閾値（thresSL-TxPrioritization）が構成されているときはこの値よりも小さい場合。
【００７３】
ＬＴＥ  Ｖ２Ｘ規格では、上記の条件に沿って、以下の条件が満たされる場合、上りリンク送信は、サイドリンク送信よりも優先される。
（１）ＭＡＣエンティティが、送信のときに、上りリンク送信とＶ２Ｘサイドリンク通信の送信とを同時に実施することができない場合。
（２）上りリンク送信が、上位層によって優先されない場合。例えば、ＵＥが、緊急のＰＤＮ接続を行う場合、ＵＥは、下位層に、ＰＣ５を通したＶ２Ｘ通信の送信と比較して、緊急のＰＤＮ接続を通した送信を優先するようにインジケーションを送信する場合がある（例えば、TS  24.386）。
（３）ＭＡＣ  ＰＤＵ内のサイドリンク論理チャネルの最高優先順位の値が、サイドリンク送信優先順位付け閾値（thresSL-TxPrioritization）が構成されているときはこの値よりも大きいか、または等しい場合。
【００７４】
上述のように、ＮＲシステムは、Ｕｕインターフェースを通したサービスの高度化モバイルブロードバンド（ｅＭＢＢ）および大規模マシンタイプ通信（ｍＭＴＣ）タイプに加えて、超高信頼・低遅延サービス（ＵＲＬＬＣ）を含むサービスの多様なセットをサポートする場合がある。基本安全性サービス、および車両隊列走行、拡張センサ、先進運転、遠隔運転などのＵＲＬＬＣサービスの様々な程度をサポートすることが予想される最新のＶ２Ｘは、中継ＵＥノードによるサイドリンクを含むサイドリンクを通した、情報エンターテイメントサービス、および時間のかからない他のクリティカルサービスをサポートすることも予想されている。さらに、サイドリンク送信または上りリンク送信は、グラントフリーリソース割り当てに基づく場合があり、この際、ＵＥは自律的にリソース送信を選択する。これらのＮＲ要件およびこれらの最新のＶ２Ｘ要件に鑑みて、緊急呼出に加えて、一部の上りリンク送信は、クリティカルであり、かつ一部のＶ２Ｘ通信よりもタイムセンシティブである一方で、他のＶ２Ｘ送信は、クリティカルであり、かつ上りリンク送信よりもタイムセンシティブである場合がある。例えば、中継ＵＥノードの場合、一部の非緊急上りリンク送信は、サイドリンク送信よりも、よりクリティカルかつタイムセンシティブである場合がある。したがって、サイドリンク送信のために構成された絶対的な優先順位閾値に基づいて上りリンク送信よりもサイドリンク送信が優先されるＬＴＥ  Ｖ２Ｘ優先順位付けアプローチは、上りリンク送信の優先順位に関係なく、適切でない場合がある。そのため、サイドリンク送信と上りリンク送信との間で、新しい優先順位付け規則が必要とされる。
【００７５】
従来のシステムでは、サイドリンク送信機会は、固定送信時間間隔の周期性、および固定送信時間長に従う。ＮＲサイドリンク送信は、送信機会が予め定められた周期性がない可変的な送信時間間隔、および可変的な送信時間長を有するＮＲ  ＲＡＴ設計に基づく場合がある。その結果、複数の重複するサイドリンクグラント（例えば、サイドリンク送信に対するグラント）が、ＵＥ内で共存する場合がある。同様に、複数の上りリンクグラント（例えば、上りリンク送信に対するグラント）も、ＵＥ内に共存する。その結果、上りリンク送信に対するサイドリンク送信の優先順位付けに関する規則が拡張される必要がある。
【００７６】
図７は、完全に重複しているグラントを示す図７００である。図７は、スロット１  ７０２のＵＬグラント７０１、およびスロット３  ７０４のサイドリンクグラント７０３を示す。図７はまた、スロット５  ７０６のＵＬ  Ｔｘグラント７０５が、スロット９  ７０８のサイドリンクＴｘ７０７グラントと完全に重複していることを示す。重複時間間隔７０９は、スロット９  ７０８の時間長である。ＵＬ  Ｔｘグラント７０５およびサイドリンクＴｘ７０７の最初の許容送信開始点は同じであるが、２つのグラントは異なる時間長、スロット５  ７０６およびスロット９  ７０８を有する。
【００７７】
図８は、完全に重複しているグラントを示す図８００である。図８は、スロット１  ８０２のＵＬグラント８０１、およびスロット４  ８０４のサイドリンクグラント８０３を示す。図８はまた、スロット５  ８０６のＵＬ  Ｔｘグラント８０５が、スロット１０  ８０８のサイドリンクＴｘ８０７グラントと完全に重複していることを示す。重複時間間隔８０９は、スロット１０  ８０８の時間長である。ＵＬ  Ｔｘグラント８０５およびサイドリンクＴｘ８０７の最後の許容送信終了点は同じであるが、２つのグラントは異なる時間長を有する。
【００７８】
図９は、異なる時間長であり、かつ部分的に重複しているグラントを示す図９００である。図９は、スロット１  ９０２のＵＬグラント９０１、およびスロット３  ９０４のサイドリンクグラント９０３を示す。図９はまた、スロット５  ９０６のＵＬ  Ｔｘグラント９０５が、スロット９  ９０８のサイドリンクＴｘ９０７グラントと部分的に重複していることを示す。重複時間間隔９０９は、スロット９  ９０８の時間長の一部である。ＵＬ  Ｔｘグラント９０５およびサイドリンクＴｘ９０７の最初の許容送信開始点は異なる。
【００７９】
図１０は、異なる時間長であり、かつ部分的に重複しているグラントを示す図１０００である。図１０は、スロット１  １００２のＵＬグラント１００１、およびスロット３  １００４のサイドリンクグラント１００３を示す。図１０はまた、スロット５  １００６のＵＬ  Ｔｘグラント１００５が、スロット９  １００８のサイドリンクＴｘ１００７グラントと部分的に重複していることを示す。重複時間間隔１００９は、スロット９  １００８の時間長の一部である。ＵＬ  Ｔｘグラント１００５およびサイドリンクＴｘ１００７の最後の許容送信終了点は異なる。
【００８０】
図１１は、異なる時間長であり、かつ完全に重複しているグラントを示す図１１００である。図１１は、スロット１  １１０２のＵＬグラント１１０１、およびスロット７および８  １１０４のサイドリンクグラント１１０３を示す。図１１はまた、スロット５  １１０６のＵＬ  Ｔｘグラント１１０５が、スロット１８および１９  １１０８のサイドリンクＴｘ１１０７グラントと完全に重複していることを示す。重複時間間隔１１０９は、スロット１８および１９  １１０８の時間長である。この例では、各グラントの、最初の許容送信開始点および最後の許容送信終了点は異なる。
【００８１】
本明細書に記載される方法および装置は、上記の制約に対する解決策を提供する。本明細書に記載される１つの解決策は、拡張Ｖ２Ｘ  ＭＯを含み、これは、ＵＥ内のＶ２Ｘ構成パラメータのプロビジョニングのために使用することができる。
【００８２】
本明細書に記載される別の解決策は、サイドリンクＬＣＰを実施する方法を含む。方法は、適切なＶ２Ｘ構成パラメータ、例えば、ＬＣＰ制御パラメータを用いてＭＡＣを構成することを含む。方法はまた、サイドリンクグラントによって機能することになる論理チャネルの選択を実施することを含み、これは許容Ｖ２Ｘサービングセル、許容ＳＣＳのセット、許容遅延、許容ＳＬ−ＳＣＨ時間長、許容ＳＬ−ＳＣＨ  Ｋ２時間長、許容ＲＡＴ／ＲＡＴバージョンのセット、許容ＢＷＰのセット、許容送信プロファイルのセット、の任意の組み合わせに基づく場合がある。方法はまた、送信に利用可能なデータを有する選択されたＳＬ  ＬＣＨの中からＰｒｏＳｅ宛先を選択することを含む。方法はまた、新しいＳＬ送信を実施するときに、ＳＬ  ＬＣＨに対するリソース割り当てを実施することを含む。
【００８３】
本明細書に記載される別の解決策は、ＳＬ関連送信の影響に対処するＵＬ  ＬＣＰを実施するための方法を含む。方法は、ＵＬ  ＢＳＲよりもＶ２Ｘ  ＳＬ  ＢＳＲの送信を優先するタイミングを決定することを含む。方法はまた、ＵＬ送信よりもＶ２Ｘ  ＳＬ送信を優先するタイミングを決定することも含む。
【００８４】
本明細書に記載される別の解決策は、Ｖ２Ｘトラフィック優先順位が、上りリンクトラフィックに対して動的に変動する場合のシナリオで、上りリンク送信に対するＶ２Ｘサイドリンク通信の送信の優先順位を決定する方法を含む。方法はまた、上りリンク送信に対するＶ２Ｘサイドリンク送信の優先順位を決定するために、サイドリンクＰＰＰＲまたは上りリンクＰＰＰＲを使用することを含む。方法はまた、グラントが重複する場合に、上りリンク送信に対するＶ２Ｘサイドリンク送信の優先順位を決定することを含む。
【００８５】
本明細書に記載される別の解決策は、無線リソースグラントに関連付けられる送信パラメータを決定するための方法を含む。
【００８６】
本明細書に記載されるＮＲ  Ｖ２Ｘ解決策のサポートでは、ＮＲ  Ｖ２Ｘ  ＭＯは、構成パラメータに加えて以下のＶ２Ｘ構成パラメータをＬＴＥ  Ｖ２Ｘ  ＭＯ内に含む場合がある。
・許可されたＶ２Ｘサービスごとの優先ビットレート（ＰＢＲ）。
・許可されたＶ２Ｘサービスごとのバケットサイズ長（ＢＳＤ）。
・許可されたＶ２Ｘサービスごとの許容ＳＣＳのリスト。
・許可されたＶ２Ｘサービスごとの許容Ｖ２Ｘ  ＢＷＰのリスト。
・許可されたＶ２Ｘサービスごとの許容ＲＡＴのリスト。
・許可されたＶ２Ｘサービスごとの許容ＲＡＴバージョンのリスト。
・許可されたＶ２Ｘサービスごとの許容送信プロファイルのリスト。
・許可されたＶ２Ｘサービスごとの許容キャリア周波数のリスト。
・許可されたＶ２Ｘサービスごとの許容キャリア周波数ごとのＰＰＰＰのリスト。
・ＰＰＰＲ値またはＰＰＰＲ範囲のリスト、および複製されるデータ経路の対応する数を含む、パケット複製へのＰＰＰＲマッピング規則。例えば、ＰＰＰＲ値またはＰＰＰＲ範囲ごとに、データ複製の並列経路の数が構成されてよい。例えば、経路の数は、２、３、またはそれ以上であってもよい。
【００８７】
ＮＲ  Ｖ２Ｘ  ＭＯは、送信モード（ユニキャスト、グループキャストまたはブロードキャスト）と、Ｖ２Ｘサービス、例えばＶ２ＸアプリケーションのＰＳＩＤまたはＩＴＳ−ＡＩＤとのマッピングを含んでもよい。例えば、送信モードは、Ｖ２Ｘサービスごとに構成されてよい。送信モードのマッピングが構成されていないＶ２Ｘサービス用に、デフォルト送信モードが構成されてよい。１つまたは複数のデフォルト送信モードが、Ｖ２Ｘサービスごとに構成されてもよい。送信モードとＶ２Ｘサービスとのマッピングは、Ｖ２Ｘサービスと、送信モードを明確に関連付けるＮＲ  Ｖ２Ｘ  ＭＯ内の構造を用いて実現することができる。あるいは、関連付けは、暗に行われてもよく、ブロードキャスト送信、グループキャスト送信、およびユニキャスト送信向けのＶ２Ｘサービスと宛先の層２  ＩＤとのマッピングは、別個または専用の情報エレメント（Information  Element：ＩＥ）またはデータ構造を使用して構成される。送信モードとＶ２Ｘサービスとのマッピングは、送信モードとサービスデータフローまたはパケットフィルタセットとのマッピングを含んでもよい。例えば、送信モードとＶ２Ｘサービスとのマッピングは、各マッピングが送信モードとサービスデータフローまたはパケットフィルタセットを含むいくつかのマッピングを含んでもよい。代替的実施形態では、送信モードとＶ２Ｘサービスとのマッピングは、Ｖ２Ｘサービスごとに、Ｖ２Ｘサービスと複数の送信モードとの間のマッピングを含んでもよく、例えば、Ｖ２Ｘサービスと送信モードとの間の関連付けは、各サービス、例えばＰＳＩＤまたはＩＴＳ−ＡＩＤが複数の送信モードに関連付けられる場合があるようなサービスレベルで行われる。
【００８８】
ＮＲ  Ｖ２Ｘ  ＭＯは、ＰＣ５  ＱｏＳ識別子（PC5  QoS  Identifier：ＰＱＩ）とＶ２Ｘサービスとのマッピングを含んでもよい。例えば、ＰＱＩは、許可されたＶ２Ｘサービスごとに構成されてよい。ＰＱＩのマッピングが構成されていないＶ２Ｘサービスによる使用のために、１つまたは複数のデフォルトＰＱＩが構成されてよい。Ｖ２Ｘサービスは、複数のサービスデータフローまたはパケットフィルタセットを含んでもよい。ＰＱＩとＶ２Ｘサービスとのマッピングは、ＰＱＩとサービスデータフローまたはパケットフィルタセットとのマッピングを含んでもよい。例えば、ＰＱＩとＶ２Ｘサービスとのマッピングは、各マッピングがＰＱＩとサービスデータフローまたはパケットフィルタセットを含むいくつかのマッピングを含んでもよい。代替的実施形態では、ＰＱＩとＶ２Ｘサービスとのマッピングは、Ｖ２Ｘサービスごとに、Ｖ２Ｘサービスと複数のＰＱＩとの間のマッピングを含んでもよく、例えば、Ｖ２ＸサービスとＰＱＩとの間の関連付けは、各サービス（例えば、ＰＳＩＤまたはＩＴＳ−ＡＩＤ）が複数の送信モードに関連付けられる場合があるようなサービスレベルで生成される。
【００８９】
ＮＲ  Ｖ２Ｘ  ＭＯは、送信範囲と、Ｖ２ＸアプリケーションのＶ２Ｘサービス（例えば、ＰＳＩＤまたはＩＴＳ−ＡＩＤ）、例えば、グループキャストまたはユニキャストとのマッピングを含んでもよい。送信範囲は、Ｖ２Ｘサービスごとに構成されてよい。送信範囲のマッピングが構成されていないＶ２Ｘサービス用に、デフォルト送信範囲が構成されてよい。デフォルト送信範囲は、例えば、グループキャストまたはユニキャスト送信の場合、Ｖ２Ｘサービスごとに構成されてよい。送信範囲とＶ２Ｘサービスとのマッピングは、送信範囲とサービスデータフローまたはパケットフィルタセットとのマッピングを含んでもよい。例えば、送信範囲とＶ２Ｘサービスとのマッピングは、各マッピングが送信範囲とサービスデータフローまたはパケットフィルタセットを含むいくつかのマッピングを含んでもよい。代替的実施形態では、送信範囲とＶ２Ｘサービスとのマッピングは、Ｖ２Ｘサービスごとに、Ｖ２Ｘサービスと複数の送信範囲との間のマッピングを含んでもよく、例えば、Ｖ２Ｘサービスと送信範囲との間の関連付けは、各サービス（例えば、ＰＳＩＤまたはＩＴＳ−ＡＩＤ）が、複数の送信範囲に関連付けられる場合があるようなサービスレベルで生成される。送信範囲とＶ２Ｘサービスとのマッピング、および送信モードとＶ２Ｘサービスとのマッピングは、同じＩＥまたはデータ構造を使用して連帯的に生成されてよい。
【００９０】
ＮＲ  Ｖ２Ｘ  ＭＯはまた、各ＱｏＳ規則が、関連するＱｏＳフローのＱＦＩ、パケットフィルタセット、および優先値を含むような、許容ＰＣ５  ＱｏＳ規則のリストを含んでもよい。
【００９１】
ＮＲ  Ｖ２Ｘ  ＭＯはまた、ＱＦＩ（ＱｏＳフロー識別子）とＰＱＩとのマッピング、ＰＱＩと論理チャネルとのマッピング、ＱＦＩとサイドリンクベアラとのマッピング、ＱｏＳ特徴、例えばＱｏＳプロファイルへのＰＱＩのマッピング、もしくはリソース割り当てモードと論理チャネルとのマッピング、またはリソース割り当てモードとＱｏＳフローとのマッピングを含んでもよい。本発明で使用する場合、用語「ＱＦＩ」はまた、ＰＣ５  ＱｏＳフロー識別子（PC5  QoS  Flow  Identifier：ＰＦＩ）とも呼ばれる場合もある。
【００９２】
図１２は、ＰＣ５通信を通したＮＲ基本Ｖ２Ｘ  ＭＯ１２００を示す。
【００９３】
図１３は、ＰＣ５通信を通したＮＲの拡張Ｖ２Ｘ  ＭＯ１３００を示す。
【００９４】
図１４は、一実施形態による、Ｖ２Ｘ制御機能によるＵＥへのＶ２Ｘ構成パラメータのＮＲ  Ｖ２Ｘプロビジョニングのプロシージャ１４００を示し、これは、本明細書に記載される実施形態のいずれかと組み合わせて使用されてよい。ステップ１４１０で、ＵＥ−Ｖ２Ｘ機能１４０２は、上記のＶ２Ｘ構成パラメータのそれぞれを用いてＶ２Ｘ制御機能１４０４によってＶ３インターフェースまたはＮＲインターフェースを通して事前構成またはプロビジョニングされてよい。ステップ１４１１で、ＵＥ  ＲＲＣ１４０１は、ＵＥ−Ｖ２Ｘ機能１４０２に、カバレッジ内およびカバレッジ外のイベントを通知してもよい。例えば、ＵＥがカバレッジの外にいた後に、カバレッジに戻る場合、ＵＥ  ＲＲＣ１４０１は、カバレッジ内イベントを検出して、ＵＥ−Ｖ２Ｘ機能１４０２に通知を送信してもよく、この場合、後者は、ＵＥ−Ｖ２Ｘプロビジョニング式構成パラメータ有効性タイマをチェックしてもよく（ステップ１４１２）、また、有効性タイマが満了した場合、Ｖ２Ｘ制御機能１４０４への構成パラメータ要求をトリガしてもよい（ステップ１４１３）。同様に、ＵＥが、カバレッジ外に進行する場合、例えば、ＵＥがカバレッジ外にある間に、構成パラメータ有効性タイマが満了する場合、ＵＥ−Ｖ２Ｘ機能１４０２は、ネットワークへの構成要求を不必要にトリガしないように、認識している必要がある場合がある。ステップ１４１４で、Ｖ２Ｘ制御機能１４０４によって、Ｖ３インターフェースまたはＮＲインターフェースを通してＵＥ−Ｖ２Ｘ機能１４０２にＶ２Ｘ構成パラメータがプロビジョニングされてよい。ステップ１４１５で、ＵＥ  ＲＲＣ  １４０１およびＵＥ−Ｖ２機能１４０２は、新しいＶ２Ｘ構成パラメータを記憶するか、または記憶されているＶ２Ｘ構成パラメータを更新してもよい。ステップ１４１６で、ＵＥはカバレッジ内にあり、かつＵＥ−Ｖ２Ｘ機能１４０２は、ＵＥ−Ｖ２Ｘ  ＲＲＣ構成式構成パラメータ有効性タイマをチェックしてよい。ステップ１４１７で、ｇＮＢ１４０３は、ＲＡＮ固有ＮＲ  Ｖ２構成パラメータのシステム情報ブロードキャストを送信してもよい。
【００９５】
図１５は、別の実施形態による、本明細書に記載されるＮＲ  Ｖ２ＸサイドリンクＬＣＰプロシージャ１５００を示し、これは、本明細書に記載される実施形態の全てと組み合わせて使用されてよい。ステップ１５１０で、ＮＲサイドリンクＬＣＰ向けの制御パラメータが決定されてよい。ステップ１５１１で、論理チャネルがグラント割り当てで選択されてよい。ステップ１５１２で、Ｖ２Ｘ送信宛先が選択されてよい。ステップ１５１３で、リソースが選択論理チャネルに割り当てられてよい。
【００９６】
新しい送信が実施されるたびに、ＮＲ  Ｖ２Ｘ  サイドリンクＬＣＰプロシージャ１５００が適用されてよい。ＭＡＣエンティティ内の各サイドリンク論理チャネルは、以下のパラメータによって構成されてよい。
【００９７】
（１）サイドリンク論理チャネル優先順位、例えばサイドリンク論理チャネルに関連付けられるＰＰＰＰ。この際、大きい優先順位値は、低い優先順位レベルを意味する。論理チャネル優先順位は、論理チャネルにマップされるデータと共にＶ２Ｘアプリケーションによって示されるＰＱＩに基づいて決定される優先順位である場合がある。論理チャネルへのＶ２Ｘデータのマッピングのさらなる詳細および対応する論理チャネル優先順位の決定については後述する。
【００９８】
（２）低優先順位のサイドリンク論理チャネルが機能する前に、サイドリンク論理チャネルで、機能する必要があるデータレートを含むことがあるＰＢＲを設定するサイドリンク優先ビットレート。
【００９９】
（３）ＰＢＲのレートでバケットサイズを満たす時間長を含む場合がある、サイドリンク向けにＢＳＤを設定するサイドリンクバケットサイズ長。ＰＢＲとＢＳＤとは、サイドリンク論理チャネル向けに優先されるバケットのサイズを定める。サイドリンク優先バケット内にデータがあり、かつサイドリンク論理チャネルを機能させることができるサイドリンクグラントがある限り、そのサイドリンク論理チャネルは、より低い優先順位のサイドリンク論理チャネルよりも、サイドリンクリソースグラント割り当てで優先されてよい。
【０１００】
（４）最大データバーストボリューム。
【０１０１】
（５）本明細書の実施形態において、サイドリンク論理チャネルｊに関連付けられた優先バケット内のデータの量を意味する場合があるＢｊ。ＭＡＣエンティティは、サイドリンク論理チャネルｊごとに変数Ｂｊを保持してもよい。
【０１０２】
追加として、論理チャネルマッピングへの上りリンクリソースグラントに対するマッピング制約が、サイドリンク論理チャネルごとに構成されてよい。論理チャネルへの上りリンクリソースグラントに対するマッピング制約は、以下のうち１つまたは複数であってもよい。
【０１０３】
送信向けの許容セルを設定する許容Ｖ２Ｘサービングセルのセット。許容Ｖ２Ｘサービングセルは、例えば、サービングセルのキャリア周波数は論理チャネルにマップされたＶ２Ｘサービスごとに構成される、サービングセルはデータ複製要件を満たす、の条件を満たすことが予想される可能性があるものである。例えば、複製されたデータを運ぶ論理チャネルは、異なるサービングセルにマップされてよい。
【０１０４】
許容キャリア周波数のリスト。
【０１０５】
送信向けに許容サブキャリア間隔を設定する許容Ｖ２Ｘ  ＳＣＳのセット。
【０１０６】
送信向けに許容帯域幅パートを設定する許容Ｖ２Ｘ  ＢＷＰのセット。
【０１０７】
送信向けに許容される最大ＳＬ−ＳＣＨ時間長を設定する最大許容ＳＬ−ＳＣＨ時間長。
【０１０８】
データがサイドリンク送信で利用可能になる時間からデータ送信が終わる時間までの最大許容遅延を設定する許容遅延。
【０１０９】
ＳＬ−ＳＣＨグラントがサイドリンク送信で利用可能になる時間からＳＬ−ＳＣＨデータ送信が始まる時間までの最大許容遅延を設定する許容ＳＬ−ＳＣＨ  Ｋ２時間長。
【０１１０】
送信向けに許容ＲＡＴを設定する許容ＲＡＴ。
【０１１１】
送信向けに許容ＲＡＴバージョンを設定する許容ＲＡＴバージョン。
【０１１２】
送信向けに許容送信プロファイルを設定する許容送信プロファイル。送信プロファイルのコンテンツは、Ｖ２Ｘ送信に対する無線パラメータを含んでもよく、かつＲＡＴ固有およびＲＡＴバージョン固有無線パラメータ構成を含んでもよい。送信プロファイルコンテンツの例は、TS  36.331で定められているＲｅｌ−１４  ＳＬ−Ｖ２Ｘ事前構成情報要素、および、図３に示されているＰＣ５通信を通したＶ２Ｘ  ＭＯで、例えば無線パラメータコンテナとしてキャプチャされるものであってもよい。送信プロファイルは、送信信頼性構成パラメータ、例えば、ＰＰＰＲ目標値を含んでもよい。送信プロファイルは、ＳＣＳ値、ＢＷＰ、最大許容遅延、最大許容ＳＬ−ＳＣＨ時間長、および許容Ｖ２Ｘ送信周波数などのＮＲ固有Ｖ２Ｘ送信パラメータを含んでもよい。
【０１１３】
例えば、ユニキャスト、グループキャストまたはブロードキャストなどの許容送信モード。
【０１１４】
例えば、スケジュールされたグラント、構成されたグラント、または自律的なリソースグラントなどの、例えば、モード１またはモード２などの許容リソース割り当てモード。
【０１１５】
許容送信範囲。
【０１１６】
ＵＥは、サイドリンクＬＣＰに対する制御パラメータを決定してもよい。ＵＥは、構成する論理チャネルの数、および構成する各論理チャネルの識別情報を決定してもよい。同様に、ＵＥは、構成するＬＣＧの数、ＬＣＧの識別情報を決定してもよい。ＵＥは、（例えば、本明細書に記載されるＮＲ  Ｖ２Ｘ  ＭＯで規定されるような）Ｖ２Ｘ制御機能によってＵＥに事前構成されるか、またはＵＥにプロビジョニングされるＶ２Ｘ情報を使用して、構成する論理チャネルの数、各論理チャネルの識別情報、構成するＬＣＧの数、各ＬＣＧの識別情報を自律的に決定してもよい。
【０１１７】
ＵＥは、以下の情報のうち１つまたは複数を使用してもよく、これは、本明細書において「論理チャネル導出パラメータ」と表される。
・許容Ｖ２Ｘサービスのリスト内の１つまたは複数のサービス。
・ＵＥにプロビジョニングされるＰＰＰＰリスト（例えば、本明細書に記載されるＮＲ  Ｖ２Ｘ  ＭＯ内のＰＤＢへのＰＰＰＰマッピングリスト）内の１つまたは複数の優先順位値。
・ＰＤＢへのＰＰＰＰマッピングリスト内のＰＤＢへのＰＰＰＰマッピングの１つまたは複数。
・１つまたは複数の許可されたＶ２Ｘサービス向けの許容キャリア周波数のリスト内の１つまたは複数の周波数。
・１つまたは複数の許可されたＶ２Ｘサービス向けの許容送信プロファイルのリストからの１つまたは複数の送信プロファイル。
・１つまたは複数の許可されたＶ２Ｘサービス向けの許容ＳＣＳのリストからの１つまたは複数のＳＣＳ。
・１つまたは複数の許可されたＶ２Ｘサービス向けの許容ＲＡＴのリストからの１つまたは複数のＲＡＴ。
・１つまたは複数の許可されたＶ２Ｘサービス向けの許容ＲＡＴバージョンのリストからの１つまたは複数のＲＡＴバージョン。
・１つまたは複数の許可されたＶ２Ｘサービス向けの許容ＢＷＰのリストからの１つまたは複数のＢＷＰ。
【０１１８】
ＵＥは、例えば、同じ宛先識別情報を持つが、異なるＶ２Ｘ周波数セット、異なるサービングセルセット、または異なるＢＷＰセットに関連付けられたＶ２Ｘメッセージ向けに、異なるＬＣＨまたはＬＣＧが構成されることを確実にするようにＬＣＨまたはＬＣＧを構成してもよい。同様に、ＵＥは、例えば、異なる許容サービングセルまたは許容キャリア周波数で順番に構成される異なるＬＣＨに、複製されたデータがマップされることを確実にするようにＬＣＨを構成してもよい。同様に、ＵＥは、例えば、複製データ向けに構成された論理チャネルが、異なるＬＣＧにマップされることを確実にするようにＬＣＧを構成してもよい。あるいは、ＵＥは、例えば、複製データ向けに構成された１つの論理チャネルのみが、ＬＣＧにマップされることを確実にするようにＬＣＧを構成してもよい。さらに別の代替案では、ＵＥは、データ複製向けに構成されるＬＣＨが、常に同じＬＣＧにマップされるように、ＬＣＧ、またはＬＣＧへのＬＣＨのマッピングを構成してもよい。
【０１１９】
ＵＥに事前構成またはプロビジョニングされているＶ２Ｘパラメータに基づいて、ＵＥがＬＣＨ／ＬＣＧパラメータを自動的に構成する代わりに、ＵＥは、１つまたは複数のＬＣＨ識別情報および１つまたは複数のＬＣＧ識別情報、ならびに、例えば、上述のＬＣＧへのＬＣＨのマッピング選択肢に従うＬＣＧへのＬＣＨのマッピングを用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてもよい。ＵＥは、ＬＣＨおよびＬＣＧ情報を用いてＵＥを構成する際にｇＮＢを支援するために、ＬＴＥ類似のＵＥ支援情報メッセージまたはＬＴＥ類似のＶ２Ｘ  ＵＥ情報メッセージで、上述の論理チャネル導出パラメータのうち１つまたは複数をｇＮＢにシグナリングしてもよい。
【０１２０】
ＵＥは、論理チャネルにＶ２Ｘサービスをマップしてもよい。マッピングは、１対１マッピング、１つの論理チャネルにマップされる複数のサービスマッピング、または複数の論理チャネルにマップされる１つのサービスであってもよい。ＵＥは、論理チャネルへのＶ２ＸサービスまたはＶ２Ｘメッセージのマッピングを決定する際に、上述の論理チャネル導出パラメータのうち１つまたは複数を使用してもよい。あるいは、ＵＥは、共通ＲＲＣシグナリング（例えば、システム情報ブロードキャストシグナリング）または専用ＲＲＣシグナリング（例えば、ＲＲＣ再構成メッセージ）、論理チャネルへのＶ２Ｘサービスのマッピングを通して、ｇＮＢによって構成されてよい。ＵＥは、Ｖ２Ｘサービスと論理チャネルとの間のマッピングを用いてＵＥを構成する際にｇＮＢを支援するために、ＬＴＥ類似のＵＥ支援情報メッセージまたはＬＴＥ類似のＶ２Ｘ  ＵＥ情報メッセージで、上述の論理チャネル導出パラメータのうち１つまたは複数をｇＮＢにシグナリングしてもよい。基地局またはスケジューリングエンティティは、ＬＣＧおよび関連付けられた優先順位を用いて、またはＬＣＨおよび関連付けられた優先順位を用いて、ＵＥを構成してもよい。追加として、基地局は、ＬＣＨへのＶ２ＸサービスのマッピングまたはＱｏＳフローへのサービスのマッピング、ならびに、ベアラへのＱｏＳフローのマッピングおよびＬＣＨへのベアラのマッピングを用いて、ＵＥを構成してもよい。
【０１２１】
サイドリンク論理チャネル優先順位が、割り当てられてもよい。ＵＥは、論理チャネルにマップされたサービスまたはアプリケーションデータパケットに関連付けられたＰＰＰＰ値から、優先順位値を、各論理チャネルに割り当ててもよい。一実施形態では、論理チャネル優先順位は、論理チャネルにマップされたサービスまたはアプリケーションデータパケットに関連付けられたＰＰＰＰ値の中で、最高優先順位のＰＰＰＰ（最も小さいＰＰＰＰ値）である場合がある。各サービスまたはアプリケーションデータパケットに関連付けられたＰＰＰＰ値は、本明細書に記載されるＮＲ  Ｖ２Ｘ  ＭＯで規定されてよい。あるいは、ＵＥは、１つまたは複数の論理チャネルの優先順位値を用いて、共通ＲＲＣシグナリング（例えば、システム情報ブロードキャストシグナリング、またはＵＥのグループへのマルチキャスト情報シグナリング）または専用ＲＲＣシグナリング（例えば、ＲＲＣ再構成メッセージ）を通して、ｇＮＢによって構成されてもよい。ＵＥは、サイドリンク論理チャネル優先順位を用いてＵＥを構成する際にｇＮＢを支援するために、ＬＴＥ類似のＵＥ支援情報メッセージまたはＬＴＥ類似のＶ２Ｘ  ＵＥ情報メッセージで、上述の論理チャネル導出パラメータのうち１つまたは複数をｇＮＢにシグナリングしてもよい。サイドリンクＱｏＳ特徴のような論理チャネル優先順位の代わりに、限定はされないが、ＱｏＳフロー、送信範囲、信頼性、ＰＱＩまたは遅延を含む任意の他のサイドリンクＱｏＳ特徴が使用されてもよい。
【０１２２】
ＵＥは、論理チャネルにマップされたサービスまたはアプリケーションデータパケットに関連付けられたＰＢＲ値から、ＰＢＲ値を、各論理チャネルに割り当ててもよい。論理チャネルのＰＢＲは、例えば、論理チャネルにマップされたサービスまたはアプリケーションデータパケットのＰＢＲの中で、最も高いＰＢＲ、または論理チャネルにマップされたサービスまたはアプリケーションデータパケットのＰＢＲの合計であってもよい。Ｖ２ＸサービスごとのＰＢＲは、本明細書に記載されるＮＲ  Ｖ２Ｘ  ＭＯでプロビジョニングされるのと同様に決定されてもよい。あるいは、ＵＥは、論理チャネルごとのＰＢＲを用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、Ｖ２Ｘ通信論理チャネルのリスト、および、以下のうち１つまたは複数をｇＮＢにシグナリングしてもよい。
・本明細書に記載されるＮＲ  Ｖ２Ｘ  ＭＯで規定されるような、論理チャネルのそれぞれにマップされたサービスまたはアプリケーションデータパケットに対する１つまたは複数のＰＢＲ。
・本明細書に記載されるＮＲ  Ｖ２Ｘ  ＭＯで規定されるような、各論理チャネルにマップされたサービスまたはアプリケーションデータパケットに対する、１つまたは複数の許容ＲＡＴ、許容ＲＡＴバージョン、または許容送信プロファイル。
・本明細書に記載されるＮＲ  Ｖ２Ｘ  ＭＯで規定されるような、各論理チャネルにマップされたサービスまたはアプリケーションデータパケットに対する１つまたは複数のＳＣＳ。
・各論理チャネルの優先順位。
【０１２３】
応じて、ｇＮＢは、各論理チャネルのＰＢＲをＵＥにシグナリングしてもよい。
【０１２４】
ＵＥは、論理チャネルにマップされたサービスまたはアプリケーションデータパケットに関連付けられたＢＳＤ値から、ＢＳＤを、各論理チャネルに割り当ててもよい。論理チャネルのＢＳＤは、例えば、論理チャネルにマップされたサービスまたはアプリケーションデータパケットのＢＳＤの中で、最も高いＢＳＤ、または論理チャネルにマップされたサービスまたはアプリケーションデータパケットのＢＳＤの合計であってもよい。Ｖ２ＸサービスごとのＢＳＤは、本明細書に記載されるＮＲ  Ｖ２Ｘ  ＭＯでプロビジョニングされるのと同様に決定されてもよい。あるいは、ＵＥは、論理チャネルごとのバケットサイズ長を用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、Ｖ２Ｘ通信論理チャネルのリスト、および、以下のうち１つまたは複数をｇＮＢにシグナリングしてもよい。
・本明細書に記載されるＮＲ  Ｖ２Ｘ  ＭＯで規定されるような、各論理チャネルにマップされたサービスまたはアプリケーションデータパケットに対する１つまたは複数のＰＢＲ。
・本明細書に記載されるＮＲ  Ｖ２Ｘ  ＭＯで規定されるような、論理チャネルのそれぞれにマップされたサービスまたはアプリケーションデータパケットに対する、１つまたは複数の許容ＲＡＴ、許容ＲＡＴバージョン、または許容送信プロファイル。
・本明細書に記載されるＮＲ  Ｖ２Ｘ  ＭＯで規定されるような、各論理チャネルにマップされたサービスまたはアプリケーションデータパケットに対する１つまたは複数のＳＣＳ。
・論理チャネルのそれぞれの優先順位。
【０１２５】
応じて、ｇＮＢは、各論理チャネルのＢＳＤをＵＥにシグナリングしてもよい。
【０１２６】
ＵＥは、各論理チャネルに許容ＳＣＳのリストを割り当ててもよい。論理チャネルの許容ＳＣＳのリストは、論理チャネルにマップされたＶ２Ｘサービスごとの許容ＳＣＳリストの共通サブセットであってもよい。Ｖ２Ｘサービスごとの許容ＳＣＳのリストは、本明細書に記載されるＮＲ  Ｖ２Ｘ  ＭＯでプロビジョニングされるのと同様に決定されてもよい。あるいは、ＵＥは、論理チャネルごとの許容ＳＣＳのリストを用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、以下のうち１つまたは複数と共にＶ２Ｘ通信論理チャネルのリストをｇＮＢにシグナリングしてもよい。
・本明細書に記載されるＮＲ  Ｖ２Ｘ  ＭＯでプロビジョニングされるような、各論理チャネルにマップされたサービスまたはアプリケーションデータパケットに対する１つまたは複数の許容ＳＣＳ。
・論理チャネルにマップされたサービスまたはアプリケーションデータパケットの許容キャリア周波数のうちの１つまたは複数。
・各論理チャネルにマップされたサービスまたはアプリケーションデータパケットのうち、１つまたは複数の遅延バジェットまたは最も制約のあるパケット遅延バジェット。
・論理チャネルの優先順位、ＰＰＰＰ値、または論理チャネルにマップされた各サービスまたはアプリケーションデータパケットの最も高いＰＰＰＰ値。
・論理チャネルにマップされたサービスまたはアプリケーションデータパケットのうちの１つまたは複数に対するＰＢＲ。応じて、ｇＮＢは、各論理チャネルに関連付けられた１つまたは複数の許容ＳＣＳをＵＥにシグナリングしてよい。
【０１２７】
ＵＥは、各論理チャネルに、許容ＲＡＴ、許容ＲＡＴバージョン、または許容送信プロファイルのリストを割り当ててもよい。論理チャネルの許容ＲＡＴ、許容ＲＡＴバージョン、または許容送信プロファイルのリストは、論理チャネルにマップされたＶ２Ｘサービスごとの許容ＲＡＴ、許容ＲＡＴバージョン、または許容送信プロファイルのリストの共通サブセットであってもよい。Ｖ２Ｘサービスごとの許容ＲＡＴ、許容ＲＡＴバージョン、または許容送信プロファイルのリストは、本明細書に記載されるＮＲ  Ｖ２Ｘ  ＭＯでプロビジョニングされるのと同様に決定されてもよい。あるいは、ＵＥは、論理チャネルごとの許容ＲＡＴ、許容ＲＡＴバージョン、または許容送信プロファイルのリストを用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、以下のうち１つまたは複数と共にＶ２Ｘ通信論理チャネルのリストをｇＮＢにシグナリングしてもよい。
・各論理チャネルにマップされたサービスまたはアプリケーションデータパケットの許容キャリア周波数のうちの１つまたは複数。
・本明細書に記載されるＮＲ  Ｖ２Ｘ  ＭＯで規定されるような、各論理チャネルにマップされたサービスまたはアプリケーションデータパケットの許容ＲＡＴのうち１つまたは複数。
・各論理チャネルにマップされたサービスまたはアプリケーションデータパケットのうち、１つまたは複数の遅延バジェットまたは最も制約のあるパケット遅延バジェット。
・論理チャネルの優先順位、ＰＰＰＰ値、または各論理チャネルにマップされたサービスまたはアプリケーションデータパケットの最も高いＰＰＰＰ値。
・各論理チャネルにマップされた１つまたは複数のサービスまたはアプリケーションデータパケットに対するＰＢＲ。
【０１２８】
応じて、ｇＮＢは、各論理チャネルに関連付けられた１つまたは複数の許容ＲＡＴ、許容ＲＡＴバージョン、または許容送信プロファイルをＵＥにシグナリングしてよい。
【０１２９】
ＵＥは、各論理チャネルに最大許容遅延を割り当ててもよい。ＵＥは、論理チャネルにマップされたサービスまたはアプリケーションデータパケットのパケット遅延バジェットから、論理チャネルごとの許容遅延を導出してもよい。例えば、ＵＥは、最も制約のある遅延バジェット、例えば、論理チャネルにマップされたサービスまたはアプリケーションデータパケットの遅延バジェットの中の、最小遅延バジェットを使用して、論理チャネルの許容遅延を導出してもよい。論理チャネルにマップされたサービスまたはアプリケーションデータパケットの遅延バジェットは、本明細書に記載されるＮＲ  Ｖ２Ｘ  ＭＯで規定されるようなプロビジョニングから決定されてよい。あるいは、ＵＥは、許容遅延を用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、以下のうち１つまたは複数と共にＶ２Ｘ通信論理チャネルのリストをｇＮＢにシグナリングしてもよい。
・本明細書に記載されるＮＲ  Ｖ２Ｘ  ＭＯでプロビジョニングされるような、各論理チャネルにマップされたサービスまたはアプリケーションデータパケットに対する許容ＰＤＢのうち１つまたは複数、または最も制約のあるＰＤＢ。
・論理チャネルの優先順位、１つまたは複数のＰＰＰＰ値、または各論理チャネルにマップされたサービスまたはアプリケーションデータパケットの最高優先順位のＰＰＰＰ（例えば、最も小さいＰＰＰＰ値）。応じて、ｇＮＢは、論理チャネルごとの許容遅延をＵＥにシグナリングしてもよい。サイドリンクＱｏＳ特徴のような遅延の代わりに、限定はされないが、ＱｏＳフロー、送信範囲、信頼性、ＰＱＩまたは優先順位を含む任意の他のサイドリンクＱｏＳ特徴が使用されてもよい。
【０１３０】
ＵＥは、各論理チャネルに最大許容ＳＬ−ＳＣＨ時間長を割り当ててもよい。ＵＥは、論理チャネルにマップされたサービスまたはアプリケーションデータパケットのパケット遅延バジェットから、論理チャネルごとの許容ＳＬ−ＳＣＨ時間長を導出してもよい。例えば、ＵＥは、論理チャネルにマップされたサービスまたはアプリケーションデータパケットの遅延バジェットの中の、最小遅延バジェットである場合がある最も制約のある遅延バジェットを使用して、論理チャネルの許容ＳＬ−ＳＣＨ時間長を導出してもよい。論理チャネルにマップされたサービスまたはアプリケーションデータパケットの遅延バジェットは、本明細書に記載されるＮＲ  Ｖ２Ｘ  ＭＯで規定されるようなプロビジョニングから決定されてよい。あるいは、ＵＥは、許容遅延を用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、以下のうち１つまたは複数と共にＶ２Ｘ通信論理チャネルのリストをｇＮＢにシグナリングしてもよい。
・本明細書に記載されるＮＲ  Ｖ２Ｘ  ＭＯでプロビジョニングされるような、各論理チャネルにマップされたサービスまたはアプリケーションデータパケットに対する許容ＰＤＢのうち１つまたは複数、または最も制約のあるＰＤＢ。
・論理チャネルの優先順位、１つまたは複数のＰＰＰＰ値、または各論理チャネルにマップされたサービスまたはアプリケーションデータパケットの最高優先順位のＰＰＰＰ（例えば、最も小さいＰＰＰＰ値）。
・本明細書に記載されるＮＲ  Ｖ２Ｘ  ＭＯでプロビジョニングされるような、各論理チャネルにマップされたサービスまたはアプリケーションデータパケットに対する許容ＳＣＳのうち１つまたは複数。
【０１３１】
応じて、ｇＮＢは、論理チャネルごとの許容遅延をＵＥにシグナリングしてもよい。
【０１３２】
ＵＥは、各論理チャネルに許容Ｖ２Ｘサービングキャリア周波数のリストを割り当ててもよい。論理チャネルの許容キャリア周波数のリストは、論理チャネルにマップされた各Ｖ２Ｘサービスの許容キャリア周波数のリストの共通サブセットであってもよい。Ｖ２Ｘサービスごとの許容キャリア周波数のリストは、本明細書に記載されるＮＲ  Ｖ２Ｘ  ＭＯでプロビジョニングされるのと同様に決定されてもよい。あるいは、ＵＥは、論理チャネルごとの許容キャリア周波数のリストを用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、以下のうち１つまたは複数と共にＶ２Ｘ通信論理チャネルのリストをｇＮＢにシグナリングしてもよい。
・各論理チャネルにマップされたサービスまたはアプリケーションデータパケットの許容キャリア周波数のうちの１つまたは複数。
・本明細書に記載されるＮＲ  Ｖ２Ｘ  ＭＯで規定されるような、各論理チャネルにマップされたサービスまたはアプリケーションデータパケットの許容ＲＡＴのうち１つまたは複数。
・各論理チャネルにマップされたサービスまたはアプリケーションデータパケットのうち、１つまたは複数の遅延バジェットまたは最も制約のあるパケット遅延バジェット。
・論理チャネルの優先順位、ＰＰＰＰ値、または各論理チャネルにマップされたサービスまたはアプリケーションデータパケットの最も高いＰＰＰＰ値。
・各論理チャネルにマップされたサービスまたはアプリケーションデータパケットのうちの１つまたは複数に対するＰＢＲ。
【０１３３】
応じて、ｇＮＢは、各論理チャネルに関連付けられた１つまたは複数の許容キャリア周波数をＵＥにシグナリングしてよい。
【０１３４】
ＵＥは、各論理チャネルに許容ＢＷＰのリストを割り当ててもよい。論理チャネルの許容ＢＷＰのリストは、論理チャネルにマップされた各Ｖ２Ｘサービスの許容ＢＷＰのリストの共通サブセットであってもよい。Ｖ２Ｘサービスごとの許容ＢＷＰのリストは、ＮＲ  Ｖ２Ｘ  ＭＯでプロビジョニングされるのと同様に決定されてもよい。あるいは、ＵＥは、論理チャネルごとの許容ＢＷＰのリストを用いて、共通ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、ＬＴＥ類似のＵＥ支援情報メッセージまたはＬＴＥ類似のＶ２Ｘ  ＵＥ情報メッセージで、以下のうち１つまたは複数と共にＶ２Ｘ通信論理チャネルのリストをｇＮＢにシグナリングしてもよい。
・各論理チャネルにマップされたサービスまたはアプリケーションデータパケットの許容ＢＷＰのうちの１つまたは複数。
・各論理チャネルにマップされたサービスまたはアプリケーションデータパケットの許容キャリア周波数のうちの１つまたは複数。
・本明細書に記載されるＮＲ  Ｖ２Ｘ  ＭＯで規定されるような、各論理チャネルにマップされたサービスまたはアプリケーションデータパケットの許容ＲＡＴのうち１つまたは複数。
・各論理チャネルにマップされたサービスまたはアプリケーションデータパケットのうち、１つまたは複数の遅延バジェットまたは最も制約のあるパケット遅延バジェット。
・論理チャネルの優先順位、ＰＰＰＰ値、または各論理チャネルにマップされたサービスまたはアプリケーションデータパケットの最も高いＰＰＰＰ値。
・各論理チャネルにマップされたサービスまたはアプリケーションデータパケットのうちの１つまたは複数に対するＰＢＲ。
【０１３５】
応じて、ｇＮＢは、各論理チャネルに関連付けられた１つまたは複数の許容キャリア周波数をＵＥにシグナリングしてよい。
【０１３６】
ＵＥは、送信モードを論理チャネルに割り当ててもよい。マッピングは、１対１マッピングであるか、または複数の送信モードが１つの論理チャネルにマップされてよい。ＵＥは、論理チャネルへの送信モードのマッピングを決定する際に、上述の論理チャネル導出パラメータのうち１つまたは複数を使用してもよい。あるいは、ＵＥは、論理チャネルへの送信モードのマッピングを用いて、ＲＲＣシグナリング（例えば、システム情報ブロードキャストシグナリング）または専用ＲＲＣシグナリング（例えば、ＲＲＣ再構成メッセージ）を通して、ｇＮＢによって構成されてよい。ＵＥは、送信モードと論理チャネルとの間のマッピングを用いてＵＥを構成するｇＮＢを支援するために、ＬＴＥ類似のＵＥ支援情報メッセージまたはＬＴＥ類似のＶ２Ｘ  ＵＥ情報メッセージで、上述の論理チャネル導出パラメータのうち１つまたは複数をｇＮＢにシグナリングしてもよい。基地局は、ＬＣＨへのＶ２Ｘサービスのマッピング、すなわち言い換えると、ＱｏＳフローへのサービスのマッピング、ベアラへのＱｏＳフローのマッピング、ならびに、ＬＣＨへのベアラのマッピングを用いてＵＥを構成し、それにより、サービス、ＱｏＳフローまたはベアラに対して送信モードを構成してもよい。本発明で使用する場合、基地局とは、スケジューラ、任意の他のＲＡＮネットワークノードまたはコアネットワークノードを意味する場合がある。代替実施形態は、送信モードを、送信範囲またはリソース割り当てモードと置き換えて導出される場合もある。
【０１３７】
本明細書に提示されるＬＴＥ類似のＵＥ支援情報メッセージまたはＬＴＥ類似のＶ２Ｘ  ＵＥ情報メッセージは、以下のうち１つまたは複数を追加として含んでもよい。
・ＰＣ５フロー識別子（ＰＦＩ）のリスト
・ＰＣ５  ＱｏＳプロファイル識別子（ＰＱＩ）のリスト
・ＰＦＩまたはＰＱＩに対する送信範囲
・ＰＦＩまたはＰＱＩに対する送信モード
・ＰＦＩまたはＰＱＩに対する送信リソース割り当てモード
・優先順位要件、信頼性要件、遅延要件、範囲要件、送信モード要件、リソースタイプ、例えば、保証ビットレート（Guaranteed  Bit  Rate：ＧＢＲ）、遅延クリティカルＧＢＲ、または非ＧＢＲ、保証フロービットレート、最大フロービットレートなどの１つまたは複数のＱｏＳ要件
・送信モード（ユニキャスト、グループキャスト、またはブロードキャスト）のマッピング、およびＶ２Ｘサービス、例えばＶ２ＸアプリケーションのＰＳＩＤまたはＩＴＳ−ＡＩＤ
・ＰＣ５  ＱｏＳ識別子（ＰＱＩ）とＶ２Ｘサービスとのマッピング
・送信範囲とＶ２Ｘサービス（例えば、ＰＳＩＤまたはＩＴＳ−ＡＩＤ）とのマッピング
・各ＱｏＳ規則が、関連するＱｏＳフローのＱＦＩ、パケットフィルタセット、および優先値を含む場合の許容ＰＣ５  ＱｏＳ規則
・ＰＦＩ（ＱｏＳフロー識別子）とＰＱＩとのマッピング、ＰＱＩと論理チャネルとのマッピング、ＱＦＩとサイドリンクベアラとのマッピング、ＱｏＳ特徴、例えばＱｏＳプロファイルへのＰＱＩのマッピング、もしくは、リソース割り当てモードと論理チャネルとのマッピング、またはリソース割り当てモードとＱｏＳフローとのマッピング
【０１３８】
上述の論理チャネル導出パラメータはまた、上述のパラメータのいずれかを含んでもよい。
【０１３９】
図１６は、Ｖ２Ｘ構成パラメータを用いてＭＡＣを構成するためのプロシージャ１６００を示し、これは、本明細書に記載される実施形態のいずれかと組み合わせて使用されてよい。ステップ１６１０で、ＵＥ−ＲＲＣは、ＵＥがＶ２Ｘ通信に関心があることをシグナリングしてよい。ステップ１６１１で、ＵＥ−Ｖ２Ｘ機能１６０３は、ＵＥ  Ｖ２Ｘ構成パラメータを事前構成またはプロビジョニングしてもよい。ステップ１６１２で、ＵＥ−ＲＲＣ１６０２は、カバレッジインジケーションで、Ｖ２Ｘ構成パラメータ要求をＵＥ−Ｖ２Ｘ機能１６０３に送信してもよい。ステップ１６１３で、ＵＥ−ＲＲＣ１６０２およびＵＥ−Ｖ２Ｘ機能１６０３は、ＵＥがカバレッジ内にあり、かつＵＥ−Ｖ２プロビジョニング式構成パラメータ有効性タイマが満了したと判断する場合がある。ステップ１６１４で、ＵＥ−Ｖ２Ｘ機能は、ｇＮＢ  １６０４を介して、Ｖ２Ｘ構成パラメータ要求をＶ２Ｘ制御機能１６０５に送信してもよい。ステップ１６１５で、Ｖ２Ｘ構成パラメータは、Ｖ３インターフェースを通してプロビジョニングされてよい（ＮＲ基本Ｖ２Ｘ  ＭＯまたはＮＲ拡張Ｖ２ＸＸ  ＭＯの全てまたは一部）。ステップ１６１６で、ＵＥ  ＲＲＣ１６０２およびＵＥ−Ｖ２Ｘ機能１６０３は、新しいＶ２Ｘ構成パラメータを記憶するか、または記憶されているＶ２Ｘ構成パラメータを更新してもよい。ステップ１６１７で、Ｖ２Ｘ構成パラメータ要求の応答が、受信されてよい（ＮＲ基本Ｖ２Ｘ  ＭＯまたはＮＲ拡張Ｖ２Ｘ  ＭＯの全てまたは一部）。ステップ１６１８で、ＵＥ  ＲＲＣ１６０２およびＵＥ−Ｖ２Ｘ機能１６０３は、新しいＶ２Ｘ構成パラメータを記憶するか、または記憶されているＶ２Ｘ構成パラメータを更新してもよい。ステップ１６１９で、ＵＥは、ＲＲＣ専用シグナリングまたはＲＲＣ共通シグナリングで、ＲＡＮ固有Ｖ２Ｘ構成パラメータと共にＬＴＥ類似のＵＥ支援情報メッセージまたはＬＴＥ類似のＶ２Ｘ  ＵＥ情報メッセージをｇＮＢ１６０４にシグナリングしてもよい。ステップ１６２０で、ＵＥ−ＲＲＣ１６０２およびＵＥ−Ｖ２Ｘ機能１６０３は、新しいＶ２Ｘ構成パラメータを記憶するか、または記憶されているＶ２Ｘ構成パラメータを更新してもよい。ステップ１６２１で、ＵＥ−ＭＡＣ１６０１は、適切なＶ２ＸパラメータおよびＬＣＰ制御パラメータを用いて構成されてよい。
【０１４０】
ＵＥは、新しいサイドリンク送信向けに、基地局からサイドリンク送信リソースグラントを受信してもよい。受信されるサイドリンクリソースグラントは、スケジュールされたリソースグラントであってもよく、このサイドリンクリソースグラントは、スケジューリングがサイドリンクインターフェースを介して実施される場合のＰＨＹサイドリンク制御情報（ＳＣＩ）、またはスケジューリングがＵｕインターフェースを通して実施される場合のＰＨＹ下りリンク制御情報（Downlink  Control  Information：ＤＣＩ）のような物理層（Physical  Layer：ＰＨＹ）シグナリングを介して、ＵＥに割り当てられる。あるいは、受信されるサイドリンクリソースグラントは、構成されたリソースグラント、例えば、タイプ１類似のリソースグラントまたはタイプ２類似のリソースグラントであってもよく、この際、タイプ１リソースグラントおよびタイプ２リソースグラントは、ＮＲリリース１５の、タイプ１リソースグラントおよびタイプ２リソースグラントの現在の定義に従うものである。別の代替策では、受信されるサイドリンクリソースグラントは、ネットワーク、例えば、基地局によってＵＥに（事前）構成されたリソースプールから、ＵＥによって自律的に選択されるサイドリンクリソースグラントであってもよい。別の実施形態では、受信されるリソースグラントは、いわゆるリソース割り当てモード１またはモード２、より詳細には、リリース１６  ＮＲのコンテキストで議論されるようなモード２ｄに従って、割り当てられる場合もある。
【０１４１】
新しいサイドリンク送信が実施されるときに、ＭＡＣエンティティは、以下の条件のうち１つまたは複数を使用して、サイドリンクグラントによって機能することが許可されるサイドリンク論理チャネルを決定してもよい。
・サイドリンク論理チャネルの許容Ｖ２Ｘサービングセルのセット（構成されている場合）は、サイドリンクグラントに関連付けられたセル情報を含む。
・サイドリンク論理チャネルの許容ＳＣＳのセット（構成されている場合）は、サイドリンクグラントに関連付けられたＳＣＳを含む。
・サイドリンク論理チャネルの許容遅延（構成されている場合）は、サイドリンクグラントに関連付けられた許容遅延より大きいかまたは等しいものであってもよい。
・サイドリンク論理チャネルの許容ＳＬ−ＳＣＨ時間長（構成されている場合）は、サイドリンクグラントに関連付けられたＳＬ−ＳＣＨ時間長より大きいかまたは等しいものであってもよい。
・サイドリンク論理チャネルの許容ＳＬ−ＳＣＨ  Ｋ２時間長（構成されている場合）は、サイドリンクグラントに関連付けられたＳＬ−ＳＣＨ時間長より大きいかまたは等しいものであってもよい。
・サイドリンク論理チャネルの許容ＲＡＴのセット（構成されている場合）は、グラントに関連付けられたＲＡＴを含んでもよい。
・サイドリンク論理チャネルの許容ＲＡＴバージョンのセット（構成されている場合）は、サイドリンクグラントに関連付けられたＲＡＴバージョンを含んでもよい。
・サイドリンク論理チャネルの許容ＢＷＰのセット（構成されている場合）は、サイドリンクグラントに関連付けられたＢＷＰを含んでもよい。
・サイドリンク論理チャネルの許容送信プロファイルのセット（構成されている場合）は、サイドリンクグラントに関連付けられた送信プロファイルを含んでもよい。
・サイドリンク論理チャネルの許容送信モード（構成されている場合）は、サイドリンクグラントに関連付けられた送信モードを含んでもよい。
・サイドリンク論理チャネルの許容送信範囲（構成されている場合）は、サイドリンクグラントに関連付けられた送信範囲を含んでもよい。
・サイドリンク論理チャネルの許容リソース割り当てモード（構成されている場合）は、リソースグラントに使用されるリソース割り当てモードを示してもよい。
【０１４２】
上記で規定されるようなサイドリンク論理チャネルへの制約のマッピングに従って選択されるサイドリンク論理チャネルは、「選択サイドリンク論理チャネル」と呼ばれる場合がある。
【０１４３】
新しい送信が実施されるときに、ＭＡＣエンティティは、選択サイドリンク論理チャネルのみに、リソースを割り当ててよい。
【０１４４】
論理チャネル選択プロシージャの一部としてのＶ２Ｘ送信宛先の選択のために、用語「選択サイドリンク論理チャネル」は、上述のように、例えば、サイドリンクリソースグラントによって機能することが許可されるような選択されるサイドリンク論理チャネルに関して使用される場合があり、これは、上述のサイドリンクリソースグラントに対するマッピング制約を実現するサイドリンク論理チャネルを含む場合がある。
【０１４５】
別の実施形態による宛先の選択が本明細書に記載され、これは、本明細書に記載される実施形態のいずれかと組み合わせて使用されてよい。第１送信宛先選択方法では、ＭＡＣエンティティは、新しい送信が実施されるときに、ＰｒｏＳｅ宛先、例えば、送信に利用可能なデータを有する選択サイドリンク論理チャネルの中から、最高優先順位の選択サイドリンク論理チャネルを有する送信宛先を選択してもよい。本明細書に記載される論理チャネル選択解決策で定められるような、同じ宛先ＩＤおよび送信に利用可能なデータを有する各選択サイドリンク論理チャネルは、１つのＰＤＵ内で多重化され、かつ組み立てられてよい。
【０１４６】
ＵＥが複数の送信チェーンをサポートする場合、ＵＥは、複数の宛先に同時に送信してもよい。ＵＥは、送信宛先の優先順位の降順で、ＰｒｏＳｅ宛先、送信チェーンごとに１つのＰｒｏＳｅ宛先を選択する。送信宛先の優先順位は、その宛先の選択論理チャネルの中で、優先順位が最も高く、かつ送信に利用可能なデータを有する選択サイドリンク論理チャネルの優先順位である。宛先選択プロシージャによって選択された宛先は、「選択宛先」として本明細書にて表される場合がある。
【０１４７】
図１７は、単一の送信チェーンでのＶ２Ｘ送信宛先選択プロシージャ１７００を示す。ステップ１７１０で、グラント割り当てで論理チャネル選択が実施されてよい。ステップ１７１１で、利用可能なＶ２Ｘ送信宛先の中から、送信に利用可能なデータを有する選択論理チャネルを有するＶ２Ｘ送信宛先が選択されてよい。
【０１４８】
図１８は、複数の送信チェーンでのＶ２Ｘ送信宛先選択プロシージャ１８００を示す。ステップ１８１０で、グラント割り当てで論理チャネル選択が実施されてよい。ステップ１８１１で、利用可能なＶ２Ｘ送信宛先の中から、送信に利用可能なデータを有する選択論理チャネルを有するＶ２Ｘ送信宛先が選択されてよい。ステップ１８１２で、選択Ｖ２Ｘ送信宛先は、利用可能なＶ２Ｘ送信宛先のセットから削除されてよい。ステップ１８１３で、より多くの利用可能な送信チェーンがあるかが判断されてよく、より多くの利用可能な送信チェーンがある場合、ステップ１８１１が繰り返される。
【０１４９】
送信モードは、ブロードキャスト、グループキャストまたはユニキャストを含む場合がある。送信モード優先順位が、ＵＥ内に（事前）構成されるか、または規定されてよい。例えば、ブロードキャスト送信は、グループキャスト送信よりも高い優先順位であってもよく、このグループキャスト送信は、ユニキャスト送信よりも高い優先順位である場合がある。
【０１５０】
代替送信宛先選択方法では、ＭＡＣエンティティは、新しい送信が実施されるときに、ＰｒｏＳｅ宛先、例えば、送信に利用可能なデータを有する選択サイドリンク論理チャネルの中から、最高優先順位の選択サイドリンク論理チャネルを有する送信宛先を選択してもよい。同順の場合、例えば、複数の送信宛先が、送信に利用可能なデータを伴う最高優先順位の選択論理チャネルを有する場合、ＵＥは、以下のうち１つに従って送信宛先を選択してもよい。
【０１５１】
タイアップ宛先の中の宛先のうち、最も送信モード優先順位が高く、送信に利用可能なデータを有する選択論理チャネルの中で、最も高い選択優先順位の論理チャネルを有する宛先。言い換えると、タイアップ宛先の中で、最も送信モード優先順位が高く、送信向けのデータを有する選択論理チャネルが識別される。送信宛先は、次いで、最も送信モードが高く、利用可能なデータ送信を有すると判断された論理チャネルの中の最高優先順位の論理チャネルに対応する宛先として選択されてよい。
【０１５２】
タイアップ宛先の中の宛先のうち、送信モード優先順位がより高く、送信に利用可能なデータを有する最も高い選択された優先順位の論理チャネルを有する宛先。言い換えると、タイアップ宛先の中で、選択宛先は、送信に利用可能なデータを伴う選択された最高優先順位のチャネルが、より高い送信モードを有するものである。
【０１５３】
用語「選択論理チャネル」は、上述のように、サイドリンクリソースグラントによって機能することが許可されるような選択されるサイドリンク論理チャネルに関して使用される場合があり、これは、上述のサイドリンクリソースグラントに対するマッピング制約を実現できるサイドリンク論理チャネルを含む場合がある。
【０１５４】
別の代替送信宛先選択方法では、ＵＥは、最も送信モード優先順位が高く、送信に利用可能なデータを有し、かつ上述のリソースグラントに対する論理チャネルのマッピング制約を実現する論理チャネルを有する送信宛先を選択してもよい。同順の場合、ＵＥは、以下のうち１つに従って、タイアップ送信宛先の中で選択してもよい。
【０１５５】
最も送信モード優先順位が高く、送信に利用可能なデータを有し、かつ、上述のリソースグラントに対する論理チャネルのマッピング制約を実現する最高優先順位の論理チャネルを有する宛先。
【０１５６】
送信に利用可能なデータを有し、かつ上述のリソースグラントに対する論理チャネルのマッピング制約を実現できる最高優先順位の論理チャネルを有する宛先。
【０１５７】
さらに別の代替送信宛先選択方法では、ＵＥは、最も送信モード優先順位が高く、送信に利用可能なデータを有し、かつ上述のリソースグラントに対する論理チャネルのマッピング制約を実現できる最高優先順位の論理チャネルを有する送信宛先を選択してもよい。
【０１５８】
代替プロシージャのうち１つまたは複数が、サイドリンクＬＣＰプロシージャの間のリソース割り当てのために使用されてよい。
【０１５９】
図１９は、一実施形態によるＮＲ  Ｖ２ＸサイドリンクＬＣＰプロシージャの間の一例示的リソース割り当てプロシージャ１９００を示し、これは、本明細書に記載される実施形態のいずれかと組み合わせて使用されてよい。エンティティは、新しい送信が実施されるときに、プロシージャ１９００に基づいて、リソースを割り当ててよい。
【０１６０】
ステップ１９１０で、利用可能なリソースグラントがあるかが判断される場合がある。ステップ１９１１で、選択サイドリンク論理チャネル（選択宛先のＢｊ＞０のＬＣＨｊ）は、降順の優先順位で、リソースに割り当てられてよく、選択論理チャネルおよび選択宛先は、本明細書に記載される論理チャネル選択解決策および宛先選択解決策で、それぞれ定められるようなものである。選択宛先の選択論理チャネルのＰＢＲが「無限」と設定される場合、ＭＡＣエンティティは、より低い優先順位の選択サイドリンク論理チャネルのＰＢＲを満たす前に、選択サイドリンク論理チャネルでの送信に利用可能な全データに対してリソースを割り当ててもよい。ステップ１９１２で、Ｂｊは、上記のサイドリンク論理チャネルｊに提供されるＭＡＣ  ＳＤＵの合計サイズだけデクリメントされてよい。
【０１６１】
ステップ１９１３で、利用可能なリソースグラントがあるかが判断される場合がある。ステップ１９１４で、リソースグラントが残っている場合、その論理チャネルのデータまたはサイドリンクグラントがどちらかが先に使い果たされるまで、選択宛先の全選択サイドリンク論理チャネルは、厳密に優先順位の降順で（Ｂｊの値に関係なく）機能する場合がある。優先順位が等しく構成された選択宛先の選択サイドリンク論理チャネルは、等しく機能する場合がある。
【０１６２】
図２０は、別の実施形態によるＮＲ  Ｖ２ＸサイドリンクＬＣＰプロシージャの間の、別の例示的リソース割り当てプロシージャ２０００を示し、これは、本明細書に記載される実施形態のいずれかと組み合わせて使用されてよい。エンティティは、新しい送信が実施されるときに、プロシージャ２０００に基づいて、論理チャネルにリソースを割り当ててよい。ステップ２０１０で、利用可能なリソースグラントがあるかが判断される場合がある。ステップ２０１１で、リソースは、送信向けのデータを有する選択宛先の最高優先順位の選択サイドリンク論理チャネルに割り当てられてよく、選択論理チャネルおよび選択宛先は、本明細書に記載される論理チャネル選択解決策および宛先選択解決策で、それぞれ定められるようなものである。ステップ２０１２で、利用可能なリソースグラントがあるかが判断される場合がある。ステップ２０１３で、リソースが残っている場合、選択サイドリンク論理チャネルのデータまたはサイドリンクグラントがどちらかが先に使い果たされるまで、選択宛先に属する選択サイドリンク論理チャネルは、厳密に優先順位の降順で機能する場合がある。優先順位が等しく構成された選択宛先の選択サイドリンク論理チャネルは、等しく機能する場合がある。
【０１６３】
図２１は、別の実施形態によるＮＲ  Ｖ２ＸサイドリンクＬＣＰプロシージャの間の、さらに別の例示的リソース割り当てプロシージャ２１００を示し、これは、本明細書に記載される実施形態のいずれかと組み合わせて使用されてよい。エンティティは、新しい送信が実施されるときに、プロシージャ２１００に基づいて、論理チャネルにリソースを割り当ててよい。ステップ２１１０で、利用可能なリソースグラントがあるかが判断される場合がある。ステップ２１１１で、リソースは、送信向けのデータを有する選択宛先の最高優先順位の選択サイドリンク論理チャネルに割り当てられてよく、選択論理チャネルおよび選択宛先は、本明細書に記載される論理チャネル選択解決策および宛先選択解決策で、それぞれ定められるようなものである。ステップ２１１２で、利用可能なリソースグラントがあるかが判断される場合がある。ステップ２１１３で、リソースが残っている場合、選択サイドリンク論理チャネル（選択宛先のＢｊ＞０のＬＣＨｊ）は、降順の優先順位で、リソースに割り当てられてよく、選択論理チャネルおよび選択宛先は、本明細書に記載される論理チャネル選択解決策および宛先選択解決策で、それぞれ定められるようなものである。選択宛先の選択サイドリンク論理チャネルのＰＢＲが「無限」に設定される場合、ＭＡＣエンティティは、より低い優先順位の選択サイドリンク論理チャネルを機能させる前に、サイドリンク論理チャネルでの送信に利用可能な全データに対してリソースを割り当ててもよい。ステップ２１１４で、Ｂｊは、上記のサイドリンク論理チャネルｊに提供されるＭＡＣ  ＳＤＵの合計サイズだけデクリメントされてよい。ステップ２１１５で、利用可能なリソースグラントがあるかが判断される場合がある。ステップ２１１６で、リソースが残っている場合、その論理チャネルのデータまたはＵＬグラントがどちらかが先に使い果たされるまで、選択宛先の全選択サイドリンク論理チャネルは、厳密に優先順位の降順で（Ｂｊの値に関係なく）機能する場合がある。優先順位が等しく構成された選択宛先の選択サイドリンク論理チャネルは、等しく機能する場合がある。
【０１６４】
別の実施形態による上りリンクデータ論理チャネル優先順位付けに対する解決策が、本明細書に記載されるが、これは、本明細書に記載される実施形態のいずれかと組み合わせて使用されてよい。本解決策は、ＮＲ上りリンクデータ論理チャネル優先順位付けプロシージャ、例えば、ＮＲ  Ｕｕインターフェースを通した論理チャネル優先順位付けプロシージャでのサイドリンク関連送信の影響に関する。
【０１６５】
Ｒｅｌ−１５  ＬＴＥでは、非パディングＢＳＲは、非パディングサイドリンクＢＳＲよりも優先され、この非パディングサイドリンクＢＳＲは、ＵＬ−ＣＣＣＨからのデータを除くいずれの論理チャネルからのデータよりも優先される。同様に、Ｒｅｌ−１５  ＮＲでは、非パディングＢＳＲは、ＵＬ−ＣＣＣＨからのデータを除くいずれの論理チャネルからのデータよりも優先される。ＮＲ  Ｖ２Ｘの導入については、サイドリンクＢＳＲに対する非パディングＢＳＲの優先順位付けは、上りリンク送信とサイドリンク送信との間と同じ優先順序に従ってもよく、例えば、サイドリンク送信が上りリンク送信よりも優先される場合、対応するサイドリンクＢＳＲは、対応する上りリンク送信ＢＳＲよりも優先されてよい。特に、非パディングＶ２ＸサイドリンクＢＳＲは、以下の条件を満たす場合、非パディングＢＳＲよりも優先されてよい。
（１）ＢＳＲに関与するＵＬデータが、上位層によって、サイドリンクＢＳＲに関与するサイドリンクデータよりも優先されない場合。
（２）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さい場合。
【０１６６】
上記の条件の第２のものは、上りリンク通信の優先順位に関係なく、非緊急上りリンク通信よりも高いサイドリンク通信の優先順位付けのための絶対的なＶ２Ｘサイドリンク閾値を仮定する。上述のように、本条件は、上りリンク送信に対するＮＲ  Ｖ２Ｘサイドライン通信の優先順位付けに十分ではない場合がある。したがって、一実施形態によって、上りリンク送信の優先順位は、Ｖ２Ｘサイドリンク送信を上りリンク送信より高く優先順位付けする際にも使用される場合がある。したがって、上記の第２条件に対する代替の例は、以下を含む場合がある。
【０１６７】
（１）サイドリンクＢＳＲに関与するサイドリンクデータ向けのサイドリンク論理チャネルの最高優先順位の値が、ＢＳＲに関与するＵＬデータ向けの論理チャネルの最高優先順位の値よりも小さい場合。
【０１６８】
（２）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さく、かつ、サイドリンクＢＳＲに関与するサイドリンクデータ向けのサイドリンク論理チャネルの最高優先順位の値が、ＢＳＲに関与するＵＬデータ向けの論理チャネルの最高優先順位の値よりも小さい場合。優先順位閾値パラメータ（thresSL-TxPrioritization）は、ＳＬ  Ｖ２Ｘ送信が上りリンク送信と時間的に重複する場合、前者の優先順位を後者よりも高くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。
【０１６９】
（３）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さく、かつ、ＢＳＲに関与するＵＬデータ向けの論理チャネルの最高優先順位の値が、上りリンク送信優先順位付け下位閾値（thresUL-TxPriortization）が構成されているときはこの値よりも大きい場合。優先順位閾値パラメータthresUL-TxPrioritizationは、ＵＬ送信がサイドリンク通信と時間的に重複する場合、前者の優先順位を後者よりも低くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。
【０１７０】
（４）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さく、かつ、ＢＳＲに関与するＵＬデータ向けの論理チャネルの最高優先順位の値が、上りリンク送信優先順位付け下位閾値（thresUL-TxPriortization）が構成されているときはこの値よりも大きく、かつ、サイドリンクＢＳＲに関与するサイドリンクデータ向けのサイドリンク論理チャネルの最高優先順位の値が、ＢＳＲに関与するＵＬデータ向けの論理チャネルの最高優先順位の値よりも小さい場合。
【０１７１】
別の実施形態による上りリンクデータに対するサイドリンクデータの優先順位付けのための解決策が、本明細書に記載されるが、これは、本明細書に記載される実施形態のいずれかと組み合わせて使用されてよい。上述のように、従来のＬＴＥ  Ｖ２Ｘでは、以下の条件を満たす場合、Ｖ２Ｘサイドリンク通信の送信は、上りリンク送信よりも優先される。
（１）ＭＡＣエンティティが、送信のときに、上りリンク送信とＶ２Ｘサイドリンク通信の送信とを同時に実施することができない場合。
（２）上りリンク送信が、上位層によって優先されない場合。
（３）ＭＡＣ  ＰＤＵ内のサイドリンク論理チャネルの最高優先順位の値が、サイドリンク送信優先順位付け閾値（thresSL-TxPrioritization）が構成されているときはこの値よりも小さい場合。
【０１７２】
上記の３つの条件の第３のものは、上りリンク通信の優先順位に関係なく、非緊急上りリンク通信よりも高いサイドリンク通信の優先順位付けのための絶対的なＶ２Ｘサイドリンク閾値を仮定する。上述のように、この第３条件は、上りリンク送信に対するＮＲ  Ｖ２Ｘサイドリンク通信の優先順位付けに十分ではない場合がある。したがって、一実施形態によって、上りリンク送信の優先順位は、以下の代替のうち１つを伴う第３条件に置き換えることによって、Ｖ２Ｘサイドリンク送信を上りリンク送信より高く優先順位付けする際に使用される場合がある。
【０１７３】
（１）Ｖ２Ｘサイドリンク送信の優先順位値が、上りリンク送信の優先順位値よりも小さい場合。この基準は、全サイドリンク送信モードに使用されるのと同時に、この基準は、例えば、ユニキャスト送信の場合に特に使用されてよい。
【０１７４】
（２）Ｖ２Ｘサイドリンク送信の優先順位値が、サイドリンク送信優先順位付け閾値（thresSL-TxPrioritization）が構成されているときはこの値よりも小さく、かつ、Ｖ２Ｘサイドリンク送信の優先順位値が、上りリンク送信の優先順位値よりも小さい場合。優先順位閾値パラメータthresSL-TxPrioritizationは、ＳＬ  Ｖ２Ｘ送信が上りリンク送信と時間的に重複する場合、前者の優先順位を後者よりも高くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。この基準は、全サイドリンク送信モードに使用されるのと同時に、この基準は、ブロードキャスト送信またはグループキャスト送信に特に使用されてよい。
【０１７５】
（３）Ｖ２Ｘサイドリンク通信の優先順位値が、サイドリンク送信優先順位付け閾値（thresSL-TxPrioritization）が構成されているときはこの値よりも小さく、かつ、上りリンク送信の優先順位値が、上りリンク送信優先順位付け下位閾値（thresUL-TxPriortization）が構成されているときはこの値よりも大きい場合。優先順位閾値パラメータthresUL-TxPrioritizationは、ＵＬ送信がサイドリンク通信と時間的に重複する場合、前者の優先順位を後者よりも低くするかを決定するために用いられる閾値を示すのに使用される場合がある。それは、ＵＥに事前構成されるか、ＲＲＣ専用シグナリング、ＲＲＣ共有シグナリング、例えば、ＲＲＣブロードキャストシグナリングを通してＵＥに構成される場合がある。この基準は、全サイドリンク送信モードに使用されるのと同時に、この基準は、ブロードキャスト送信またはグループキャスト送信に特に使用されてよい。
【０１７６】
（４）Ｖ２Ｘサイドリンク送信の優先順位値が、サイドリンク送信優先順位付け閾値（thresSL-TxPrioritization）が構成されているときはこの値よりも小さく、かつ、上りリンク送信の優先順位値が、上りリンク送信優先順位付け下位閾値（thresUL-TxPriortization）が構成されているときはこの値よりも大きく、かつ、Ｖ２Ｘサイドリンク送信の優先順位値が、上りリンク送信の優先順位値よりも小さい場合。この基準は、全サイドリンク送信モードに使用されるのと同時に、この基準は、ブロードキャスト送信またはグループキャスト送信に特に使用されてよい。
【０１７７】
上記では、Ｖ２Ｘサイドリンク送信の優先順位値が、ＭＡＣ  ＰＤＵ内のサイドリンク論理チャネルの最高優先順位の値であってもよい。同様に、上りリンク送信の優先順位値は、ＭＡＣ  ＰＤＵ内の上りリンク論理チャネルの最高優先順位の値であってもよい。論理チャネルの優先順位値が小さいほど、論理チャネルの優先順位は高くなる場合がある。同様に、送信の優先順位値が小さいほど、送信の優先順位は高くなる場合がある。
【０１７８】
（５）ＭＡＣ  ＰＤＵ内のサイドリンク論理チャネルの最高優先順位の値が、サイドリンク送信優先順位付け閾値（thresSL-TxPrioritization）が構成されているときはこの値よりも小さい場合。この際、パラメータthresSL-TxPrioritizationは、各サイドリンク送信宛先に固有、各送信モードに固有、または各サイドリンク送信宛先および送信モードに固有ＵＥに（事前）構成されてよい。上りリンク送信に対するＶ２Ｘサイドリンク送信の優先順位を決定する際に、Ｖ２Ｘサイドリンク送信ＰＰＰＲまたは上りリンク送信ＰＰＰＲも、ＵＥによって考慮に入れられてもよい。同様に、上りリンク送信に対するＶ２Ｘサイドリンク送信の優先順位を決定する際に、ある送信が他の送信よりも優先される場合に失われるリスクのある無線リソースの量がＵＥによって考慮に入れられてもよい。例えば、上記の第３条件は、以下のように修正されてもよい。
【０１７９】
（１）Ｖ２Ｘサイドリンク送信の優先順位値が、上りリンク送信の優先順位値よりも小さい場合。優先順位が等しい場合、Ｖ２Ｘサイドリンク通信は、そのＰＰＰＲ値が上りリンク送信のＰＰＰＲ値よりも大きい場合に優先されてよく、あるいは、優先順位が等しい場合、Ｖ２Ｘサイドリンク通信は、その送信に対するリソースグラントの量が、上りリンク送信のリソース送信の量よりも多い場合に優先されてよい。この基準は、全サイドリンク送信モードに使用されるのと同時に、この基準は、例えば、ユニキャスト送信の場合に特に使用されてよい。
【０１８０】
（２）Ｖ２Ｘサイドリンク送信の優先順位値が、サイドリンク送信優先順位付け閾値（thresSL-TxPrioritization）が構成されているときはこの値よりも小さく、かつ、Ｖ２Ｘサイドリンク送信の優先順位値が、上りリンク送信の優先順位値よりも小さい場合。Ｖ２Ｘサイドリンク通信優先順位と上りリンク送信優先順位との間の優先順位が等しい場合、Ｖ２Ｘサイドリンク通信は、そのＰＰＰＲ値が、上りリンク送信のＰＰＰＲ値よりも大きい場合に優先されてよく、あるいは、優先順位が等しい場合、Ｖ２Ｘサイドリンク通信は、その送信に対するリソースグラントの量が、上りリンク送信のリソース送信の量よりも多い場合に優先されてよい。この基準は、全サイドリンク送信モードに使用されるのと同時に、この基準は、ブロードキャスト送信またはグループキャスト送信に特に使用されてよい。
【０１８１】
（３）Ｖ２Ｘサイドリンク送信の優先順位値が、サイドリンク送信優先順位付け閾値（thresSL-TxPrioritization）が構成されているときはこの値よりも小さく、かつ、上りリンク送信の優先順位値が、上りリンク送信優先順位付け下位閾値（thresUL-TxPriortization）が構成されているときはこの値よりも大きく、かつ、Ｖ２Ｘサイドリンク送信の優先順位値が、上りリンク送信の優先順位値よりも小さい場合。Ｖ２Ｘサイドリンク通信優先順位と上りリンク送信優先順位との間の優先順位が等しい場合、Ｖ２Ｘサイドリンク通信は、そのＰＰＰＲ値が、上りリンク送信のＰＰＰＲ値よりも大きい場合に優先されてよく、あるいは、優先順位が等しい場合、Ｖ２Ｘサイドリンク通信は、その送信に対するリソースグラントの量が、上りリンク送信のリソース送信の量よりも多い場合に優先されてよい。この基準は、全サイドリンク送信モードに使用されるのと同時に、この基準は、ブロードキャスト送信またはグループキャスト送信に特に使用されてよい。
【０１８２】
上記では、Ｖ２Ｘサイドリンク送信のＰＰＰＲ値は、ＭＡＣ  ＰＤＵ内のサイドリンク論理チャネルの最も大きいＰＰＰＲ値の値である。同様に、上りリンク送信の信頼性値が、ＭＡＣ  ＰＤＵ内の上りリンク論理チャネルの最も大きいＰＰＰＲ値の値である。論理チャネルのＰＰＰＲ値が大きいほど、論理チャネルの信頼性要件は高くなる場合がある。同様に、送信のＰＰＰＲ値が大きいほど、送信の信頼性要件は高くなる場合がある。
【０１８３】
ＵＬ  ＬＣＰに関して本明細書に記載される実施形態に鑑みて上述したように、パディングに含まれるＢＳＲを除くＢＳＲ、および、パディングに含まれるサイドリンクＢＳＲを除くサイドリンクＢＳＲはまた、ＵＬ−ＣＣＣＨからのデータを除く、いずれの論理チャネルからのデータよりも優先されてもよい。続いて、非パディングＢＳＲ対非パディングサイドリンクＢＳＲの優先順位付け、サイドリンク送信に対するＢＳＲ優先順位付けに関するＵＬ  ＬＣＰについて本明細書に記載される実施形態で説明される優先順位付けアプローチは、ＢＳＲに関与するＵＬデータと、サイドリンクデータとの間の相対的な優先順位付けに従うものであってもよい。同様に、ＵＬデータ送信に対するサイドリンクＢＳＲ優先順位付けは、サイドリンクＢＳＲに関与するサイドリンクデータとＵＬデータとの間の相対的な優先順位付けに従うものであってもよい。
【０１８４】
非パディングＶ２ＸサイドリンクＢＳＲは、以下の条件を満たす場合、ＵＬデータよりも優先されてよい。
（１）ＭＡＣエンティティが、送信のときに、上りリンク送信とＶ２Ｘサイドリンク通信の送信とを同時に実施することができない場合。
（２）ＵＬデータが、上位層によって、サイドリンクＢＳＲに関与するサイドリンクデータよりも優先されない場合。
（３）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さい場合。
【０１８５】
上記の第３条件に対する代替の例は、以下を含む場合がある。
【０１８６】
（１）サイドリンクＢＳＲに関与するサイドリンクデータ向けのサイドリンク論理チャネルの最高優先順位の値が、ＵＬ  ＭＡＣ  ＰＤＵ内の論理チャネルの最高優先順位の値よりも小さい場合。この基準は、全サイドリンク送信モードに使用されるのと同時に、例えば、サイドリンクＢＳＲに関与するサイドリンクデータ向けの最高優先順位のサイドリンク論理チャネルがユニキャスト送信に対応する場合に、この基準は特に使用されてよい。
【０１８７】
（２）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さく、かつ、サイドリンクＢＳＲに関与するサイドリンクデータ向けのサイドリンク論理チャネルの最高優先順位の値が、ＵＬ  ＭＡＣ  ＰＤＵ内の論理チャネルの最高優先順位の値よりも小さい場合。優先順位閾値パラメータthresSL-TxPrioritizationは、ＳＬ  Ｖ２Ｘ送信が上りリンク送信と時間的に重複する場合、前者の優先順位を後者よりも高くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。この基準は、全サイドリンク送信モードに使用されるのと同時に、例えば、サイドリンクＢＳＲに関与するサイドリンクデータ向けの最高優先順位のサイドリンク論理チャネルがグループキャストまたはブロードキャスト送信に対応する場合に、この基準は特に使用されてよい。
【０１８８】
（３）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さく、かつ、ＵＬ  ＭＡＣ  ＰＤＵ内の論理チャネルの最高優先順位の値が、上りリンク送信優先順位付け下位閾値（thresUL-TxPriortization）が構成されているときはこの値よりも大きい場合。優先順位閾値パラメータthresUL-TxPrioritizationは、ＵＬ送信がサイドリンク通信と時間的に重複する場合、前者の優先順位を後者よりも低くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。この基準は、全サイドリンク送信モードに使用されるのと同時に、例えば、サイドリンクＢＳＲに関与するサイドリンクデータ向けの最高優先順位のサイドリンク論理チャネルがグループキャストまたはブロードキャスト送信に対応する場合に、この基準は特に使用されてよい。
【０１８９】
（４）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さく、かつ、ＵＬ  ＭＡＣ  ＰＤＵ内の論理チャネルの最高優先順位の値が、上りリンク送信優先順位付け下位閾値（thresUL-TxPriortization）が構成されているときはこの値よりも大きく、かつ、サイドリンクＢＳＲに関与するサイドリンクデータ向けのサイドリンク論理チャネルの最高優先順位の値が、ＵＬ  ＭＡＣ  ＰＤＵ内の論理チャネルの最高優先順位の値よりも小さい場合。この基準は、全サイドリンク送信モードに使用されるのと同時に、例えば、サイドリンクＢＳＲに関与するサイドリンクデータ向けの最高優先順位のサイドリンク論理チャネルがグループキャストまたはブロードキャスト送信に対応する場合に、この基準は特に使用されてよい。
【０１９０】
（５）サイドリンクＢＳＲに関与するサイドリンクデータ向けのサイドリンク論理チャネルの最高優先順位の値が、サイドリンク送信優先順位付け閾値（thresSL-TxPrioritization）が構成されているときはこの値よりも小さい場合。この際、パラメータthresSL-TxPrioritizationは、各サイドリンク送信宛先に固有、各送信モードに固有、または各サイドリンク送信宛先および送信モードに固有ＵＥに（事前）構成されてよい。
【０１９１】
Ｖ２Ｘサイドリンク送信は、以下の条件を満たす場合、非パディングＢＳＲよりも優先されてよい。
（１）ＭＡＣエンティティが、送信のときに、上りリンク送信とＶ２Ｘサイドリンク通信の送信とを同時に実施することができない場合。
（２）ＢＳＲに関与するＵＬデータが、上位層によって、サイドリンクデータよりも優先されない場合。
（３）サイドリンクＭＡＣ  ＰＤＵ内のサイドリンク論理チャネルの最高優先順位の値が、サイドリンク送信優先順位付け閾値（thresSL-TxPrioritization）が構成されているときはこの値よりも小さい場合。この基準は、全サイドリンク送信モードに使用されるのと同時に、この基準は、例えば、ユニキャスト送信の場合に特に使用されてよい。
【０１９２】
第３条件に対する代替の例は、以下を含む場合がある。
【０１９３】
（１）サイドリンクＭＡＣ  ＰＤＵ内のサイドリンク論理チャネルの最高優先順位の値が、ＢＳＲに関与するＵＬデータ向けの論理チャネルの最高優先順位の値よりも小さい場合。この基準は、全サイドリンク送信モードに使用されるのと同時に、この基準は、例えば、ユニキャスト送信の場合に特に使用されてよい。
【０１９４】
（２）サイドリンクＭＡＣ  ＰＤＵ内のサイドリンク論理チャネルの最高優先順位の値が、サイドリンク送信優先順位付け閾値（thresSL-TxPrioritization）が構成されているときはこの値よりも小さく、かつ、サイドリンクＭＡＣ  ＰＤＵ内のサイドリンク論理チャネルの最高優先順位の値が、ＢＳＲに関与するＵＬデータ向けの論理チャネルの最高優先順位の値よりも小さい場合。優先順位閾値パラメータthresSL-TxPrioritizationは、ＳＬ  Ｖ２Ｘ送信が上りリンク送信と時間的に重複する場合、前者の優先順位を後者よりも高くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。この基準は、全サイドリンク送信モードに使用されるのと同時に、この基準は、ブロードキャスト送信またはグループキャスト送信に特に使用されてよい。
【０１９５】
（３）サイドリンクＭＡＣ  ＰＤＵ内のサイドリンク論理チャネルの最高優先順位の値が、サイドリンク送信優先順位付け閾値（thresSL-TxPrioritization）が構成されているときはこの値よりも小さく、かつ、ＢＳＲに関与するＵＬデータ向けの論理チャネルの最高優先順位の値が、上りリンク送信優先順位付け下位閾値（thresUL-TxPriortization）が構成されているときはこの値よりも大きい場合。優先順位閾値パラメータthresUL-TxPrioritizationは、ＵＬ送信がサイドリンク通信と時間的に重複する場合、前者の優先順位を後者よりも低くするかを決定するために用いられる閾値を示すのに使用される場合がある。それは、ＵＥに事前構成されるか、ＲＲＣ専用シグナリング、ＲＲＣ共通シグナリング、例えば、ＲＲＣブロードキャストシグナリングを通してＵＥに構成される場合がある。この基準は、全サイドリンク送信モードに使用されるのと同時に、この基準は、ブロードキャスト送信またはグループキャスト送信に特に使用されてよい。
【０１９６】
（４）サイドリンクＭＡＣ  ＰＤＵ内のサイドリンク論理チャネルの最高優先順位の値が、サイドリンク送信優先順位付け閾値（thresSL-TxPrioritization）が構成されているときはこの値よりも小さく、かつ、ＢＳＲに関与するＵＬデータ向けの論理チャネルの最高優先順位の値が、上りリンク送信優先順位付け下位閾値（thresUL-TxPriortization）が構成されているときはこの値よりも大きく、かつ、サイドリンクＭＡＣ  ＰＤＵ内のサイドリンク論理チャネルの最高優先順位の値が、ＢＳＲに関与するＵＬデータ向けの論理チャネルの最高優先順位の値よりも小さい場合。この基準は、全サイドリンク送信モードに使用されるのと同時に、この基準は、ブロードキャスト送信またはグループキャスト送信に特に使用されてよい。
【０１９７】
本明細書に記載される上りリンク送信に対するサイドリンク送信の優先順位付け解決策では、パラメータthresSL-TxPrioritizationは、ＵＥに（事前）構成されてよく、かつ、各サイドリンク送信宛先に固有、各送信モードに固有、または各サイドリンク送信宛先および送信モードに固有のものであってよい。このような構成シグナリングは、Ｕｕ  ＲＲＣシグナリング、ＰＣ５−ＲＲＣシグナリング、またはＰＣ３−Ｓシグナリングを使用して行われてよい。
【０１９８】
ＱｏＳ特徴の１つである優先順位は、上りリンク送信に対するサイドリンク送信の優先順位付けで使用される一方で、任意の他のＱｏＳ特徴が、優先順位の代わりに、または優先順位と組み合わされて使用されてよい。例えば、上述の優先順位付け方法では、サイドリンク送信ＱｏＳがＵＬ送信よりも高い優先順位付けを必要とする場合にサイドリンク送信がＵＬ送信よりも優先されるように、優先順位は、任意の他のＱｏＳ基準値と置き換えられてもよい。同様に、サイドリンクＢＳＲに関与するデータの論理チャネルが、ＵＬ送信またはＵＬ  ＢＳＲよりも高い優先順位付けを必要とする場合に、非パディングサイドリンクＢＳＲなどのサイドリンクＢＳＲは、ＵＬ  ＢＳＲを含むＵＬ送信よりも優先されてよい。上述の優先順位付け方法で使用される場合があるＱｏＳ特徴の例は、優先順位の代わりに、遅延、範囲、優先順位と遅延と範囲との組み合わせ、またはＰＱＩ（ＰＣ５  ＱｏＳ識別子）などのＱｏＳを表すのに使用される場合がある任意の他の単一の基準値であってもよい。
【０１９９】
異なる重複グラントシナリオの例が、図７、図８、図９、図１０および図１１に示される。
【０２００】
図７は、双方が完全に重複するグラントであり、最初の許容送信開始点が同じであるが、２つのグラントの時間長は異なるケースを示す。同様に、図８は、双方が完全に重複するグラントであり、最後の許容送信終了点が同じであるが、２つのグラントの時間長は異なるケースを示す。図９および図１０は、各グラントの時間長が異なり、部分的に重複し、それぞれのグラントの最初の許容送信開始点と最後の許容送信終了点が異なるケースを示す。図１１は、各グラントの時間長が異なり、完全に重複し、それぞれのグラントの最初の許容送信開始点と最後の許容送信終了点が異なるケースを示す。
【０２０１】
ＬＴＥ  Ｖ２Ｘでは、上述のような上りリンク送信の優先順位付けよりも高いサイドリンク通信の優先順位付けの第１条件は、「ＭＡＣエンティティが、送信のときに、上りリンク送信とＶ２Ｘサイドリンク通信の送信とを同時に実施することができない場合」である。文「送信のときに」は、不明確であり、重複グラントのコンテキストでは十分に明白でない可能性がある。したがって、条件「ＭＡＣエンティティが、送信のときに、上りリンク送信とＶ２Ｘサイドリンク通信の送信とを同時に実施することができない場合」は、ＵＥ動作があいまいになることを回避するために、明確化、更新、または拡張される必要がある。例えば、送信が上りリンクで進行中であり、次いで、その後の送信がサイドリンクでトリガされるシナリオを考えると、既存のＬＴＥ  Ｖ２Ｘ送信優先順位付け規則に従って、サイドリンク送信は優先される場合がある。このシナリオでは、進行中の上りリンク送信をどう取り扱うか（例えば、上りリンク送信の中断または破棄が実施されてよいのか）、は明確ではない。したがって、上りリンク送信よりもＶ２Ｘサイドリンク送信を優先する３つのＬＴＥ  Ｖ２Ｘ条件のうち第１条件は、以下の条件のうち１つを用いて拡張されてよい。
【０２０２】
（１）ＭＡＣエンティティが、送信のときに、上りリンク送信とＶ２Ｘサイドリンク通信の送信とを同時に実施することができない場合。優先順位付けは、この上りリンク送信期間での送信のために既に下位層に送出された上りリンクＴＢを強制的に破棄することはできない。ＬＴＥ  Ｖ２Ｘ規則の優先順位付け規則が、それを行うことが非現実的または実行不可能な場合に、上りリンク送信を強制的に破棄することがあるシナリオの例は、図８、図１０および図１１に示されるようなサイドリンクと上りリンクとの送信重複のシナリオである場合がある。
【０２０３】
代替として、上りリンク送信よりもＶ２Ｘサイドリンク送信を優先する第４条件は、以下のようなものであってよい。
【０２０４】
（１）優先順位付けは、この上りリンク送信期間での送信のために既に下位層に送出された上りリンクＴＢを強制的に破棄することはできない。
【０２０５】
ランダムアクセス送信に関しては、サイドリンク送信の優先順位がランダムアクセスをトリガするイベントよりも高い場合、サイドリンク送信は、ランダムアクセスよりも、例えばランダムアクセスメッセージ１送信よりも優先されてよい。例えば、ＳＲに対して利用可能なＰＵＣＣＨリソースがないときに、ＲＲＣ＿ＣＯＮＮＥＣＴＥＤ中にＵＬデータが到着することによって、ランダムアクセスがトリガされるが、ＵＬデータが、サイドリンク送信よりも低い優先順位である場合、サイドリンク送信は、ランダムアクセスよりも優先される必要がある。
【０２０６】
無線リソースグラントに関連付けられた送信パラメータの決定について、本明細書に記載する。解決される必要がある１つの問題は、スケジュールされたグラント、構成されたグラント、または自律的なグラントのいずれかのリソースグラントに関連付けられた送信パラメータをＭＡＣがどのように決定するかである。
【０２０７】
無線リソースグラントに関連付けられる許容送信モードの決定は、以下のステップを含む場合がある。
【０２０８】
ＵＥ  ＭＡＣは、以下のうち１つまたは複数に基づいて、無線リソースグラントに対して許容される送信モードを決定してもよい。
【０２０９】
グラントは、グラントに関連付けられる許容送信モードのインジケーションを含んでもよい。
【０２１０】
ＰＨＹが、グラントに関連付けられる許容送信モードをＭＡＣに示してもよい。
【０２１１】
例えば、ＲＲＣによって、ＵＥに（事前）構成されるサイドリンク無線リソース（例えば、物理サイドリンク共有チャネルリソース）は、リソースに関連付けられる許容送信モードの構成を含んでもよい。例えば、ＲＲＣによって、ＵＥに（事前）構成されるサイドリンク無線リソース（例えば、物理サイドリンク共有チャネルリソース）は、送信モード固有のものであってもよい。スケジュールされた、例えば、動的グラントまたはモード１グラントが、ＵＥに割り当てられる場合、ＭＡＣは、グラントがマップされているＵＥに構成されたサイドリンク無線リソースの許容送信モードに基づいて、グラントの送信モードを決定してもよい。
【０２１２】
例えば、ＲＲＣによって、ＵＥに（事前）構成されるサイドリンクリソースプールは、リソースに関連付けられた許容送信モードの構成を含んでもよい。例えば、ＲＲＣによって、ＵＥに（事前）構成されるサイドリンク無線リソースプールは、送信モード固有のものであってもよい。自立的なグラントまたはモード２グラントが、ＵＥによって選択される場合、ＭＡＣは、グラントがマップされているＵＥに構成されたサイドリンク無線リソースプールの許容送信モードに基づいて、グラントの送信モードを決定してもよい。
【０２１３】
無線リソースグラントに関連付けられる許容送信範囲の決定は、以下のステップを含む場合がある。
【０２１４】
ＵＥ  ＭＡＣは、以下のうち１つまたは複数に基づいて、無線リソースグラントに対して許容される送信範囲を決定してもよい。
【０２１５】
グラントは、グラントに関連付けられる許容送信範囲のインジケーションを含んでもよい。
【０２１６】
ＰＨＹが、グラントに関連付けられる許容送信範囲をＭＡＣに示してもよい。
【０２１７】
例えば、ＲＲＣによって、ＵＥに（事前）構成されるサイドリンク無線リソース（例えば、物理サイドリンク共有チャネルリソース）は、リソースに関連付けられる許容送信範囲の構成を含んでもよい。例えば、ＲＲＣによって、ＵＥに（事前）構成されるサイドリンク無線リソース（例えば、物理サイドリンク共有チャネルリソース）は、送信範囲固有のものであってもよい。スケジュールされた、例えば、動的グラントまたはモード１グラントが、ＵＥに割り当てられる場合、ＭＡＣは、グラントがマップされているＵＥに構成されたサイドリンク無線リソースの許容送信範囲に基づいて、グラントの送信範囲を決定してもよい。
【０２１８】
例えば、ＲＲＣによって、ＵＥに（事前）構成されるサイドリンクリソースプールは、リソースに関連付けられた許容送信範囲の構成を含んでもよい。例えば、ＲＲＣによって、ＵＥに（事前）構成されるサイドリンク無線リソースプールは、送信範囲固有のものであってもよい。自立的なグラントまたはモード２グラントが、ＵＥによって選択される場合、ＭＡＣは、グラントがマップされているＵＥに構成されたサイドリンク無線リソースプールの許容送信モードに基づいて、グラントの送信範囲を決定してもよい。
【０２１９】
基地局は、ＢＳＲに含まれるか、または関連付けられた論理チャネル（ＬＣＨ）または論理チャネルグループ（ＬＣＧ）に基づくか、あるいは、ＢＳＲに含まれるか、または関連付けられた、ＬＣＧと宛先との組み合わせ、またはＬＣＨと宛先との組み合わせに基づいて、バッファステータスレポート（ＢＳＲ）に関連付けられた送信モードを認識することができる。
【０２２０】
同様に、基地局は、ＢＳＲに含まれるか、または関連付けられたＬＣＨまたはＬＣＧに基づくか、あるいは、ＢＳＲに含まれるか、または関連付けられた、ＬＣＧと宛先との組み合わせ、またはＬＣＨと宛先との組み合わせに基づいて、ＢＳＲに関連付けられた送信範囲を認識することができる。
【０２２１】
ＵＥ内の（事前）構成情報に基づいて、ＵＥは、ＬＣＨまたはＬＣＧと送信モードとを関連付けることができる。同様に、ＵＥ内の（事前）構成情報に基づいて、ＵＥは、ＬＣＨまたはＬＣＧと送信範囲とを関連付けることができる。
【０２２２】
第３世代パートナーシッププロジェクト（３ＧＰＰ）は、無線アクセス、コアトランスポートネットワーク、およびサービス能力（符復号化、セキュリティ、およびサービス品質に作用するものを含む）を含む、セルラー電気通信ネットワーク技術のために、技術的規格を策定している。最近の無線アクセス技術（ＲＡＴ）規格は、ＷＣＤＭＡ（登録商標）（一般に、３Ｇと称される）、ＬＴＥ（一般に、４Ｇと称される）、およびＬＴＥ−アドバンスト規格を含む。３ＧＰＰは、「５Ｇ」とも称される、新無線（ＮＲ）と呼ばれる、次世代セルラー技術の標準化への取り組みを開始している。３ＧＰＰ  ＮＲ規格開発は、次世代無線アクセス技術（新しいＲＡＴ）の規定を含むことが想定され、これは、６ＧＨｚを下回る新規のフレキシブルな無線アクセスのプロビジョンと、６ＧＨｚを上回る新規のウルトラモバイルブロードバンド無線アクセスのプロビジョンとを含むことが想定されている。フレキシブルな無線アクセスは、６ＧＨｚを下回る新しい周波数帯域における新しい非後方互換性無線アクセスで構成されることが想定され、また同じ周波数帯でまとめて多重化されて、多様な要件を伴う３ＧＰＰ  ＮＲユースケースの広範なセットに対処する場合がある異なる動作モードを含むことが予期される。ウルトラモバイルブロードバンドは、例えば、屋内用途およびホットスポット向けのウルトラモバイルブロードバンドアクセスの機会を提供する、センチ波およびミリ波の周波数帯域を含むことが想定されている。特に、センチ波およびミリ波特有設計最適化を伴うウルトラモバイルブロードバンドは、６ＧＨｚを下回るフレキシブル無線アクセスと、共通設計フレームワークを共有することが想定されている。
【０２２３】
３ＧＰＰは、データレート、遅延、およびモビリティに対する様々なユーザ体験要件となる、ＮＲでサポートすることが予期される種々のユースケースを特定している。ユースケースは、一般的なカテゴリ、すなわち、高度化モバイルブロードバンド（例えば、高密度エリアにおけるブロードバンドアクセス、屋内超高ブロードバンドアクセス、群集の中のブロードバンドアクセス、あらゆる場所における５０＋Ｍｂｐｓ、超低コストブロードバンドアクセス、車両内のモバイルブロードバンド）、クリティカル通信、大規模マシンタイプ通信、ネットワーク操作（例えば、ネットワークスライシング、ルーティング、移行およびインターワーキング、エネルギー節約）、ならびに、ビークルツービークル通信（Vehicle-to-Vehicle  Communication：Ｖ２Ｖ）、ビークルツーインフラストラクチャ通信（Vehicle-to-Infrastructure  Communication：Ｖ２Ｉ）、ビークルツーネットワーク通信（Vehicle-to-Network  Communication：Ｖ２Ｎ）、ビークルツーペデストリアン通信（Vehicle-To-Pedestrian  Communication：Ｖ２Ｐ）、およびその他のエンティティとのビークル通信のうちいずれかを含む場合がある高度化ビークルツーエブリシング（Enhanced  Vehicle-To-Everything：ｅＶ２Ｘ）通信を含む。これらのカテゴリにおける具体的サービスおよびアプリケーションは、例えば、いくつか例を挙げると、監視およびセンサネットワーク、デバイス遠隔制御、双方向遠隔制御、パーソナルクラウドコンピューティング、ビデオストリーミング、無線クラウドベースのオフィス、緊急対応者コネクティビティ、自動車ｅコール、災害警告、リアルタイムゲーム、多人数ビデオコール、自律運転、拡張現実、触知インターネット、および仮想現実を含む。これらのユースケースの全ておよび他のものが、本明細書で検討される。
【０２２４】
図２２Ａは、本明細書で説明および請求される方法および装置がその中で具現化される場合がある例示的通信システム１００の一実施形態を示す。示すように、例示的通信システム１００は、無線送信／受信ユニット（Wireless  Transmit/Receive  Unit：ＷＴＲＵ）１０２ａ、１０２ｂ、１０２ｃ、１０２ｄ、１０２ｅ、１０２ｆおよび／または１０２ｇ（概して、または集合的に、ＷＴＲＵ１０２と呼ばれることもある）と、無線アクセスネットワーク（ＲＡＮ）１０３／１０４／１０５／１０３ｂ／１０４ｂ／１０５ｂと、コアネットワーク１０６／１０７／１０９と、公衆交換電話ネットワーク（Public  Switched  Telephone  Network：ＰＳＴＮ）１０８と、インターネット１１０と、その他のネットワーク１１２と、Ｖ２Ｘサーバ（またはＰｒｏＳｅ機能およびサーバ）１１３とを含む場合があるが、開示される実施形態は、任意の数のＷＴＲＵ、基地局、ネットワーク、および／またはネットワーク要素が考えられることを理解されよう。ＷＴＲＵ１０２ａ、１０２ｂ、１０２ｃ、１０２ｄ、１０２ｅ、１０２ｆ、１０２ｇはそれぞれ、無線環境で動作および／または通信するように構成された任意のタイプの装置またはデバイスであってよい。各ＷＴＲＵ１０２ａ、１０２ｂ、１０２ｃ、１０２ｄ、１０２ｅ、１０２ｆ、１０２ｇは、ハンドヘルド無線通信装置として図２２Ａから２２Ｅに描写されるが、５Ｇ無線通信で考えられる様々なユースケースで、各ＷＴＲＵは、一例にすぎないが、ユーザ端末（ＵＥ）、移動局、固定またはモバイルサブスクライバユニット、ポケットベル、セルラー電話、携帯情報端末（Personal  Digital  Assistant：ＰＤＡ）、スマートフォン、ラップトップ、タブレット、ネットブック、ノートブックコンピュータ、パーソナルコンピュータ、無線センサ、大衆消費電子製品、スマートウォッチまたはスマート衣類などのウェアラブルデバイス、医療またはｅ健康デバイス、ロボット、産業機器、ドローン、例えば、車、トラック、電車、または飛行機の乗り物などを含む、無線信号を送信および／または受信するように構成されている任意のタイプの装置またはデバイスを備えている、またはそれらで具現化されてよいことを理解されよう。
【０２２５】
通信システム１００はまた、基地局１１４ａおよび基地局１１４ｂを含む場合がある。基地局１１４ａは、ＷＴＲＵ１０２ａ、１０２ｂ、および１０２ｃのうちの少なくとも１つと無線でインターフェースをとり、コアネットワーク１０６／１０７／１０９、インターネット１１０、および／またはその他のネットワーク１１２などの１つまたは複数の通信ネットワークへのアクセスを促進するように構成される任意のタイプのデバイスであってもよい。基地局１１４ｂは、ＲＲＨ（遠隔無線ヘッド）１１８ａ、１１８ｂ、ＴＲＰ（送受信ポイント）１１９ａ、１１９ｂおよび／またはＲＳＵ（ロードサイドユニット）１２０ａ、１２０ｂのうちの少なくとも１つと有線および／または無線でインターフェースをとり、コアネットワーク１０６／１０７／１０９、インターネット１１０、その他のネットワーク１１２および／またはＶ２Ｘサーバ（またはＰｒｏＳｅ機能およびサーバ）１１３などの１つまたは複数の通信ネットワークへのアクセスを促進するように構成される任意のタイプのデバイスであってもよい。ＲＲＨ１１８ａ、１１８ｂは、ＷＴＲＵ１０２ｃのうちの少なくとも１つと無線でインターフェースをとり、コアネットワーク１０６／１０７／１０９、インターネット１１０、および／またはその他のネットワーク１１２などの１つまたは複数の通信ネットワークへのアクセスを促進するように構成される任意のタイプのデバイスであってもよい。ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、および／またはその他のネットワーク１１２などの１つまたは複数の通信ネットワークへのアクセスを促進するように構成される任意のタイプのデバイスであってもよい。ＲＳＵ１２０ａ、１２０ｂは、ＷＴＲＵ１０２ｅまたは１０２ｆのうちの少なくとも１つと無線でインターフェースをとり、コアネットワーク１０６／１０７／１０９、インターネット１１０、その他のネットワーク１１２および／またはＶ２Ｘサーバ（またはＰｒｏＳｅ機能およびサーバ）１１３などの１つまたは複数の通信ネットワークへのアクセスを促進するように構成される任意のタイプのデバイスであってもよい。一例として、基地局１１４ａ、１１４ｂは、送受信機基地局（Base  Transceiver  Station：ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（Access  Point：ＡＰ）、無線ルータなどであってもよい。基地局１１４ａ、１１４ｂはそれぞれ単一の要素として描写されているが、基地局１１４ａ、１１４ｂは、任意の数の相互接続される基地局および／またはネットワーク要素を含む場合があることを理解されよう。
【０２２６】
基地局１１４ａは、ＲＡＮ１０３／１０４／１０５の一部である場合があり、それらＲＡＮはまた、基地局コントローラ（Base  Station  Controller：ＢＳＣ）、無線ネットワークコントローラ（Radio  Network  Controller：ＲＮＣ）、中継ノードなどの、他の基地局および／またはネットワーク要素（図示せず）をも含んでよい。基地局１１４ｂは、ＲＡＮ１０３ｂ／１０４ｂ／１０５ｂの一部である場合があり、それらＲＡＮはまた、基地局コントローラ（ＢＳＣ）、無線ネットワークコントローラ（ＲＮＣ）、中継ノードなどの、他の基地局および／またはネットワーク要素（図示せず）をも含んでよい。基地局１１４ａは、セルと呼ばれることもある特定の地理的領域（図示せず）内で無線信号を送信および／または受信するように構成される場合がある。基地局１１４ｂは、セルと呼ばれることもある特定の地理的領域（図示せず）内で有線および／または無線信号を送信および／または受信するように構成される場合がある。セルは、セルセクタにさらに分割されることがある。例えば、基地局１１４ａに関連付けられたセルは、３つのセクタに分割されることがある。したがって、一実施形態では、基地局１１４ａは、例えば、セルのセクタごとに１つの、３つの送受信機を含む場合がある。一実施形態では、基地局１１４ａは、多入力多出力（Multiple-Input  Multiple  Output：ＭＩＭＯ）技術を採用する場合があり、したがって、セルのセクタごとに複数の送受信機を利用することがある。
【０２２７】
基地局１１４ａは、任意の好適な無線通信リンク（例えば、高周波（Radio  Frequency：ＲＦ）、マイクロ波、赤外線（Infrared：ＩＲ）、紫外線（Ultraviolet：ＵＶ）、可視光、センチ波、ミリ波など）であることがあるエアインターフェース１１５／１１６／１１７を通してＷＴＲＵ１０２ａ、１０２ｂ、１０２ｃのうちの１つまたは複数と通信してもよい。エアインターフェース１１５／１１６／１１７は、任意の好適な無線アクセス技術（ＲＡＴ）を使用して確立されてよい。
【０２２８】
基地局１１４ｂは、任意の好適な有線（例えば、ケーブル、光ファイバーなど）または無線通信リンク（例えば、高周波（ＲＦ）、マイクロ波、赤外線（ＩＲ）、紫外線（ＵＶ）、可視光、センチ波、ミリ波など）であることがある有線またはエアインターフェース１１５ｂ／１１６ｂ／１１７ｂを通してＲＲＨ１１８ａ、１１８ｂ、ＴＲＰ１１９ａ、１１９ｂおよび／またはＲＳＵ１２０ａ、１２０ｂのうち１つまたは複数と通信してもよい。エアインターフェース１１５ｂ／１１６ｂ／１１７ｂは、任意の好適な無線アクセス技術（ＲＡＴ）を使用して確立されてよい。
【０２２９】
ＲＲＨ１１８ａ、１１８ｂ、ＴＲＰ１１９ａ、１１９ｂおよび／またはＲＳＵ１２０ａ、１２０ｂは、任意の好適な無線通信リンク（例えば、高周波（ＲＦ）、マイクロ波、赤外線（ＩＲ）、紫外線（ＵＶ）、可視光、センチ波、ミリ波など）であることがあるエアインターフェース１１５ｃ／１１６ｃ／１１７ｃを通してＷＴＲＵ１０２ｃ、１０２ｄ、１０２ｅ、１０２ｆのうちの１つまたは複数と通信する場合がある。エアインターフェース１１５ｃ／１１６ｃ／１１７ｃは、任意の好適な無線アクセス技術（ＲＡＴ）を使用して確立されてよい。
【０２３０】
ＷＴＲＵ１０２ａ、１０２ｂ、１０２ｃ、１０２ｄ、１０２ｅ、１０２ｆおよび／または１０２ｇは、任意の好適な無線通信リンク（例えば、高周波（ＲＦ）、マイクロ波、赤外線（ＩＲ）、紫外線（ＵＶ）、可視光、センチ波、ミリ波など）であることがあるエアインターフェース１１５ｄ／１１６ｄ／１１７ｄを通して相互に通信する（図には示さず）場合がある。エアインターフェース１１５ｄ／１１６ｄ／１１７ｄは、任意の好適な無線アクセス技術（ＲＡＴ）を使用して確立されてよい。
【０２３１】
より詳細には、上記のように、通信システム１００は、複数のアクセスシステムであってもよく、かつＣＤＭＡ、ＴＤＭＡ、ＦＤＭＡ、ＯＦＤＭＡ、ＳＣ−ＦＤＭＡなどの１つまたは複数のチャネルアクセススキームを採用してもよい。例えば、ＲＡＮ１０３／１０４／１０５内の基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂおよびＲＳＵ１２０ａ、１２０ｂとＷＴＲＵ１０２ｃ、１０２ｄ、１０２ｅ、１０２ｆとは、ユニバーサル移動体通信システム（Universal  Mobile  Telecommunications  System：ＵＭＴＳ）、地上無線アクセス（Universal  Terrestrial  Radio  Access：ＵＴＲＡ）などの無線技術を実装してよく、それにより、広帯域ＣＤＭＡ（Wideband  CDMA：ＷＣＤＭＡ）を使用して、エアインターフェース１１５／１１６／１１７または１１５ｃ／１１６ｃ／１１７ｃをそれぞれ確立することができる。ＷＣＤＭＡは、高速パケットアクセス（High-Speed  Packet  Access：ＨＳＰＡ）および／または発展型ＨＳＰＡ（Evolved  HSPA：ＨＳＰＡ＋）などの通信プロトコルを含んでもよい。ＨＳＰＡは、高速下りリンクパケットアクセス（High-Speed  Downlink  Packet  Access：ＨＳＤＰＡ）および／または高速上りリンクパケットアクセス（High-Speed  Uplink  Packet  Access：ＨＳＵＰＡ）を含んでもよい。
【０２３２】
一実施形態では、基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂおよび／またはＲＳＵ１２０ａ、１２０ｂとＷＴＲＵ１０２ｃ、１０２ｄとは、発展型ＵＭＴＳ地上無線アクセス（Evolved  UMTS  Terrestrial  Radio  Access：Ｅ−ＵＴＲＡ）などの無線技術を実装してよく、それにより、ロングタームエボリューション（Long  Term  Evolution：ＬＴＥ）および／またはＬＴＥ−アドバンスト（LTE-Advanced：ＬＴＥ−Ａ）を使用して、エアインターフェース１１５／１１６／１１７または１１５ｃ／１１６ｃ／１１７ｃをそれぞれ確立することができる。将来、エアインターフェース１１５／１１６／１１７は、３ＧＰＰ  ＮＲ技術を実装する可能性がある。ＬＴＥおよびＬＴＥ−Ａ技術は、（サイドリンク通信などの）ＬＴＥ  Ｄ２ＤおよびＶ２Ｘ技術およびインターフェースを含む場合がある。３ＧＰＰ  ＮＲ技術は、（サイドリンク通信などの）ＮＲ  Ｖ２Ｘ技術およびインターフェースを含む場合がある。
【０２３３】
一実施形態では、ＲＡＮ１０３／１０４／１０５内の基地局１１４ａと、ＷＴＲＵ１０２ａ、１０２ｂおよび１０２ｃとは、または、ＲＡＮ１０３ｂ／１０４ｂ／１０５ｂ内のＲＲＨ１１８ａおよび１１８ｂ、ＴＲＰ１１９ａおよび１１９ｂおよび／またはＲＳＵ１２０ａおよび１２０ｂとＷＴＲＵ１０２ｃ、１０２ｄ、１０２ｅおよび１０２ｆとは、ＩＥＥＥ８０２．１６（例えば、ワールドワイド・インターオペラビリティ・フォー・マイクロウェーブ・アクセス（Worldwide  Interoperability  For  Microwave  Access：ＷｉＭＡＸ））、ＣＤＭＡ２０００、ＣＤＭＡ２０００  １Ｘ、ＣＤＭＡ２０００  ＥＶ−ＤＯ、暫定規格２０００（Interim  Standard  2000：ＩＳ−２０００）、暫定規格９５（ＩＳ−９５）、暫定規格８５６（ＩＳ−８５６）、モバイル通信用グローバルシステム（Global  System  For  Mobile  Communications：ＧＳＭ（登録商標））、ＧＳＭ進化型高速データレート（Enhanced  Data  Rates  For  GSM  Evolution：ＥＤＧＥ）、ＧＳＭ  ＥＤＧＥ（ＧＥＲＡＮ）などの無線技術を実装してもよい。
【０２３４】
図２２Ａにおける基地局１１４ｃは、無線ルータ、ホームＮｏｄｅ  Ｂ、ホームｅＮｏｄｅ  Ｂ、またはアクセスポイントであってもよく、例えば、事業所、家、車両、キャンパスなどの場所などの局所エリア内の無線コネクティビティを促進するために、任意の好適なＲＡＴを利用してもよい。一実施形態では、基地局１１４ｃとＷＴＲＵ１０２ｅとは、ＩＥＥＥ８０２．１１などの無線技術を実装して、無線ローカルエリアネットワーク（Wireless  Local  Area  Network：ＷＬＡＮ）を確立してもよい。一実施形態では、基地局１１４ｃとＷＴＲＵ１０２ｄとは、ＩＥＥＥ８０２．１５などの無線技術を実装して、無線パーソナルエリアネットワーク（Wireless  Personal  Area  Network：ＷＰＡＮ）を確立してもよい。さらに別の実施形態では、基地局１１４ｃとＷＴＲＵ１０２ｅとは、セルラーベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立してもよい。図２２Ａに示すように、基地局１１４ｂは、インターネット１１０への直接接続を有する場合がある。したがって、基地局１１４ｃは、コアネットワーク１０６／１０７／１０９を介してインターネット１１０にアクセスする必要がない場合がある。
【０２３５】
ＲＡＮ１０３／１０４／１０５および／またはＲＡＮ１０３ｂ／１０４ｂ／１０５ｂは、コアネットワーク１０６／１０７／１０９と通信する場合があり、そのコアネットワークは、音声、データ、アプリケーション、および／またはボイスオーバーインターネットプロトコル（Voice  Over  Internet  Protocol：ＶｏＩＰ）サービスをＷＴＲＵ１０２ａ、１０２ｂ、１０２ｃおよび１０２ｄのうちの１つまたは複数に提供するように構成される任意のタイプのネットワークであってもよい。例えば、コアネットワーク１０６／１０７／１０９は、コール制御、請求サービス、モバイル位置ベースサービス、プリペイドコール、インターネットコネクティビティ、ビデオ配信などを提供するか、および／またはユーザ認証などの高レベルセキュリティ機能を実施してもよい。
【０２３６】
図２２Ａでは図示されていないが、ＲＡＮ１０３／１０４／１０５および／またはＲＡＮ１０３ｂ／１０４ｂ／１０５ｂおよび／またはコアネットワーク１０６／１０７／１０９は、ＲＡＮ１０３／１０４／１０５および／またはＲＡＮ１０３ｂ／１０４ｂ／１０５ｂと同じＲＡＴまたは異なるＲＡＴを採用する他のＲＡＮと直接または間接通信してもよいことを理解されよう。例えば、Ｅ−ＵＴＲＡ無線技術を利用することがあるＲＡＮ１０３／１０４／１０５および／またはＲＡＮ１０３ｂ／１０４ｂ／１０５ｂに接続されることに加え、コアネットワーク１０６／１０７／１０９はまた、ＧＳＭ無線技術を採用する別のＲＡＮ（図示せず）と通信してもよい。
【０２３７】
コアネットワーク１０６／１０７／１０９はまた、ＷＴＲＵ１０２ａ、１０２ｂ、１０２ｃ、１０２ｄ、１０２ｅがＰＳＴＮ１０８、インターネット１１０、および／またはその他のネットワーク１１２にアクセスするために、ゲートウェイとして機能してもよい。ＰＳＴＮ１０８は、基本電話サービス（Plain  Old  Telephone  Service：ＰＯＴＳ）を提供する回線交換電話ネットワークを含んでもよい。インターネット１１０は、送信制御プロトコル（Transmission  Control  Protocol：ＴＣＰ）、ユーザデータグラムプロトコル（User  Datagram  Protocol：ＵＤＰ）、およびＴＣＰ／ＩＰインターネットプロトコルスイートのインターネットプロトコル（Internet  Protocol：ＩＰ）などの共通通信プロトコルを使用する、相互接続されたコンピュータネットワークおよびデバイスのグローバルシステムを含んでもよい。ネットワーク１１２は、他のサービスプロバイダによって所有および／または操作される有線または無線通信ネットワークを含んでもよい。例えば、ネットワーク１１２は、ＲＡＮ１０３／１０４／１０５および／またはＲＡＮ１０３ｂ／１０４ｂ／１０５ｂと同じＲＡＴまたは異なるＲＡＴを採用することがある１つまたは複数のＲＡＮに接続される別のコアネットワークを含んでもよい。
【０２３８】
通信システム１００内の、マルチモード能力を含む場合があるＷＴＲＵ１０２ａ、１０２ｂ、１０２ｃおよび１０２ｄの一部または全て、例えば、ＷＴＲＵ１０２ａ、１０２ｂ、１０２ｃ、１０２ｄおよび１０２ｅは、異なる無線リンクを通して異なる無線ネットワークと通信する複数の送受信機を含む場合がある。例えば、図２２Ａに示すＷＴＲＵ１０２ｅは、セルラーベースの無線技術を採用することがある基地局１１４ａ、およびＩＥＥＥ８０２無線技術を採用することがある基地局１１４ｃと通信するように構成されてもよい。
【０２３９】
図２２Ｂは、例えば、ＷＴＲＵ１０２など、本明細書に図示される実施形態に従って無線通信のために構成される例示的装置またはデバイスのブロック図である。図２２Ｂに示すように、例示的ＷＴＲＵ１０２は、プロセッサ１１８、送受信機１２０、送信／受信要素１２２、スピーカ／マイクロホン１２４、キーパッド１２６、ディスプレイ／タッチパッド／インジケータ１２８、非取り外し可能メモリ１３０、取り外し可能メモリ１３２、電源１３４、全地球測位システム（Global  Positioning  System：ＧＰＳ）チップセット１３６、および他の周辺機器１３８を含む場合がある。ＷＴＲＵ１０２は、実施形態と一致したままで、上述の要素の任意の副次的組み合わせを含んでもよいことを理解されたい。また、実施形態は、限定ではないが、とりわけ、送受信機基地局（ＢＴＳ）、Ｎｏｄｅ−Ｂ、サイトコントローラ、アクセスポイント（ＡＰ）、ホームＮｏｄｅ−Ｂ、発展型ホームＮｏｄｅ−Ｂ（Evolved  Home  Node-B：ｅＮｏｄｅＢ）、ホーム発展型Ｎｏｄｅ−Ｂ（Home  Evolved  Node-B：ＨｅＮＢ）、ホーム発展型Ｎｏｄｅ−Ｂゲートウェイ、およびプロキシノードなどの基地局１１４ａおよび１１４ｂ、および／または基地局１１４ａおよび１１４ｂを意味する場合があるノードは、図２２Ｂに描写され、本明細書で説明される要素の一部または全部を含む場合があることが考えられる。
【０２４０】
プロセッサ１１８は、汎用プロセッサ、特殊目的プロセッサ、従来のプロセッサ、デジタル信号プロセッサ（Digital  Signal  Processor：ＤＳＰ）、複数のマイクロプロセッサ、ＤＳＰコアに関連付けられた１つまたは複数のマイクロプロセッサ、コントローラ、マイクロコントローラ、特定用途向け集積回路（Application  Specific  Integrated  Circuits：ＡＳＩＣ）、フィールドプログラマブルゲートアレイ（Field  Programmable  Gate  Array：ＦＰＧＡ）回路、任意の他のタイプの集積回路（Integrated  Circuit：ＩＣ）、状態マシンなどであってよい。プロセッサ１１８は、信号コーディング、データ処理、電力制御、入力／出力処理、および／またはＷＴＲＵ１０２が無線環境内で動作することを可能にする任意の他の機能性を実施してもよい。プロセッサ１１８は、送信／受信要素１２２に連結されることがある、送受信機１２０に連結されてもよい。図２２Ｂでは、別個のコンポーネントとしてプロセッサ１１８と送受信機１２０とを示しているが、プロセッサ１１８と送受信機１２０とが、電子パッケージまたはチップ内に一緒に統合されてもよいことを理解されよう。
【０２４１】
送信／受信要素１２２は、エアインターフェース１１５／１１６／１１７を通して基地局（例えば、基地局１１４ａ）へ信号を送信する、またはそこから信号を受信するように構成される場合がある。例えば、一実施形態では、送信／受信要素１２２は、ＲＦ信号を送信および／または受信するように構成されたアンテナであってもよい。一実施形態では、送信／受信要素１２２は、例えば、ＩＲ、ＵＶ、または可視光信号を送信および／または受信するように構成されるエミッタ／検出器であってもよい。さらに、一実施形態では、送信／受信要素１２２は、ＲＦおよび光信号の両方を送信および受信するように構成されてよい。送信／受信要素１２２は、無線信号の任意の組み合わせを送信および／または受信するように構成されてもよいことを理解されよう。
【０２４２】
加えて、送信／受信要素１２２は、単一の要素として図２２Ｂで描写されているが、ＷＴＲＵ１０２は、任意の数の送信／受信要素１２２を含んでもよい。より具体的には、ＷＴＲＵ１０２は、ＭＩＭＯ技術を採用してもよい。したがって、一実施形態では、ＷＴＲＵ１０２は、エアインターフェース１１５／１１６／１１７を通して無線信号を送信および受信するために、２つ以上の送信／受信要素１２２（例えば、複数のアンテナ）を含んでもよい。
【０２４３】
送受信機１２０は、送信／受信要素１２２によって送信されることになる信号を変調し、かつ送信／受信要素１２２によって受信される信号を復調するように構成されてよい。上記のように、ＷＴＲＵ１０２は、マルチモード能力を有する場合がある。したがって、送受信機１２０は、ＷＴＲＵ１０２が、複数のＲＡＴ、例えばＵＴＲＡおよびＩＥＥＥ８０２．１１を介して通信できるようにするために、複数の送受信機を含む場合がある。
【０２４４】
ＷＴＲＵ１０２のプロセッサ１１８は、スピーカ／マイクロホン１２４、キーパッド１２６、および／またはディスプレイ／タッチパッド／インジケータ１２８（例えば、液晶ディスプレイ（Liquid  Crystal  Display：ＬＣＤ）ディスプレイ装置または有機発光ダイオード（Organic  Light-Emitting  Diode：ＯＬＥＤ）ディスプレイ装置）に連結されて、そこからユーザ入力データを受信してもよい。プロセッサ１１８はまた、ユーザデータをスピーカ／マイクロホン１２４、キーパッド１２６、および／またはディスプレイ／タッチパッド／インジケータ１２８に出力してもよい。加えて、プロセッサ１１８は、非取り外し可能メモリ１３０および／または取り外し可能メモリ１３２などの任意のタイプの好適なメモリから情報にアクセスし、それの中にデータを記憶してもよい。非取り外し可能メモリ１３０としては、ランダムアクセスメモリ（Random-Access  Memory：ＲＡＭ）、読み取り専用メモリ（Read-Only  Memory：ＲＯＭ）、ハードディスク、または任意の他のタイプのメモリ記憶デバイスを挙げてもよい。取り外し可能メモリ１３２としては、加入者識別モジュール（Subscriber  Identity  Module：ＳＩＭ）カード、メモリスティック、セキュアデジタル（Secure  Digital：ＳＤ）メモリカードなどを挙げてもよい。一実施形態では、プロセッサ１１８は、サーバもしくはホームコンピュータ（図示せず）内など、ＷＴＲＵ１０２上に物理的に設置されていないメモリの情報にアクセスし、そこにデータを記憶してもよい。
【０２４５】
プロセッサ１１８は、電源１３４から電力を得てもよく、ＷＴＲＵ１０２内のその他のコンポーネントへの電力を分配および／または制御するように構成されてよい。電源１３４は、ＷＴＲＵ１０２に給電する任意の好適なデバイスであってよい。例えば、電源１３４は、１つまたは複数の乾電池、太陽電池、燃料電池などを含んでもよい。
【０２４６】
プロセッサ１１８はまた、ＷＴＲＵ１０２の現在位置に関する位置情報（例えば、経度および緯度）を提供するように構成されることがあるＧＰＳチップセット１３６に連結されてもよい。ＧＰＳチップセット１３６からの情報に加え、またはその代わりに、ＷＴＲＵ１０２は、エアインターフェース１１５／１１６／１１７を通して基地局（例えば、基地局１１４ａ、１１４ｂ）から位置情報を受信するか、および／または２つ以上の近傍基地局から受信されている信号のタイミングに基づいて、その場所を決定してもよい。ＷＴＲＵ１０２は、実施形態と一致したままで、任意の好適な位置特定方法によって位置情報を取得してもよいことを理解されるであろう。
【０２４７】
プロセッサ１１８はさらに、追加の特徴、機能性、および／または有線または無線コネクティビティを提供する１つまたは複数のソフトウェアおよび／またはハードウェアモジュールを含む場合がある他の周辺機器１３８に連結されてもよい。例えば、周辺機器１３８は、加速度計、バイオメトリック（例えば、指紋）センサなどの種々のセンサ、ｅ−コンパス、衛星送受信機、デジタルカメラ（写真またはビデオ用）、ユニバーサルシリアルバス（Universal  Serial  Bus：ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（Frequency  Modulated：ＦＭ）無線ユニット、デジタル音楽プレーヤ、メディアプレーヤ、ビデオゲームプレーヤモジュール、インターネットブラウザなどを含んでもよい。
【０２４８】
ＷＴＲＵ１０２は、センサ、大衆消費電子製品、スマートウォッチまたはスマート衣類などのウェアラブルデバイス、医療またはｅ健康デバイス、ロボット、産業機器、ドローン、車、トラック、電車、または飛行機などの乗り物などの他の装置もしくはデバイスにおいて具現化されてもよい。ＷＴＲＵ１０２は、周辺機器１３８のうちの１つを備えることがある相互接続インターフェースなどの１つまたは複数の相互接続インターフェースを介して、このような装置もしくはデバイスの他のコンポーネント、モジュール、またはシステムに接続してもよい。
【０２４９】
図２２Ｃは、一実施形態に従うＲＡＮ１０３およびコアネットワーク１０６のシステム図である。上記のように、ＲＡＮ１０３はＵＴＲＡ無線技術を採用して、エアインターフェース１１５を通してＷＴＲＵ１０２ａ、１０２ｂおよび１０２ｃと通信する場合がある。ＲＡＮ１０３はまた、コアネットワーク１０６と通信してもよい。図２２Ｃに示すように、ＲＡＮ１０３は、エアインターフェース１１５を通してＷＴＲＵ１０２ａ、１０２ｂ、および１０２ｃと通信するために、１つまたは複数の送受信機をそれぞれ含むことがある、Ｎｏｄｅ−Ｂ１４０ａ、１４０ｂ、１４０ｃを含む場合がある。Ｎｏｄｅ−Ｂ１４０ａ、１４０ｂ、１４０ｃはそれぞれ、ＲＡＮ１０３内の特定のセル（図示せず）に関連付けられてよい。ＲＡＮ１０３はまた、ＲＮＣ１４２ａ、１４２ｂを含む場合がある。ＲＡＮ１０３は、実施形態と一致したままで、任意の数のＮｏｄｅ−ＢおよびＲＮＣを含む場合があることを理解されよう。
【０２５０】
図２２Ｃに示すように、Ｎｏｄｅ−Ｂ１４０ａ、１４０ｂは、ＲＮＣ１４２ａと通信する場合がある。加えて、Ｎｏｄｅ−Ｂ１４０ｃは、ＲＮＣ１４２ｂと通信する場合がある。Ｎｏｄｅ−Ｂ１４０ａ、１４０ｂ、１４０ｃは、Ｉｕｂインターフェースを介して、対応するＲＮＣ１４２ａ、１４２ｂと通信してもよい。ＲＮＣ１４２ａ、１４２ｂは、Ｉｕｒインターフェースを介して、相互に通信してもよい。ＲＮＣ１４２ａ、１４２ｂのそれぞれは、接続されているそれぞれのＮｏｄｅ−Ｂ１４０ａ、１４０ｂ、１４０ｃを制御するように構成されてよい。加えて、ＲＮＣ１４２ａ、１４２ｂのそれぞれは、アウターループ電力制御、負荷制御、受付制御、パケットスケジューリング、ハンドオーバ制御、マクロダイバーシチ、セキュリティ機能、データ暗号化などの他の機能を実行、またはサポートするように構成されてよい。
【０２５１】
図２２Ｃに示されるコアネットワーク１０６は、メディアゲートウェイ（Media  Gateway：ＭＧＷ）１４４、移動通信交換局（Mobile  Switching  Center  ：ＭＳＣ）１４６、サービングＧＰＲＳサポートノード（Serving  GPRS  Support  Node：ＳＧＳＮ）１４８、および／またはゲートウェイＧＰＲＳサポートノード（Gateway  GPRS  Support  Node：ＧＧＳＮ）１５０を含む場合がある。上述の要素のそれぞれが、コアネットワーク１０６の一部として表されているが、これらの要素のうちの任意の１つは、コアネットワークオペレータ以外のエンティティによって所有および／または操作される場合があることを理解されよう。
【０２５２】
ＲＡＮ１０３内のＲＮＣ１４２ａは、ＩｕＣＳインターフェースを介して、コアネットワーク１０６内のＭＳＣ１４６に接続されてよい。ＭＳＣ１４６は、ＭＧＷ１４４に接続されてよい。ＭＳＣ１４６およびＭＧＷ１４４は、ＷＴＲＵ１０２ａ、１０２ｂ、１０２ｃに、ＰＳＴＮ１０８などの回線交換網へのアクセスを提供し、ＷＴＲＵ１０２ａ、１０２ｂ、１０２ｃと従来の地上通信デバイスとの間の通信を促進してもよい。
【０２５３】
ＲＡＮ１０３内のＲＮＣ１４２ａはまた、ＩｕＰＳインターフェースを介して、コアネットワーク１０６内のＳＧＳＮ１４８に接続されてよい。ＳＧＳＮ１４８は、ＧＧＳＮ１５０に接続されてよい。ＳＧＳＮ１４８およびＧＧＳＮ１５０は、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進してもよい。
【０２５４】
上記のように、コアネットワーク１０６はまた、他のサービスプロバイダによって所有および／または操作される他の有線または無線ネットワークを含むことがあるネットワーク１１２に接続されてよい。
【０２５５】
図２２Ｄは、一実施形態に従うＲＡＮ１０４およびコアネットワーク１０７のシステム図である。上記のように、ＲＡＮ１０４は、Ｅ−ＵＴＲＡ無線技術を採用し、エアインターフェース１１６を通してＷＴＲＵ１０２ａ、１０２ｂおよび１０２ｃと通信してよい。ＲＡＮ１０４はまた、コアネットワーク１０７と通信してもよい。
【０２５６】
ＲＡＮ１０４は、ｅＮｏｄｅ−Ｂ１６０ａ、１６０ｂ、１６０ｃを含むことがあるが、ＲＡＮ１０４は、実施形態と一致したままで、任意の数のｅＮｏｄｅＢを含んでもよいことを理解されるであろう。ｅＮｏｄｅ−Ｂ１６０ａ、１６０ｂ、１６０ｃはそれぞれ、エアインターフェース１１６を通してＷＴＲＵ１０２ａ、１０２ｂ、１０２ｃと通信するために、１つまたは複数の送受信機を備えていてもよい。一実施形態では、ｅＮｏｄｅ−Ｂ１６０ａ、１６０ｂ、１６０ｃは、ＭＩＭＯ技術を実装してもよい。したがって、ｅＮｏｄｅ−Ｂ１６０ａは、例えば、ＷＴＲＵ１０２ａに無線信号を送信し、かつＷＴＲＵ１０２ａから無線信号を受信するために、複数のアンテナを使用することがある。
【０２５７】
ｅＮｏｄｅ−Ｂ１６０ａ、１６０ｂ、および１６０ｃのそれぞれは、特定のセル（図示せず）に関連付けられてよく、かつ無線リソース管理決定、ハンドオーバ決定、上りリンクおよび／または下りリンクにおけるユーザのスケジューリングなどを取り扱うように構成されてよい。図２２Ｄに示すように、ｅＮｏｄｅ−Ｂ１６０ａ、１６０ｂ、１６０ｃは、Ｘ２インターフェースを通して相互に通信してもよい。
【０２５８】
図２２Ｄに示されるコアネットワーク１０７は、モビリティ管理ゲートウェイ（Mobility  Management  Gateway：ＭＭＥ）１６２、サービングゲートウェイ１６４、およびパケットデータネットワーク（Packet  Data  Network：ＰＤＮ）ゲートウェイ１６６を含む場合がある。上述の要素のそれぞれが、コアネットワーク１０７の一部として表されているが、これらの要素のうちの任意の１つは、コアネットワークオペレータ以外のエンティティによって所有および／または操作される場合があることを理解されよう。
【０２５９】
ＭＭＥ１６２は、Ｓ１インターフェースを介して、ＲＡＮ１０４内のｅＮｏｄｅ−Ｂ１６０ａ、１６０ｂおよび１６０ｃのそれぞれに接続されてもよく、制御ノードとして機能してもよい。例えば、ＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期接続の間の特定のサービングゲートウェイを選択することなどの役割を担ってもよい。ＭＭＥ１６２はまた、ＲＡＮ１０４とＧＳＭまたはＷＣＤＭＡなどの他の無線技術を採用する他のＲＡＮ（図示せず）との間を切り替えるために、制御プレーン機能を提供してもよい。
【０２６０】
サービングゲートウェイ１６４は、Ｓ１インターフェースを介して、ＲＡＮ１０４内のｅＮｏｄｅ−Ｂ１６０ａ、１６０ｂおよび１６０ｃのそれぞれに接続されてよい。サービングゲートウェイ１６４は、概して、ＷＴＲＵ１０２ａ、１０２ｂ、１０２ｃへ／ＷＴＲＵ１０２ａ、１０２ｂ、１０２ｃから、ユーザデータパケットをルーティングおよび転送してよい。サービングゲートウェイ１６４はまた、ｅＮｏｄｅＢ間ハンドオーバの間のユーザプレーンのアンカ、下りリンクデータがＷＴＲＵ１０２ａ、１０２ｂ、１０２ｃに対して利用可能であるときのページングのトリガ、ＷＴＲＵ１０２ａ、１０２ｂ、１０２ｃのコンテキストの管理および記憶などの他の機能を実施してよい。
【０２６１】
サービングゲートウェイ１６４はまた、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進することがあるＰＤＮゲートウェイ１６６に接続されてよい。
【０２６２】
コアネットワーク１０７は、他のネットワークとの通信を促進してもよい。例えば、コアネットワーク１０７は、ＷＴＲＵ１０２ａ、１０２ｂ、１０２ｃに、ＰＳＴＮ１０８などの回線交換網へのアクセスを提供し、ＷＴＲＵ１０２ａ、１０２ｂ、１０２ｃと従来の地上通信デバイスとの間の通信を促進してもよい。例えば、コアネットワーク１０７は、コアネットワーク１０７とＰＳＴＮ１０８との間のインターフェースとして機能する、ＩＰゲートウェイ（例えば、ＩＰマルチメディアサブシステム（Ip  Multimedia  SubsystemＩＭＳ）サーバ）を含むか、またはそれと通信してよい。加えて、コアネットワーク１０７は、ＷＴＲＵ１０２ａ、１０２ｂ、１０２ｃに、他のサービスプロバイダによって所有および／または操作される他の有線または無線ネットワークを含むことがあるネットワーク１１２へのアクセスを提供してもよい。
【０２６３】
図２２Ｅは、一実施形態に従うＲＡＮ１０５およびコアネットワーク１０９のシステム図である。ＲＡＮ１０５は、ＩＥＥＥ８０２．１６無線技術を採用し、エアインターフェース１１７を通してＷＴＲＵ１０２ａ、１０２ｂ、および１０２ｃと通信する、アクセスサービスネットワーク（Access  Service  Network：ＡＳＮ）であってよい。以下でさらに論じるように、ＷＴＲＵ１０２ａ、１０２ｂ、１０２ｃ、ＲＡＮ１０５の異なる機能エンティティとコアネットワーク１０９との間の通信リンクは、参照点として定義されてよい。
【０２６４】
図２２Ｅに示すように、ＲＡＮ１０５は、基地局１８０ａ、１８０ｂ、１８０ｃと、ＡＳＮゲートウェイ１８２とを含むことがあるが、ＲＡＮ１０５は、実施形態と一致したままで、任意の数の基地局およびＡＳＮゲートウェイを含む場合があることを理解されるであろう。基地局１８０ａ、１８０ｂ、１８０ｃはそれぞれ、ＲＡＮ１０５内の特定のセルに関連付けられてよく、エアインターフェース１１７を通してＷＴＲＵ１０２ａ、１０２ｂ、１０２ｃと通信するために、１つまたは複数の送受信機を含んでもよい。一実施形態では、基地局１８０ａ、１８０ｂ、１８０ｃは、ＭＩＭＯ技術を実装してもよい。したがって、基地局１８０ａは、例えば、ＷＴＲＵ１０２ａに無線信号を送信し、かつＷＴＲＵ１０２ａから無線信号を受信するために、複数のアンテナを使用することがある。基地局１８０ａ、１８０ｂ、１８０ｃはまた、ハンドオフトリガ、トンネル確立、無線リソース管理、トラフィック分類、サービス品質（ＱｏＳ）ポリシ施行などのモビリティ管理機能を提供してもよい。ＡＳＮゲートウェイ１８２は、トラフィック集約点として機能してよく、またページング、加入者プロファイルのキャッシュ、コアネットワーク１０９へのルーティングなどの役割を担ってもよい。
【０２６５】
ＷＴＲＵ１０２ａ、１０２ｂ、１０２ｃとＲＡＮ１０５との間のエアインターフェース１１７は、ＩＥＥＥ８０２．１６仕様を実装するＲ１参照点として定義されてよい。加えて、ＷＴＲＵ１０２ａ、１０２ｂ、および１０２ｃのそれぞれは、論理インターフェース（図示せず）をコアネットワーク１０９と確立してよい。ＷＴＲＵ１０２ａ、１０２ｂ、１０２ｃとコアネットワーク１０９との間の論理インターフェースは、認証、認可、ＩＰホスト構成管理、および／またはモビリティ管理のために使用されることがあるＲ２参照点として定義されてよい。
【０２６６】
基地局１８０ａ、１８０ｂ、および１８０ｃのそれぞれ間の通信リンクは、基地局間のＷＴＲＵハンドオーバおよびデータの転送を促進するプロトコルを含むＲ８参照点として定義されてよい。基地局１８０ａ、１８０ｂ、１８０ｃとＡＳＮゲートウェイ１８２との間の通信リンクは、Ｒ６参照点として定義されてよい。Ｒ６参照点は、ＷＴＲＵ１０２ａ、１０２ｂ、１０２ｃのそれぞれに関連付けられたモビリティイベントに基づいてモビリティ管理を促進するプロトコルを含んでもよい。
【０２６７】
図２２Ｅに示すように、ＲＡＮ１０５は、コアネットワーク１０９に接続されてよい。ＲＡＮ１０５とコアネットワーク１０９との間の通信リンクは、例えば、データ転送およびモビリティ管理能力を促進するプロトコルを含むＲ３参照点として定義されてよい。コアネットワーク１０９は、モバイルＩＰホームエージェント（Mobile  IP  Home  Agent：ＭＩＰ−ＨＡ）１８４、認証・認可・課金（Authentication,  Authorization,  Accounting：ＡＡＡ）サーバ１８６、およびゲートウェイ１８８を含んでもよい。上述の要素のそれぞれが、コアネットワーク１０９の一部として表されているが、これらの要素のうちの任意の１つは、コアネットワークオペレータ以外のエンティティによって所有および／または操作される場合があることを理解されよう。
【０２６８】
ＭＩＰ−ＨＡは、ＩＰアドレス管理の役割を担ってもよく、またＷＴＲＵ１０２ａ、１０２ｂ、および１０２ｃが異なるＡＳＮおよび／または異なるコアネットワーク間でローミングすることを可能にしてもよい。ＭＩＰ−ＨＡ１８４は、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃとＩＰ対応デバイスとの間の通信を促進してもよい。ＡＡＡサーバ１８６は、ユーザ認証およびユーザサービスをサポートする役割を担ってもよい。ゲートウェイ１８８は、他のネットワークとのインターワーキングを促進してもよい。例えば、ゲートウェイ１８８は、ＷＴＲＵ１０２ａ、１０２ｂ、１０２ｃに、ＰＳＴＮ１０８などの回線交換ネットワークへのアクセスを提供し、ＷＴＲＵ１０２ａ、１０２ｂ、１０２ｃと従来の地上通信デバイスとの間の通信を促進してもよい。加えて、ゲートウェイ１８８は、ＷＴＲＵ１０２ａ、１０２ｂ、１０２ｃに、他のサービスプロバイダによって所有および／または操作される他の有線または無線ネットワークを含むことがあるネットワーク１１２へのアクセスを提供してもよい。
【０２６９】
図２２Ｅには図示されていないが、ＲＡＮ１０５は、他のＡＳＮに接続されてよく、またコアネットワーク１０９は、他のコアネットワークに接続される場合があることを理解されよう。ＲＡＮ１０５と他のＡＳＮとの間の通信リンクは、ＲＡＮ１０５とその他のＡＳＮとの間のＷＴＲＵ１０２ａ、１０２ｂ、１０２ｃのモビリティを調整するプロトコルを含むことがあるＲ４参照点として定義されてよい。コアネットワーク１０９とその他のコアネットワークとの間の通信リンクは、ホームコアネットワークと在圏コアネットワークとの間のインターワーキングを促進するプロトコルを含むことがあるＲ５参照点として定義されてよい。
【０２７０】
本明細書に記載され、図２２Ａ、２２Ｃ、２２Ｄ、および２２Ｅに図示される、コアネットワークエンティティは、一定の既存の３ＧＰＰ仕様におけるそれらのエンティティに与えられる名称によって識別されるが、将来において、それらのエンティティおよび機能は、他の名称によって識別される可能性があり、ある種のエンティティまたは機能は、将来的３ＧＰＰ  ＮＲ仕様を含む、３ＧＰＰによって公開される将来的な仕様において組み合わせられる場合があることを理解されたい。したがって、図２２Ａ、２２Ｂ、２２Ｃ、２２Ｄ、および２２Ｅで、記載および図示される特定のネットワークエンティティおよび機能は、例としてのみ提供され、本明細書で開示および請求される主題は、現在規定されているか、または将来的に規定されるかどうかにかかわらず、任意の類似通信システムにおいて具現化または実装される場合があることを理解されたい。
【０２７１】
図２２Ｆは、ＲＡＮ１０３／１０４／１０５、コアネットワーク１０６／１０７／１０９、ＰＳＴＮ１０８、インターネット１１０、その他のネットワーク１１２内のある種のノードまたは機能エンティティなど、図２２Ａ、２２Ｃ、２２Ｄおよび２２Ｅに図示される通信ネットワークの１つまたは複数の装置が具現化されることがある例示的コンピューティングシステム９０のブロック図である。コンピューティングシステム９０は、コンピュータまたはサーバを含んでもよく、ソフトウェアの形態（このようなソフトウェアが記憶されるまたはアクセスされる場所もしくは手段がいかなるものであっても）である場合があるコンピュータ可読命令によって主に制御されてよい。このようなコンピュータ可読命令は、コンピューティングシステム９０を稼働させるように、プロセッサ９１内で実行されてよい。プロセッサ９１は、汎用プロセッサ、特殊目的プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシンなどであってよい。プロセッサ９１は、信号コーディング、データ処理、電力制御、入力／出力処理、および／またはコンピューティングシステム９０が通信ネットワーク内で動作することを可能にする任意の他の機能性を実施してもよい。コプロセッサ８１は、主要プロセッサ９１とは明確に異なる、任意選択のプロセッサであり、追加の機能を実施するか、またはプロセッサ９１を支援することがある。プロセッサ９１および／またはコプロセッサ８１は、本明細書に記載される方法および装置に関連するデータを受信、生成および処理する場合がある。
【０２７２】
プロセッサ９１は、動作時に、命令をフェッチ、復号、および実行し、コンピューティングシステムの主要データ転送パスであるシステムバス８０を介して、情報を他のリソースへ転送し、かつ他のリソースから転送する。このようなシステムバスは、コンピューティングシステム９０内のコンポーネント同士を接続し、かつデータ交換向けの媒体を定義する。システムバス８０は、典型的には、データを送信するためのデータライン、アドレスを送信するためのアドレスライン、および割り込みを送信し、かつシステムバスを操作するための制御ラインを含む。このようなシステムバス８０の一例は、ＰＣＩ（周辺コンポーネント相互接続）バスである。
【０２７３】
システムバス８０に連結されるメモリは、ランダムアクセスメモリ（ＲＡＭ）８２および読み取り専用メモリ（ＲＯＭ）９３を含む。このようなメモリは、情報の記憶および読み出しを可能にする回路を含む。ＲＯＭ９３は、概して、容易に修正することができない記憶されたデータを含む。ＲＡＭ８２内に記憶されたデータは、プロセッサ９１または他のハードウェアデバイスによって読み取られる、もしくは変更されてよい。ＲＡＭ８２および／またはＲＯＭ９３へのアクセスは、メモリコントローラ９２によって制御されてよい。メモリコントローラ９２は、命令が実行されると、仮想アドレスを物理的アドレスに変換する、アドレス変換機能を提供する場合がある。メモリコントローラ９２はまた、システム内のプロセスを隔離し、かつユーザプロセスからシステムプロセスを隔離するメモリ保護機能を提供する場合がある。したがって、第１のモードで起動するプロフラムは、それ自体のプロセス仮想アドレス空間によってマップされているメモリのみにアクセスする場合があり、プロセス間のメモリ共有が設定されていない限り、別のプロセスの仮想アドレス空間内のメモリにアクセスすることはできない。
【０２７４】
加えて、コンピューティングシステム９０は、プロセッサ９１から、プリンタ９４、キーボード８４、マウス９５およびディスクドライブ８５などの周辺機器に命令を通信する役割を担う、周辺機器コントローラ８３を含んでもよい。
【０２７５】
ディスプレイコントローラ９６によって制御されるディスプレイ８６は、コンピューティングシステム９０によって生成される視覚出力を表示するために使用される。このような視覚出力は、テキスト、グラフィックス、動画グラフィックス、およびビデオを含んでよい。視覚出力は、グラフィカルユーザインターフェース（Graphical  User  Interface：ＧＵＩ）の形態で提供されてよい。ディスプレイ８６は、ＣＲＴベースのビデオディスプレイ、ＬＣＤベースのフラットパネルディスプレイ、ガスプラズマベースのフラットパネルディスプレイ、またはタッチパネルで実装される場合がある。ディスプレイコントローラ９６は、ディスプレイ８６に送信されるビデオ信号を生成するために必要とされる電子コンポーネントを含む。
【０２７６】
さらに、コンピューティングシステム９０は、図２２Ａ、２２Ｂ、２２Ｃ、２２Ｄおよび２２ＥのＲＡＮ１０３／１０４／１０５、コアネットワーク１０６／１０７／１０９、ＰＳＴＮ１０８、インターネット１１０または他のネットワーク１１２などの外部通信ネットワークに、コンピューティングシステム９０を接続するために使用されて、コンピューティングシステム９０がそれらのネットワークの他のノードまたは機能エンティティと通信できるようにする、例えば、ネットワークアダプタ９７などの通信回路を含む場合がある。通信回路は、単独で、またはプロセッサ９１と組み合わせて、本明細書で記載されるある種の装置、ノード、または機能エンティティの送信および受信ステップを実施するために使用されてよい。
【０２７７】
図２２Ｇは、本明細書で説明および請求される方法および装置がその中で具現化される場合がある例示的通信システムの一実施形態を示す。示すように、例示的通信システム１１１は、無線送信／受信ユニット（ＷＴＲＵ）Ａ、Ｂ、Ｃ、Ｄ、Ｅ、Ｆ、基地局、Ｖ２Ｘサーバ、およびＲＳＵ  ＡおよびＢを含む場合があるが、開示する実施形態は、任意の数のＷＴＲＵ、基地局、ネットワーク、および／またはネットワーク要素が考えられることを理解されよう。１つまたはいくつか、もしくは全てのＷＴＲＵ  Ａ、Ｂ、Ｃ、Ｄ、Ｅは、ネットワークの範囲外（例えば、図中に破線で示されているセルカバレッジ境界線の外）にある場合がある。Ｖ２ＸグループのＷＴＲＵ  Ａ、Ｂ、Ｃの中で、ＷＴＲＵ  Ａはグループを先導するものであり、またＷＴＲＵ  ＢおよびＣはグループメンバである。ＷＴＲＵ  Ａ、Ｂ、Ｃ、Ｄ、ＥおよびＦは、Ｕｕインターフェース、またはサイドリンク（ＰＣ５）インターフェースを通して通信する場合がある。
【０２７８】
本明細書に記載される装置、システム、方法およびプロセスのうちいずれかまたは全ては、コンピュータ可読記憶媒体に記憶されたコンピュータ実行可能命令（例えば、プログラムコード）の形態で具現化される場合があり、その命令は、プロセッサ１１８または９１などのプロセッサによって実行されると、プロセッサに、本明細書に記載されるシステム、方法、およびプロセスを実施および／または実装させることを理解されたい。具体的には、本明細書に記載されるいずれのステップ、動作、または機能も、このようなコンピュータ実行可能命令の形態で実装され、無線および／または有線ネットワーク通信向けに構成された装置またはコンピューティングシステムのプロセッサで実行されてよい。コンピュータ可読記憶媒体は、情報の記憶のために、任意の非一時的（例えば、有形または物理的）方法もしくは技術に実装される揮発性および不揮発性媒体、取り外し可能および非取り外し可能媒体を含むが、このようなコンピュータ可読記憶媒体には、信号は含まれない。コンピュータ可読記憶媒体としては、ＲＡＭ、ＲＯＭ、ＥＥＰＲＯＭ、フラッシュメモリまたは他のメモリ技術、ＣＤ−ＲＯＭ、デジタル多用途ディスク（Digital  Versatile  Disk：ＤＶＤ）または他の光学ディスク記憶装置、磁気カセット、磁気テープ、磁気ディスク記憶デバイスまたは他の磁気記憶デバイス、もしくは所望の情報を記憶するために使用されてよく、かつコンピュータシステムによってアクセスされることがある任意の他の有形もしくは物理的媒体が挙げられるが、それらに限定されない。
【図１】
2021530151.tif 000003
【図２】
2021530151.tif 000004
【図３】
2021530151.tif 000005
【図４】
2021530151.tif 000006
【図５】
2021530151.tif 000007
【図６】
2021530151.tif 000008
【図７】
2021530151.tif 000009
【図８】
2021530151.tif 000010
【図９】
2021530151.tif 000011
【図１０】
2021530151.tif 000012
【図１１】
2021530151.tif 000013
【図１２】
2021530151.tif 000014
【図１３】
2021530151.tif 000015
【図１４】
2021530151.tif 000016
【図１５】
2021530151.tif 000017
【図１６】
2021530151.tif 000018
【図１７】
2021530151.tif 000019
【図１８】
2021530151.tif 000020
【図１９】
2021530151.tif 000021
【図２０】
2021530151.tif 000022
【図２１】
2021530151.tif 000023
【図２２Ａ】
2021530151.tif 000024
【図２２Ｂ】
2021530151.tif 000025
【図２２Ｃ】
2021530151.tif 000026
【図２２Ｄ】
2021530151.tif 000027
【図２２Ｅ】
2021530151.tif 000028
【図２２Ｆ】
2021530151.tif 000029
【図２２Ｇ】
2021530151.tif 000030
【国際調査報告】
2021530151.tif 000031
2021530151.tif 000032